(57)【特許請求の範囲】
【請求項１】
遊技者により操作可能な操作手段と、
遊技における演出画像を表示領域に表示可能な表示手段と、
前記表示手段を表示制御する表示制御手段と、
前記表示手段を、前記操作手段に離間又は近接させる方向に移動可能な駆動手段と、
前記駆動手段を制御する駆動制御手段と、を備え、
前記表示手段は、
その側縁において、前記操作手段の側縁と略同一形状に形成されている特殊形状部が形成されており、
前記駆動制御手段が前記駆動手段を制御し、前記表示手段を前記操作手段に近接させた場合に、前記特殊形状部が、前記操作手段の側縁に近接することで互いが嵌合することを特徴とする遊技機。
【請求項２】
前記操作手段と、前記表示手段とが近接した状態において、夫々の手段の遊技者に対向する面が、略同一角度で配置されることを特徴とする請求項１に記載の遊技機。
【発明の詳細な説明】
【技術分野】
【０００１】
本発明は、パチスロ等の遊技機に関する。
【背景技術】
【０００２】
従来、複数の図柄がそれぞれの表面に配された複数のリールと、遊技メダルやコイン等（以下、「メダル等」と言う）が投入され、遊技者によりスタートレバーが操作されたことを検出し、複数のリールの回転の開始を要求するスタートスイッチと、複数のリールのそれぞれに対応して設けられたストップボタンが遊技者により押されたことを検出し、該当するリールの回転の停止を要求する信号を出力するストップスイッチと、複数のリールのそれぞれに対応して設けられ、それぞれの駆動力を各リールに伝達するステッピングモータと、スタートスイッチ及びストップスイッチにより出力された信号に基づいて、ステッピングモータの動作を制御し、各リールの回転及びその停止を行うリール制御部と、を備え、スタートレバーが操作されたことを検出すると、乱数値に基づいて抽籤を行い、この抽籤の結果（以下、「内部当籤役」と言う）とストップボタンが操作されたことを検出したタイミングとに基づいてリールの回転の停止を行う、いわゆるパチスロと称される遊技機が知られている。
【０００３】
この種の遊技機として、遊技に関する情報を表示する液晶表示装置と、液晶表示装置を移動させる液晶駆動ユニットと、を備え、初期停止位置において、液晶表示装置がタイトルバーを遮蔽し、特定演出が行われているときに、遊技者により操作手段が操作された場合には、タイトルバーを遮蔽させない位置に、液晶駆動ユニットが液晶表示装置を移動させ、液晶表示装置の前面側において、タイトルバーを移動させる遊技機が提案されている（特許文献１参照）。
【先行技術文献】
【特許文献】
【０００４】
【特許文献１】特開２０１６−５７１８号公報
【発明の概要】
【発明が解決しようとする課題】
【０００５】
しかしながら、上記特許文献１の遊技機は、操作手段の操作により液晶表示装置を移動させるものの、操作手段を操作した結果として液晶表示装置を移動するだけで、液晶表示装置を移動させる演出により、操作手段を操作させる操作演出の興趣を向上させるものではなかった。
【０００６】
そこで、本発明は、このような問題点を解決し、操作演出の興趣を向上可能な遊技機を提供することを目的とする。
【課題を解決するための手段】
【０００７】
本発明は、以下のような遊技機を提供する。本発明の遊技機（例えば、後述のパチスロ機１Ｅ等）は、遊技者により操作可能な操作手段（例えば、後述の演出ボタン１９等）と、遊技における演出画像を表示領域（例えば、後述の表示領域１２ａ等）に表示可能な表示手段（例えば、後述の操作部液晶表示装置１２Ｅ等）と、前記表示手段を表示制御する表示制御手段（例えば、後述の副制御回路１０１等）と、前記表示手段を、前記操作手段に離間又は近接させる方向に移動可能な駆動手段（例えば、後述の駆動装置２００Ｅ等）と、前記駆動手段を制御する駆動制御手段（例えば、後述の副制御回路１０１等）と、を備え、前記表示手段は、その側縁において、前記操作手段の側縁と略同一形状に形成されている特殊形状部（例えば、後述の第１特殊形状部１２１等）が形成されており、前記駆動制御手段が前記駆動手段を制御し、前記表示手段を前記操作手段に近接させた場合に、前記特殊形状部が、前記操作手段の側縁に近接することで互いが嵌合することを特徴とする。
また、本発明の遊技機は、前記構成に加えて、前記操作手段と、前記表示手段とが近接した状態において、夫々の手段の遊技者に対向する面が、略同一角度で配置されることを特徴とする。
【０００８】
このような構成の遊技機は、操作手段と、表示手段と、表示制御手段と、駆動手段と、駆動制御手段と、を備える。操作手段は、遊技者により操作可能である。表示手段は、遊技における演出画像を表示領域に表示可能である。表示制御手段は、表示手段を表示制御する。駆動手段は、表示手段を、操作手段に離間又は近接させる方向に移動可能である。駆動制御手段は、前記駆動手段を制御する。そして、表示手段は、その側縁において、操作手段の側縁と略同一形状に形成されている特殊形状部が形成されており、駆動制御手段が駆動手段を制御し、表示手段を操作手段に近接させた場合に、特殊形状部が、操作手段の側縁に近接する。
【０００９】
これにより、表示手段が移動することで、操作手段に近接し、表示手段の側縁における操作手段の側縁と略同一形状に形成された特殊形状部が、操作手段の当該側縁と近接し、操作手段の周囲に表示手段が配置される。よって、遊技者により操作手段が認識し易くなり、表示手段に表示された演出画像と相まって、操作手段による演出の興趣を向上できる。したがって、操作演出の興趣を向上可能な遊技機を提供できる。
【００１０】
本発明の遊技機は、前記構成に加えて、前記操作手段は、複数種類有り（例えば、後述の演出ボタン１９、メダル投入口１３、ＭＡＸベットボタン１４、１ベットボタン１５、スタートレバー１６、ストップボタン１７Ｌ，１７Ｃ，１７Ｒ等）、複数種類の前記操作手段は、操作部（例えば、後述の台座部１０等）に配置され、前記駆動手段により移動可能な前記表示手段は、前記操作部に配置されていることを特徴とする。
【００１１】
これにより、表示手段を複数種類の操作手段が配置された操作部に配置できる。即ち、遊技中における遊技者の手元で、表示手段を移動させ、操作手段に近接させることができる。よって、表示手段を、例えば、手元から離れた遊技機の筐体上部で移動させる場合に比べて、表示手段の演出画像に注目させることが可能となる。したがって、演出画像に注目させつつ、操作演出の興趣を向上可能な遊技機を提供できる。
【発明の効果】
【００１２】
本発明によれば、操作演出の興趣を向上可能な遊技機を提供できる。
【図面の簡単な説明】
【００１３】
【図１】本発明の第１実施形態に係るパチスロ機の機能フローを示す図である。
【図２】本発明の第１実施形態に係るパチスロ機の外部構造を示す全体斜視図である。
【図３】本発明の第１実施形態に係るパチスロ機の電気的構成を示すブロック図である。
【図４】本発明の第１実施形態に係るパチスロ機の主制御回路の構成を示すブロック図である。
【図５】本発明の第１実施形態に係るパチスロ機の副制御回路の構成を示すブロック図である。
【図６】本発明の第１実施形態に係るパチスロ機の液晶表示装置及び駆動装置の正面図である。図６（ａ）は第３液晶パネルが第１液晶パネル及び第２液晶パネルの背面側に配置された状態を示し、図６（ｂ）は第３液晶パネルが第１液晶パネル及び第２液晶パネルと同一平面上に配置された状態を示している。
【図７】図６（ａ）におけるＡ−Ａ’断面図である。
【図８】本発明の第１実施形態に係る液晶表示装置における演出画像の一例を示す図である。図８（ａ）は第３液晶パネルが第１液晶パネル及び第２液晶パネルの背面側に配置された状態を示し、図８（ｂ）は第３液晶パネルが第１液晶パネル及び第２液晶パネルと同一平面上に配置された状態を示している。
【図９】本発明の第１実施形態に係る液晶表示装置における演出画像の一例を示す図である。
【図１０】本発明の第１実施形態に係る液晶表示装置における演出画像の一例を示す図である。
【図１１】本発明の第１実施形態に係る液晶表示装置における演出画像の一例を示す図である。
【図１２】本発明の第１実施形態に係る液晶表示装置における演出画像の一例を示す図である。
【図１３】本発明の第１実施形態に係る液晶表示装置における演出画像の一例を示す図である。
【図１４】本発明の第１実施形態に係る液晶表示装置の別例１を示す図である。
【図１５】本発明の第１実施形態に係る液晶表示装置の別例２を示す図である。
【図１６】本発明の第１実施形態の変形例に係る遊技機（パチンコ）の外観を示す斜視図である。
【図１７】本発明の第１実施形態の変形例に係る遊技機（パチンコ）の主制御回路及び副制御回路の構成を示すブロック図である。
【図１８】本発明の第２実施形態に係るパチスロ機の機能フローを示す図である。
【図１９】本発明の第２実施形態に係るパチスロ機の外部構造を示す全体斜視図である。
【図２０】本発明の第２実施形態に係るパチスロ機の電気的構成を示すブロック図である。
【図２１】本発明の第２実施形態に係るパチスロ機の側面液晶表示装置及び駆動装置を説明する図である。
【図２２】本発明の第２実施形態に係るパチスロ機の側面液晶表示装置及び駆動装置を説明する図である。
【図２３】本発明の第２実施形態の変形例に係る遊技機（パチンコ）の外観を示す斜視図である。
【図２４】本発明の第２実施形態の変形例に係る遊技機（パチンコ）の主制御回路及び副制御回路の構成を示すブロック図である。
【図２５】本発明の第３実施形態に係るパチスロ機の機能フローを示す図である。
【図２６】本発明の第３実施形態に係るパチスロ機の外部構造を示す全体斜視図である。
【図２７】本発明の第３実施形態に係るパチスロ機の電気的構成を示すブロック図である。
【図２８】本発明の第３実施形態に係るパチスロ機の操作部及び駆動装置の断面図である。図２８（ａ）は操作部の補助液晶表示装置の補助表示領域が腰部液晶表示装置の表示領域と略同一平面上に配置された状態を示し、図２８（ｂ）は操作部の補助液晶表示装置の補助表示領域が腰部液晶表示装置の表示領域より前面側に突出した状態を示している。
【図２９】本発明の第３実施形態に係る腰部液晶表示装置及び補助液晶表示装置における演出画像の一例を示す図である。
【図３０】本発明の第３実施形態に係る腰部液晶表示装置及び補助液晶表示装置における演出画像の一例を示す図である。
【図３１】本発明の第３実施形態に係る腰部液晶表示装置及び補助液晶表示装置における演出画像の一例を示す図である。
【図３２】本発明の第４実施形態に係るパチスロ機の外部構造を示す全体斜視図である。
【図３３】本発明の第４実施形態に係るパチスロ機の電気的構成を示すブロック図である。
【図３４】本発明の第４実施形態に係るパチスロ機の液晶表示装置及び駆動装置の背面図である。
【図３５】本発明の第４実施形態に係るパチスロ機の液晶表示装置及び駆動装置の背面図である。
【図３６】図３４におけるＡＡ’断面図である。
【図３７】本発明の第４実施形態に係る液晶表示装置における演出画像の一例を示す図である。図３７（ａ）は７つの液晶パネルの１つの頂点が互いに近接し、外形形状が七角形形状の状態である第１形態の液晶表示装置を示し、図３７（ｂ）は７つの液晶パネルがそれぞれ同一方向に回動し、中心域に七角形形状の開口部が形成された第２形態の液晶表示装置を示している。
【図３８】本発明の第４実施形態に係る液晶表示装置における演出画像の一例を示す図である。図３８（ａ）は液晶表示装置の第２形態における演出開始時の演出画像を示し、図３８（ｂ）は（ａ）に示す演出開始時の演出画像の経時的変化を示している。
【図３９】本発明の第４実施形態に係る液晶表示装置における演出画像の一例を示す図である。
【図４０】本発明の第４実施形態に係る液晶表示装置における演出画像の一例を示す図である。
【図４１】本発明の第４実施形態に係る液晶表示装置における演出画像の一例を示す図である。
【図４２】本発明の第４実施形態の変形例に係る遊技機（パチンコ）の外観を示す斜視図である。
【図４３】本発明の第４実施形態の変形例に係る遊技機（パチンコ）の主制御回路及び副制御回路の構成を示すブロック図である。
【図４４】本発明の第５実施形態に係るパチスロ機の外部構造を示す全体斜視図である。
【図４５】本発明の第５実施形態に係るパチスロ機の電気的構成を示すブロック図である。
【図４６】本発明の第５実施形態に係るパチスロ機の液晶表示装置及び駆動装置の背面図である。図４６（ａ）は移動液晶パネル及び移動液晶パネルの初期状態を示し、図４６（ｂ）は移動液晶パネル及び移動液晶パネルが初期状態から移動した状態を示している。
【図４７】図４６（ａ）におけるＡＡ’断面図である。
【図４８】本発明の第５実施形態に係る液晶表示装置における演出画像の一例を示す図である。図４８（ａ）は第１移動液晶パネル及び第２移動液晶パネルが、固定液晶パネルを挟んで、水平線上に配置された状態を示し、図４８（ｂ）は第１移動液晶パネル及び第２移動液晶パネルが、固定液晶パネルを挟んで、垂直線上に配置された状態を示している。
【図４９】本発明の第５実施形態に係る液晶表示装置における演出画像の別例を示す図である。
【図５０】本発明の第５実施形態の変形例に係る遊技機（パチンコ）の外観を示す斜視図である。
【図５１】本発明の第５実施形態の変形例に係る遊技機（パチンコ）の主制御回路及び副制御回路の構成を示すブロック図である。
【図５２】本発明の第６実施形態に係るパチスロ機の機能フローを示す図である。
【図５３】本発明の第６実施形態に係るパチスロ機の外部構造を示す全体斜視図である。
【図５４】本発明の第６実施形態に係るパチスロ機の電気的構成を示すブロック図である。
【図５５】本発明の第６実施形態に係るパチスロ機の操作部液晶表示装置を説明する図である。
【図５６】本発明の第６実施形態に係るパチスロ機の操作部液晶表示装置を説明する図である。
【図５７】本発明の第６実施形態に係るパチスロ機の操作部液晶表示装置及び駆動装置を説明する図である。図５７（ａ）は操作部液晶表示装置が初期位置に配置された状態を示し、図５７（ｂ）は操作部液晶表示装置が中間位置に配置された状態を示し、図５７（ｃ）は操作部液晶表示装置が移動位置に配置された状態を示している。
【図５８】本発明の第６実施形態に係るパチスロ機の操作部液晶表示装置の変形例を説明する図である。
【図５９】本発明の第７実施形態に係るパチスロ機の外部構造を示す全体斜視図である。
【図６０】本発明の第７実施形態に係るパチスロ機の電気的構成を示すブロック図である。
【図６１】本発明の第７実施形態に係るパチスロ機の液晶表示装置及び駆動装置の正面図である。図６１（ａ）は第３液晶パネルが第１液晶パネル及び第２液晶パネルの背面側に配置された状態を示し、図６１（ｂ）は第３液晶パネルが第１液晶パネル及び第２液晶パネルと同一平面上に配置された状態を示している。
【図６２】本発明の第７実施形態に係るパチスロ機の液晶表示装置における演出画像の一例を示す図である。図６２（ａ）は第３液晶パネルが第１液晶パネル及び第２液晶パネルの背面側に配置された状態を示し、図６２（ｂ）は第３液晶パネルが第１液晶パネル及び第２液晶パネルと同一平面上に配置された状態を示している。
【図６３】本発明の第７実施形態に係るパチスロ機の液晶表示装置の変形例を説明する図である。
【図６４】本発明の第７実施形態に係るパチスロ機の液晶表示装置の変形例の動作を説明する図である。
【図６５】本発明の第７実施形態に係るパチスロ機の液晶表示装置の変形例の動作を説明する図である。
【図６６】本発明の第７実施形態に係るパチスロ機の液晶表示装置の変形例の動作を説明する図である。
【発明を実施するための形態】
【００１４】
本発明の各種実施形態について説明する。以下に説明する各種実施形態は、遊技機の演出における意外性に欠けるという課題を解決するために、表示領域の外形を遊技機の各種構成に合わせた形状で形成した液晶表示装置を、駆動装置により移動することで、斬新で印象深い演出を可能とするものである。
【００１５】
（第１実施形態）
＜パチスロ機の機能フロー＞
本発明の第１実施形態を示す遊技機であるパチスロ機について説明する。はじめに、図１を参照して、遊技機の第１実施形態に係る機能フローについて説明する。
【００１６】
第１実施形態のパチスロ機では、遊技を行うための遊技媒体としてメダルを用いる。なお、遊技媒体としては、メダル以外にも、コイン、遊技球、遊技用のポイントデータ又はトークン等を適用することもできる。
【００１７】
所定の開始条件として、遊技者によりメダルが投入され、スタートレバーが操作されると、予め定められた数値の範囲（例えば、０〜６５５３５）の乱数から１つの値（以下、乱数値）が抽出される。
【００１８】
内部抽籤手段は、抽出された乱数値に基づいて抽籤を行い、内部当籤役を決定する。この内部抽籤手段は、後述する主制御回路が担う。内部当籤役の決定により、後述の入賞判定ラインに沿って表示を行うことを許可する図柄の組合せが決定される。なお、図柄の組合せの種別としては、メダルの払い出し、再遊技の作動、ボーナスの作動等といった特典が遊技者に与えられる「入賞」に係るものと、それ以外のいわゆる「ハズレ」に係るものとが設けられている。
【００１９】
また、スタートレバーが操作されると、複数のリールの回転が行われる。その後、遊技者により所定のリールに対応するストップボタンが押されると、リール停止制御手段は、内部当籤役とストップボタンが押されたタイミングとに基づいて、該当するリールの回転を停止する制御を行う。
【００２０】
パチスロ機では、基本的に、ストップボタンが押されたときから規定時間（１９０ｍｓｅｃ又は７５ｍｓｅｃ）内に、該当するリールの回転を停止する制御が行われる。第１実施形態では、この規定時間内にリールの回転に伴って移動する図柄の数を「滑り駒数」と呼ぶ。規定時間が１９０ｍｓｅｃである場合には、滑り駒数の最大数を図柄４コマ分に定め、規定時間が７５ｍｓｅｃである場合には、滑り駒数の最大数を図柄１コマ分に定める。
【００２１】
リール停止制御手段は、入賞に係る図柄の組合せ表示を許可する内部当籤役が決定されているときは、通常、１９０ｍｓｅｃ（図柄４コマ分）の規定時間内に、その図柄の組合せが入賞判定ラインに沿って極力表示されるようにリールの回転を停止させる。また、リール停止制御手段は、例えば、第２種特別役物であるチャレンジボーナス（ＣＢ）及びＣＢを連続して作動させるミドルボーナス（ＭＢ）の動作時には、１つ以上のリールに対して、規定時間７５ｍｓｅｃ（図柄１コマ分）内に、その図柄の組合せが入賞判定ラインに沿って極力表示されるようにリールの回転を停止させる。更に、リール停止制御手段は、遊技状態に対応する各種規定時間を利用して、内部当籤役によってその表示が許可されていない図柄の組合せが入賞判定ラインに沿って表示されないようにリールの回転を停止させる。
【００２２】
こうして、複数のリールの回転がすべて停止されると、入賞判定手段は、入賞判定ラインに沿って表示された図柄の組合せが、入賞に係るものであるか否かの判定を行う。この入賞判定手段は、後述する主制御回路が担う。入賞判定手段により入賞に係るものであるとの判定が行われると、メダルの払い出し等の特典が遊技者に与えられる。パチスロ機では、以上のような一連の流れが１回の遊技として行われる。このような内部抽籤手段、リール停止制御手段及び入賞判定手段は、後述する制御手段としての主制御回路が担う。
【００２３】
また、パチスロ機では、前述した一連の流れの中で、液晶表示装置等の画像表示装置により行う映像の表示、駆動装置による液晶パネルの駆動、各種ランプにより行う光の出力、スピーカにより行う音の出力、あるいはこれらの組合せを利用して様々な演出が行われる。
【００２４】
スタートレバーが操作されると、上述した内部当籤役の決定に用いられた乱数値とは別に、演出用の乱数値（以下、演出用乱数値）が抽出される。演出用乱数値が抽出されると、演出内容決定手段は、内部当籤役に対応づけられた複数種類の演出内容の中から今回実行するものを抽籤により決定する。
【００２５】
演出内容が決定されると、演出実行手段は、リールの回転開始時、各リールの回転停止時、入賞の有無の判定時等の各契機に連動させて対応する演出を実行する。このように、パチスロ機では、内部当籤役に対応づけられた演出内容を実行することによって、決定された内部当籤役（言い換えると、狙うべき図柄の組合せ）を知る機会又は予想する機会が遊技者に提供され、遊技者の興味の向上を図ることができる。このような演出内容決定手段及び演出実行手段は、後述する演出制御手段としての副制御回路が担う。
【００２６】
＜パチスロ機の構造＞
次に、図２を参照して、第１実施形態におけるパチスロ機の外観構造について説明する。
【００２７】
［外観構造］
図２は、パチスロ機１の外部構造を示す斜視図である。
【００２８】
図２に示すように、パチスロ機１は、外装体２を備えている。外装体２は、リールや回路基板等を収容する筐体としてのキャビネット２ａと、キャビネット２ａに対して開閉自在に取付けられたフロントドア２ｂとを有している。キャビネット２ａの両側面には、把手２ｃが設けられている（図２では一側面の把手２ｃのみを示す）。この把手２ｃは、パチスロ機１を運搬するときに手をかける凹部である。
【００２９】
キャビネット２ａの内部には、複数（例えば２１個）の図柄が周方向に沿って所定の間隔をあけて表示された複数（第１実施形態では３つ）のリール３Ｌ，３Ｃ，３Ｒが収容されている。
【００３０】
以下、各リール３Ｌ，３Ｃ，３Ｒを、それぞれ左リール３Ｌ、中リール３Ｃ、右リール３Ｒという。各リール３Ｌ，３Ｃ，３Ｒは、円筒状に形成されたリール本体と、リール本体の周面に装着された透光性のシート材を有している。上述の複数（例えば２１個）の図柄は、前述のシート材の表面に描かれている。
【００３１】
フロントドア２ｂは、ドア本体９と、画像を表示する画像表示手段としての液晶表示装置１１とを備えている。ドア本体９は、ヒンジ（不図示）を用いてキャビネット２ａに開閉自在に取り付けられている。ヒンジは、パチスロ機１の前方からドア本体９を見た場合に、ドア本体９における左側の端部に設けられている。
【００３２】
液晶表示装置１１は、例えば、前面側（パチスロ機１の正面側であり、遊技者に対向する面）に形成された表示領域１１ａに遊技上の演出に係る画像や遊技に関する情報を表示するようフロントドア２ｂのドア本体９の上部に取り付けられている。液晶表示装置１１は、映像の表示による演出を実行する他、例えば遊技機のカスタマイズや遊技履歴等の遊技台情報を表示することができる。また、液晶表示装置１１には、遊技場の管理者の操作に応じて、ホールメニューが表示される。この場合、液晶表示装置１１をタッチパネルで構成し、ホールメニューにおいて、管理者が操作可能なボタン等を表示することができる。また、詳細は後述するが、液晶表示装置１１は、遊技における演出画像を前面に形成された表示領域１１ａに表示可能な表示部としての液晶パネルを複数備える。複数の液晶パネルは、駆動装置２００（図６参照）により所定方向に移動する。
【００３３】
また、フロントドア２ｂは、３つのリール３Ｌ，３Ｃ，３Ｒの一部を視認させることが可能な表示窓４及び液晶表示装置１１の一部を視認させることが可能な視認可能領域５を有する。表示窓４は、３つのリール３Ｌ，３Ｃ，３Ｒに対応する３つの左表示窓４Ｌ，中表示窓４Ｃ，右表示窓４Ｒによって構成されている。
【００３４】
これら表示窓４Ｌ，４Ｃ，４Ｒは、正面（遊技者側）から見て、３つのリール３Ｌ，３Ｃ，３Ｒの配置領域と重畳する位置に設けられ、かつ、３つのリールより手前（遊技者側）に位置するように設けられる。したがって、遊技者は、表示窓４Ｌ，４Ｃ，４Ｒを介して、表示窓４の背後に設けられた３つのリール３Ｌ，３Ｃ，３Ｒを視認することができる。また、視認可能領域５は、液晶表示装置１１の表示領域１１ａと重畳する位置に設けられ、かつ、表示領域１１ａより手前（遊技者側）に位置するように設けられる。また、詳細は後述するが、駆動装置２００（図６参照）は、視認可能領域５外において、液晶表示装置１１に取り付けられている。したがって、遊技者は、視認可能領域５の背後に設けられた表示領域１１ａを視認することができるが、視認可能領域５外において液晶表示装置１１に取り付けられた駆動装置２００を視認することができない。
【００３５】
第１実施形態では、表示窓４Ｌ，４Ｃ，４Ｒは、その背後に設けられた対応するリールの回転が停止したとき、各リールに描かれた複数種類の図柄のうち、連続して配置された３つの図柄を表示できる大きさに設定されている。すなわち、表示窓４Ｌ，４Ｃ，４Ｒの枠内には、リール毎に上段、中段及び下段の各領域が設けられ、各領域に１個の図柄が表示される。そして、第１実施形態では、左リール３Ｌの中段領域、中リール３Ｃの中段領域、及び、右リール３Ｒの中段領域を結ぶラインを、入賞か否かの判定を行う入賞判定ラインとして定義する。
【００３６】
また、上述したリール３Ｌ，３Ｃ，３Ｒ及び液晶表示装置１１の前面側には、保護ガラス６が配設されている。これにより、リール３Ｌ，３Ｃ，３Ｒ及び液晶表示装置１１を遊技者が直接触れることができないようになっている。
【００３７】
ドア本体９の中央には、台座部１０が形成されている。この台座部１０には、遊技者の操作対象となる各種装置（メダル投入口１３、ＭＡＸベットボタン１４、１ベットボタン１５、スタートレバー１６、ストップボタン１７Ｌ，１７Ｃ，１７Ｒ、選択ボタン、決定ボタン等）が設けられている。
【００３８】
メダル投入口１３は、遊技者によって外部からパチスロ機１に投下されるメダルを受け入れるために設けられる。すなわち、メダル投入口１３は、遊技者によってメダルが投入されるためのものである。メダル投入口１３から投入されたメダルは、予め設定された枚数（例えば３枚）を上限として１回の遊技に使用され、予め設定された枚数を超えた分は、パチスロ機１の内部に預けることができる（いわゆるクレジット機能）。
【００３９】
ＭＡＸベットボタン１４及び１ベットボタン１５は、パチスロ機１の内部に預けられているメダルから１回の遊技に使用する枚数を決定するために設けられる。なお、図２には示さないが、台座部１０には、精算ボタンが設けられる。この精算ボタンは、パチスロ機１の内部に預けられているメダルを外部に引き出す（排出する）ために設けられる。
【００４０】
スタートレバー１６は、遊技者の操作に応じて全てのリール（３Ｌ，３Ｃ，３Ｒ）の回転を開始させるためのものであり、開始操作手段を構成する。
【００４１】
ストップボタン１７Ｌ，１７Ｃ，１７Ｒは、それぞれ、左リール３Ｌ、中リール３Ｃ、右リール３Ｒに対応付けて設けられ、遊技者の操作に応じて対応する各リールの回転を停止させるためのものである。これらストップボタン１７Ｌ，１７Ｃ，１７Ｒは、停止操作手段を構成する。
【００４２】
また、これらストップボタン１７Ｌ，１７Ｃ，１７Ｒは、液晶表示装置１１に表示される情報に関する操作を行う際に用いられるようになっており、例えば液晶表示装置１１の表示画面上における選択操作を行う際に用いられる。以下、ストップボタン１７Ｌ，１７Ｃ，１７Ｒを、それぞれ左ストップボタン１７Ｌ、中ストップボタン１７Ｃ、右ストップボタン１７Ｒという。
【００４３】
選択ボタン及び決定ボタンは、液晶表示装置１１の表示画面上における各種操作を行う際に用いられる。
【００４４】
また、台座部１０には、７セグメントＬＥＤ（LightEmittingDiode）からなる７セグ表示器２８が設けられている。この７セグ表示器２８は、特典として遊技者に対して払い出すメダルの枚数（以下、払出枚数）、パチスロ機１の内部に預けられているメダルの枚数（以下、クレジット枚数）等の情報をデジタル表示する。
【００４５】
ドア本体９の下部には、メダル払出口２１、メダル受皿２２、スピーカ２３Ｌ，２３Ｒ等が設けられている。メダル払出口２１は、後述のホッパー装置４３の駆動により排出されるメダルを外部に導く。メダル受皿２２は、メダル払出口２１から排出されたメダルを貯める。また、スピーカ２３Ｌ，２３Ｒは、演出内容に対応する効果音や楽曲等の音を出力する。
【００４６】
＜パチスロ機の電気的構成＞
次に、パチスロ機１の電気的構成について、図３を参照して説明する。図３は、パチスロ機１の電気的構成を示すブロック図である。
【００４７】
図３に示すように、パチスロ機１は、キャビネット２ａに配設された主制御基板４１と、フロントドア２ｂに配設された副制御基板４２とを有している。主制御基板４１には、リール中継端子板５１と、設定用鍵型スイッチ５２と、キャビネット側中継基板５３と、ドア中継端子板５４と、電源装置４４の電源基板４４ｂとが電気的に接続されている。
【００４８】
リール中継端子板５１は、各リール３Ｌ，３Ｃ，３Ｒのリール本体の内側に配設されている。このリール中継端子板５１は、各リール３Ｌ，３Ｃ，３Ｒのステッピングモータ（不図示）に電気的に接続されており、主制御基板４１からステッピングモータに出力される信号を中継する。設定用鍵型スイッチ５２は、パチスロ機１の設定を変更する際又はパチスロ機１の設定を確認する際に使用する。
【００４９】
キャビネット側中継基板５３には、外部集中端子板５６と、ホッパー装置４３と、メダル補助収納庫スイッチ５７とが電気的に接続されている。このキャビネット側中継基板５３は、主制御基板４１から外部集中端子板５６、ホッパー装置４３、メダル補助収納庫スイッチ５７に出力される信号を中継する。つまり、外部集中端子板５６、ホッパー装置４３及びメダル補助収納庫スイッチ５７は、キャビネット側中継基板５３を介して主制御基板４１に接続されている。
【００５０】
外部集中端子板５６は、キャビネット２ａに取り付けられており、メダル投入信号、メダル払出信号及びセキュリティ信号等の信号をパチスロ機１の外部へ出力するために設けられている。
【００５１】
メダル補助収納庫スイッチ５７は、図示しないメダル補助収納庫を貫通している。このメダル補助収納庫スイッチ５７は、メダル補助収納庫がメダルで満杯になっているか否かを検出する。
【００５２】
電源装置４４の電源基板４４ｂには、電源スイッチ４４ａが接続されている。この電源スイッチ４４ａは、パチスロ機１に必要な電源を供給するときにＯＮにする。
【００５３】
ドア中継端子板５４には、メダルセンサ４６、ドア開閉監視スイッチ６１、ＢＥＴスイッチ６２、精算スイッチ６３、スタートスイッチ６４、ストップスイッチ基板６５、遊技動作表示基板６６、選択スイッチ６７、決定スイッチ６８及び副中継基板６９が接続されている。つまり、メダルセンサ４６、ドア開閉監視スイッチ６１、ＢＥＴスイッチ６２、精算スイッチ６３、スタートスイッチ６４、ストップスイッチ基板６５、遊技動作表示基板６６、選択スイッチ６７、決定スイッチ６８及び副中継基板６９は、ドア中継端子板５４を介して主制御基板４１に接続されている。
【００５４】
メダルセンサ４６は、メダルが図示しないセレクタ内を通過したことを検出して、その検出結果を主制御基板４１に出力する。ドア開閉監視スイッチ６１は、フロントドア２ｂの開閉を報知するためのセキュリティ信号をパチスロ機１の外部へ出力する。ＢＥＴスイッチ６２は、ＭＡＸベットボタン１４及び１ベットボタン１５（図２参照）が遊技者により押されたことを検出して、その検出結果を主制御基板４１に出力する。
【００５５】
精算スイッチ６３は、精算ボタン（不図示）が遊技者により押されたことを検出して、その検出結果を主制御基板４１に出力する。スタートスイッチ６４は、スタートレバー１６が遊技者により操作されたこと（開始操作）を検出して、その検出結果を主制御基板４１に出力する。
【００５６】
ストップスイッチ基板６５は、回転しているリールを停止させるための回路と、停止可能なリールをＬＥＤ等により表示するための回路を構成する基板である。このストップスイッチ基板６５には、ストップスイッチが設けられている。ストップスイッチは、各ストップボタン１７Ｌ，１７Ｃ，１７Ｒが遊技者により押されたこと（停止操作）を検出する。
【００５７】
遊技動作表示基板６６は、メダルの投入を受け付けるとき、３つのリール３Ｌ，３Ｃ，３Ｒが回動可能なとき及び再遊技を行うときに、投入されたメダルの枚数を７セグ表示器２８に表示させるための基板である。この遊技動作表示基板６６には、７セグ表示器２８とＬＥＤ７０が接続されている。ＬＥＤ７０は、例えば、遊技の開始を表示するマークや再遊技を行うマーク等を点灯させる。
【００５８】
選択スイッチ６７は、選択ボタンが遊技者により押されたことを検出して、その検出結果を主制御基板４１及び副中継基板６９に出力する。決定スイッチ６８は、決定ボタンが遊技者により押されたことを検出して、その検出結果を主制御基板４１及び副中継基板６９に出力する。
【００５９】
副中継基板６９は、副制御基板４２と主制御基板４１とを接続する配線を中継する。また、副中継基板６９は、副制御基板４２と副制御基板４２の周辺に配設された複数の基板とを接続する配線を中継する。すなわち、副中継基板６９には、副制御基板４２と、サウンドＩ／Ｏ基板７１と、ＬＥＤ基板７２と、２４ｈドア開閉監視ユニット７４と、駆動制御基板７８とが電気的に接続されている。
【００６０】
副制御基板４２は、ドア中継端子板５４と副中継基板６９を介して主制御基板４１に接続されている。また、副制御基板４２は、副中継基板６９を介して、サウンドＩ／Ｏ基板７１と、ＬＥＤ基板７２と、２４ｈドア開閉監視ユニット７４と、駆動制御基板７８とに電気的に接続されている。
【００６１】
サウンドＩ／Ｏ基板７１は、スピーカ２３Ｌ，２３Ｒへの音声の出力を行う。ＬＥＤ基板７２は、副制御回路１０１（図５参照）の制御により実行される演出に応じて、光源の一具体例を示すＬＥＤ群２５を発光させて、点滅パターンを表示する。
【００６２】
２４ｈドア開閉監視ユニット７４は、フロントドア２ｂの開閉の履歴を保存する。また、２４ｈドア開閉監視ユニット７４は、フロントドア２ｂを開放したときに、液晶表示装置１１にエラー表示を行うための信号を副制御基板４２（副制御回路１０１）に出力する。
【００６３】
駆動制御基板７８は、副制御回路１０１（図５参照）の制御により実行される演出に応じて、駆動装置２００を駆動させる。駆動装置２００は、駆動制御基板７８によって駆動制御されることで後述する液晶表示装置１１の液晶パネル（図６参照）を移動させる。
【００６４】
副制御基板４２には、ロムカートリッジ基板７６と、液晶中継基板７７とが接続されている。ロムカートリッジ基板７６は、演出用の画像（映像）、音声、光（ＬＥＤ群２５）、駆動装置２００の駆動及び通信のデータを管理するための基板である。液晶中継基板７７は、副制御基板４２と液晶表示装置１１とを接続する配線を中継する基板である。
【００６５】
＜主制御回路＞
次に、主制御基板４１により構成される主制御回路９１について、図４を参照して説明する。図４は、パチスロ機１の主制御回路９１の構成例を示すブロック図である。
【００６６】
図４に示すように、制御手段としての主制御回路９１は、主制御基板４１上に設置されたマイクロコンピュータ９２を主たる構成要素とし、遊技の進行を制御するものである。マイクロコンピュータ９２は、メインＣＰＵ９３、メインＲＯＭ９４及びメインＲＡＭ９５により構成される。
【００６７】
メインＲＯＭ９４には、メインＣＰＵ９３により実行される制御プログラム、データテーブル、後述する副制御回路１０１に対して各種制御指令（コマンド信号）を送信するためのデータ等が記憶されている。メインＲＡＭ９５には、制御プログラムの実行により決定された内部当籤役等の各種データを格納する格納領域が設けられる。
【００６８】
メインＣＰＵ９３には、クロックパルス発生回路９６、分周器９７、乱数発生器９８及びサンプリング回路９９が接続されている。クロックパルス発生回路９６及び分周器９７は、クロックパルスを発生する。メインＣＰＵ９３は、発生されたクロックパルスに基づいて、制御プログラムを実行する。乱数発生器９８は、予め定められた範囲の乱数（例えば、０〜６５５３５）を発生する。サンプリング回路９９は、発生された乱数の中から１つの値を抽出する。
【００６９】
メインＣＰＵ９３は、リールインデックスを検出してから各リール３Ｌ，３Ｃ，３Ｒのステッピングモータに対してパルスを出力した回数をカウントする。これにより、メインＣＰＵ９３は、各リール３Ｌ，３Ｃ，３Ｒの回転角度（主に、リールが図柄何個分だけ回転したか）を管理する。
【００７０】
なお、リールインデックスとは、リールが一回転したことを示す情報である。このリールインデックスは、例えば、発光部及び受光部を有する光センサと、各リール３Ｌ，３Ｃ，３Ｒの所定の位置に設けられ、各リール３Ｌ，３Ｃ，３Ｒの回転により発光部と受光部との間に介在される検知片を備えたリール位置検出部（不図示）により検出する。
【００７１】
ここで、各リール３Ｌ，３Ｃ，３Ｒの回転角度の管理について、具体的に説明する。ステッピングモータに対して出力されたパルスの数は、メインＲＡＭ９５に設けられたパルスカウンタによって計数される。そして、図柄１つ分の回転に必要な所定回数（例えば１６回）のパルスの出力がパルスカウンタで計数される毎に、メインＲＡＭ９５に設けられた図柄カウンタが１ずつ加算される。図柄カウンタは、各リール３Ｌ，３Ｃ，３Ｒに応じて設けられている。図柄カウンタの値は、リール位置検出部（不図示）によってリールインデックスが検出されるとクリアされる。
【００７２】
つまり、第１実施形態では、図柄カウンタを管理することにより、リールインデックスが検出されてから図柄何個分の回転が行われたのかを管理するようになっている。したがって、各リール３Ｌ，３Ｃ，３Ｒの各図柄の位置は、リールインデックスが検出される位置を基準として検出される。
【００７３】
第１実施形態では、基本的に滑り駒数の最大数を図柄４個分に定めている。したがって、左ストップボタン１７Ｌが押されたときに表示窓４の中段にある左リール３Ｌの図柄と、その４個先の図柄までの範囲内にある各図柄が、表示窓４の中段に停止可能な図柄となる。
【００７４】
＜副制御回路＞
次に、副制御基板４２により構成される副制御回路１０１について、図５を参照して説明する。図５は、パチスロ機１の副制御回路１０１の構成例を示すブロック図である。
【００７５】
図５に示すように、副制御部としての副制御回路１０１は、主制御回路９１と電気的に接続されており、主制御回路９１から送信されるコマンド信号に基づいて演出内容の決定や実行等の処理を行うとともに、図３に示す液晶表示装置１１、駆動装置２００、ＬＥＤ群２５、スピーカ２３Ｌ，２３Ｒ等の周辺装置の制御を行うものである。副制御回路１０１は、基本的に、サブＣＰＵ１０２、サブＲＡＭ１０３、レンダリングプロセッサ１０４、描画用ＲＡＭ１０５、ドライバ１０６を含んで構成されている。
【００７６】
サブＣＰＵ１０２は、主制御回路９１（図４参照）から送信されたコマンド信号に応じて、ロムカートリッジ基板７６に記憶されている制御プログラムに従い、音、光の出力、液晶表示装置１１の表示制御及び駆動装置２００（図３参照）の駆動の制御を行う。ロムカートリッジ基板７６は、基本的に、プログラム記憶領域とデータ記憶領域によって構成される。
【００７７】
プログラム記憶領域には、サブＣＰＵ１０２が実行する制御プログラムが記憶されている。例えば、制御プログラムには、主制御回路９１（図４参照）との通信を制御するための主基板通信タスクや、演出用乱数値を抽出し、演出内容（演出データ）の決定及び登録を行うための演出登録タスクが含まれる。また、決定した演出内容に基づいて液晶表示装置１１（図２参照）による映像の表示を制御する描画制御タスク、駆動装置２００（図３参照）による液晶表示装置１１の液晶パネル（図６参照）の移動を制御する駆動制御タスク、ＬＥＤ群２５（図３参照）等の光源による光の出力を制御するランプ制御タスク、スピーカ２３Ｌ，２３Ｒによる音の出力を制御する音声制御タスク等が含まれる。このように、サブＣＰＵ１０２は、駆動装置２００を駆動制御する駆動制御手段の一例として機能する。
【００７８】
データ記憶領域は、各種データテーブルを記憶する記憶領域、各演出内容を構成する演出データを記憶する記憶領域、映像の作成に関するアニメーションデータを記憶する記憶領域が含まれている。また、ＢＧＭや効果音に関するサウンドデータを記憶する記憶領域、光の点消灯のパターンに関するランプデータを記憶する記憶領域等が含まれている。
【００７９】
サブＲＡＭ１０３は、決定された演出内容や演出データを登録する格納領域や、主制御回路９１から送信される内部当籤役等の各種データを格納する格納領域が設けられている。
【００８０】
サブＣＰＵ１０２、レンダリングプロセッサ１０４、描画用ＲＡＭ（フレームバッファを含む）１０５及びドライバ１０６は、演出内容により指定されたアニメーションデータに従って映像を作成し、作成した映像を液晶表示装置１１に表示させる。また、サブＣＰＵ１０２は、演出内容により指定された駆動データに従って液晶パネル（図６参照）を移動する。
【００８１】
また、サブＣＰＵ１０２は、演出内容により指定されたサウンドデータに従ってＢＧＭ等の音をスピーカ２３Ｌ，２３Ｒにより出力させる。また、サブＣＰＵ１０２は、演出内容により指定されたランプデータに従ってＬＥＤ群２５の点灯及び消灯を制御する。
【００８２】
＜液晶表示装置及び駆動装置＞
次に、液晶表示装置１１及び駆動装置２００について説明する。図６は、本発明の第１実施形態に係るパチスロ機の液晶表示装置及び駆動装置の正面図である。図６（ａ）は第３液晶パネルが第１液晶パネル及び第２液晶パネルの背面側に配置された状態を示し、図６（ｂ）は第３液晶パネルが第１液晶パネル及び第２液晶パネルと同一平面上に配置された状態を示している。
【００８３】
［液晶表示装置］
液晶表示装置１１は、第１表示手段としての第１液晶パネル１１１と、第２表示手段としての第２液晶パネル１１２と、第３表示手段としての第３液晶パネル１１３と、を備える。第１液晶パネル１１１、第２液晶パネル１１２及び第３液晶パネル１１３は、その表示領域１１ａが図６中点線で囲む視認可能領域５の背後にくるように配置されている。
【００８４】
第１液晶パネル１１１及び第２液晶パネル１１２は、前面に表示領域１１ａが向けられ、略同一平面上において、互いに隣接して配置されている。第１液晶パネル１１１及び第２液晶パネル１１２は、サブＣＰＵ１０２に駆動制御される駆動装置２００により、互いに離間（図６（ｂ）に示す状態）又は近接（図６（ａ）に示す状態）させる方向に移動可能である。
【００８５】
第３液晶パネル１１３は、第１液晶パネル１１１及び第２液晶パネル１１２の間に配置され、サブＣＰＵ１０２に駆動制御される駆動装置２００により、第１液晶パネル１１１及び第２液晶パネル１１２の表示領域１１ａの背面側（前面側の反対側）に配置された状態（図６（ａ）に示す状態）から、その表示領域１１ａが第１液晶パネル１１１及び第２液晶パネル１１２の表示領域１１ａと略同一平面上に配置された状態（図６（ｂ）に示す状態）に移動可能である。
【００８６】
また、第１液晶パネル１１１は、第２液晶パネル１１２と隣接する側縁に、屈曲又は屈折した形状の第１特殊形状部１１１ａが形成されている。また、第２液晶パネル１１２は、第１液晶パネル１１１と隣接する側縁に、第１特殊形状部１１１ａと略同一の形状の第２特殊形状部１１２ａが形成されている。また、第３液晶パネル１１３は、第１液晶パネル１１１及び第２液晶パネル１１２の間に配置された状態（図６（ｂ）に示す状態）において、第１液晶パネル１１１と隣接する側縁に、第１特殊形状部１１１ａに組み合わさる形状の第３特殊形状部１１３ａが形成され、第２液晶パネル１１２と隣接する側縁に、第２特殊形状部１１２ａに組み合わさる形状の第４特殊形状部１１３ｂが形成されている。
【００８７】
また、第１液晶パネル１１１は、第２液晶パネル１１２と隣接する側縁と反対側の側縁に、第２液晶パネル１１２と互いに近接した状態（図６（ａ）に示す状態）において、視認可能領域５の背後に配置される補助パネル１１１ｂが設けられている。また、第２液晶パネル１１２は、第１液晶パネル１１１と隣接する側縁と反対側の側縁に、第１液晶パネル１１１と互いに近接した状態（図６（ａ）に示す状態）において、視認可能領域５の背後に配置される補助パネル１１２ｂが設けられている。
【００８８】
液晶表示装置１１は、第１液晶パネル１１１及び第２液晶パネル１１２が互いに近接した状態（図６（ａ）に示す状態）ではこれらの表示領域１１ａがスクエア画面（例えば、画面の横縦比が４：３，画面の解像度が８００×６００画素）相当の大きさとなり、第３液晶パネル１１３が第１液晶パネル１１１及び第２液晶パネル１１２の間に配置された状態（図６（ｂ）に示す状態）ではこれらの表示領域１１ａがワイド画面（例えば、画面の横縦比が１６：９，画面の解像度が１２８０×７２０画素）相当の大きさとなる。
【００８９】
また、視認可能領域５は、ワイド画面相当の大きさで形成されている。このため、第１液晶パネル１１１及び第２液晶パネル１１２が互いに近接した状態（図６（ａ）に示す状態）における表示領域１１ａはスクエア画面相当の大きさのため、視認可能領域５内において、表示領域１１ａの両側縁側に、隙間が形成される。しかしながら、第１実施形態においては、補助パネル１１１ｂ及び補助パネル１１２ｂを設けたので、このような隙間を塞ぐことが可能となり、遊技者がパチスロ機１の内部を視認することはできない。これにより、第１液晶パネル１１１及び第２液晶パネル１１２が接近する演出を行う際に、遊技機の内部が見えてしまうことを防止でき、遊技の興趣が低下することを抑制できる。また、遊技機の内部を視認不能とすることで、いわゆるゴト対策にもなり、遊技機のセキュリティ性を高める効果も奏する。なお、上記において、スクエア画面相当の画面の解像度を８００×６００，ワイド画面相当の画面の解像度を１２８０×７２０で説明したが、スクエア画面相当の画面の垂直解像度とワイド画面相当の画面の垂直解像度を同じ解像度（例えば、７２０画素）にし、スクエア画面相当の画像データとワイド画面相当の画像データを共通画像データで作成し、スクエア画面相当で画面の両側を切り捨てる形で表示するようにして画像データを圧縮するようにしてもよい。
【００９０】
［駆動装置］
駆動装置２００は、第１駆動部２１０と、第２駆動部２２０と、複数のモータ２３０（図３参照）と、を備える。第１駆動部２１０は、一対の第１ラック２１１と、一対の第１ピニオン２１２と、一対の第２ラック２１３と、一対の第２ピニオン２１４と、一対の第１ガイド２１５と、一対の第２ガイド２１６と、を備える。
【００９１】
一対の第１ラック２１１は、第１液晶パネル１１１の上縁又は下縁にそれぞれ取り付けられ、第１液晶パネル１１１及び第２液晶パネル１１２が互いに離間又は近接する方向に延びている。一対の第１ピニオン２１２は、一対の第１ラック２１１とそれぞれ係合し、モータ２３０（図３参照）の駆動により回転する。
【００９２】
一対の第２ラック２１３は、第２液晶パネル１１２の上縁又は下縁にそれぞれ取り付けられ、第１液晶パネル１１１及び第２液晶パネル１１２が互いに離間又は近接する方向に延びている。一対の第２ピニオン２１４は、一対の第２ラック２１３とそれぞれ係合し、モータ２３０（図３参照）の駆動により回転する。
【００９３】
一対の第１ガイド２１５は、第１液晶パネル１１１及び第２液晶パネル１１２が互いに離間又は近接する方向に延び、フロントドア２ｂ（図２参照）に固定され、それぞれ第１ラック２１１が取り付けられた第１液晶パネル１１１の上縁又は下縁をスライド自在に支持する。
【００９４】
一対の第２ガイド２１６は、第１液晶パネル１１１及び第２液晶パネル１１２が互いに離間又は近接する方向に延び、フロントドア２ｂ（図２参照）に固定され、それぞれ第２ラック２１３が取り付けられた第２液晶パネル１１２の上縁又は下縁をスライド自在に支持する。
【００９５】
図７は、図６（ａ）におけるＡＡ’断面図である。図７に示すように、第２駆動部２２０は、ベース部２２１と、第３ラック２２２と、第３ピニオン２２３と、第３ガイド２２４と、を備える。ベース部２２１は、第３液晶パネル１１３の背面側に配置され、第３液晶パネル１１３を支持する。第３ラック２２２は、ベース部２２１の下縁にそれぞれ取り付けられ、前面背面方向に延びている。第３ピニオン２２３は、第３ラック２２２と係合し、モータ２３０（図３参照）の駆動により回転する。第３ガイド２２４は、前面背面方向に延び、フロントドア２ｂに固定され、第３液晶パネル１１３を支持するベース部２２１の下縁をスライド自在に支持する。
【００９６】
モータ２３０（図３参照）は、副制御回路１０１（図５参照）に制御された駆動制御基板７８（図３参照）により駆動し、一対の第１ピニオン２１２、一対の第２ピニオン２１４及び第３ピニオン２２３を同期させて回転させる。
【００９７】
駆動制御手段の一例である副制御回路１０１（図５参照）は、主制御回路９１（図４参照）から送信されるコマンド信号に基づいて演出内容を決定し、決定した演出内容に応じて、複数のモータ２３０（図３参照）をそれぞれの所定方向に回転駆動して、一対の第１ピニオン２１２、一対の第２ピニオン２１４及び第３ピニオン２２３を同期させて回転させる。なお、副制御回路１０１は、予め設定された演出内容に応じたステップ数だけモータ２３０（図３参照）を駆動してもよいし、第１駆動部２１０及び第２駆動部２２０にフォトセンサを設けた場合にはこのフォトセンサから送信された信号に基づき、第１液晶パネル１１１、第２液晶パネル１１２及び第３液晶パネル１１３の位置を検出し、検出した位置に応じてモータ２３０を駆動してもよい。このように、フォトセンサによる位置検出を踏まえてから各液晶パネルを移動させることで、駆動機構に不具合が生じた場合等において移動時に液晶パネルが衝突し破損することを防止できる。具体例としては、第１液晶パネル１１１と第２液晶パネル１１２を近接位置から離間位置に移動させた後に、第３液晶パネル１１３を前進させる演出が決定された場合、ピニオンとラックの係合の不具合やいずれかのモータ２３０の不具合等により、第１液晶パネル１１１、第２液晶パネル１１２が離間位置に移動できず、フォトセンサが第１液晶パネル１１１と第２液晶パネル１１２が近接位置にあることを検知したときは、液晶パネルの衝突を回避するため、第３液晶パネル１１３を前進させるためのモータ駆動を行わないように制御する。更に、こうした不具合が発生した場合は、遊技者や店員に気づかせるように、トラブルが起きた旨のメッセージを液晶表示装置１１に表示したり、スピーカ２３Ｌ，Ｒから注意喚起の音声を流したりすることで、遊技者が不測の損害を被らないようにすることが望ましい。
【００９８】
［駆動制御］
次に、駆動装置２００による液晶表示装置１１の動作について説明する。例えば、液晶表示装置１１は、初期状態において、図６（ａ）に示すように、第１液晶パネル１１１及び第２液晶パネル１１２は、互いに近接した状態で配置されている。この状態において、副制御回路１０１（図５参照）は、主制御回路９１（図４参照）から送信されるコマンド信号に基づき決定した演出内容に応じて、複数のモータ２３０をそれぞれの所定方向に回転駆動する。これにより、一対の第１ラック２１１と係合する一対の第１ピニオン２１２、一対の第２ラック２１３と係合する一対の第２ピニオン２１４及び第３ラック２２２と係合する第３ピニオン２２３が同期して回転する。すると、一対の第１ラック２１１が取り付けられた第１液晶パネル１１１は、その上縁及び下縁が一対の第１ガイド２１５に支持され、第２液晶パネル１１２から離れる方向に移動する。また、一対の第２ラック２１３が取り付けられた第２液晶パネル１１２は、その上縁及び下縁が一対の第２ガイド２１６に支持され、第１液晶パネル１１１から離れる方向に移動する。そして、第１液晶パネル１１１及び第２液晶パネル１１２は、互いの間隔が第３液晶パネル１１３の幅より広い間隔に離間する。また、第３ラック２２２が取り付けられたベース部２２１に支持される第３液晶パネル１１３は、背面から前面方向に移動し、その表示領域１１ａが第１液晶パネル１１１及び第２液晶パネル１１２の表示領域１１ａと略同一平面上に配置される。その後、副制御回路１０１は、一対の第１ピニオン２１２及び一対の第２ピニオン２１４を回転させるモータ２３０をそれぞれの所定方向と反対方向に回転駆動する。すると、一対の第１ラック２１１が取り付けられた第１液晶パネル１１１と、一対の第２ラック２１３が取り付けられた第２液晶パネル１１２とは、それぞれ第３液晶パネル１１３に近接する方向に移動し、第１液晶パネル１１１、第２液晶パネル１１２及び第３液晶パネル１１３が合体し、図６（ｂ）に示す状態となる。なお、「合体」とは、全体として一体的な印象を与える程度に近接している状態であれば足りる。例えば、液晶パネルの損傷を防ぐために、接近時において各液晶パネルの間に隙間があったとしても、「合体」に含まれる。
【００９９】
このように、副制御回路１０１（図５参照）は、第１駆動手段により第１表示手段及び第２表示手段を互いに離間させる方向に移動させ、第２駆動手段により第３表示手段を前面側に移動させ第１表示手段及び第２表示手段の間に配置させる駆動制御手段の一例として機能する。また、副制御回路１０１は、第１駆動手段により第１表示手段及び第２表示手段を互いの間隔が第３表示手段の幅より広い間隔に離間させ、第２駆動手段により第３表示手段を前面側に移動させ第１表示手段及び第２表示手段の間に配置させた後に、第１駆動手段により第１表示手段及び第２表示手段を第３表示手段に近接させる方向に移動させる駆動制御手段の一例として機能する。
【０１００】
［表示制御］
次に、副制御回路１０１による液晶表示装置１１の表示制御について説明する。図８は、本発明の第１実施形態に係る液晶表示装置における演出画像の一例を示す図である。図８（ａ）は第３液晶パネルが第１液晶パネル及び第２液晶パネルの背面側に配置された状態を示し、図８（ｂ）は第３液晶パネルが第１液晶パネル及び第２液晶パネルと同一平面上に配置された状態を示している。
【０１０１】
例えば、液晶表示装置１１は、初期状態において、図８（ａ）に示すように、第１液晶パネル１１１及び第２液晶パネル１１２は、互いに近接した状態で配置されている。この状態において、副制御回路１０１（図５参照）は、主制御回路９１（図４参照）から送信されるコマンド信号に基づき決定した演出内容に応じて、第１液晶パネル１１１及び第２液晶パネル１１２の表示領域１１ａを１つの画面とした演出画像を、当該表示領域１１ａに表示する制御を行う。例えば、図８（ａ）に示す例では、副制御回路１０１は、第１液晶パネル１１１及び第２液晶パネル１１２の表示領域１１ａを１つの画面とした演出画像として、第１液晶パネル１１１及び第２液晶パネル１１２の表示領域１１ａにそれぞれ表示したキャラクタ画像が互いに近寄っていく画像を、当該表示領域１１ａに表示する。
【０１０２】
そして、副制御回路１０１（図５参照）は、主制御回路９１（図４参照）から送信されるコマンド信号に基づき決定した演出内容に応じて、駆動装置２００（図６参照）の複数のモータ２３０をそれぞれの所定方向に回転駆動させるタイミングで、第１液晶パネル１１１、第２液晶パネル１１２及び第３液晶パネル１１３の表示領域１１ａを１つの画面とした演出画像を、当該表示領域１１ａに表示する制御を行う。例えば、図８（ｂ）に示す例では、副制御回路１０１は、第１液晶パネル１１１、第２液晶パネル１１２及び第３液晶パネル１１３の表示領域１１ａを１つの画面とした演出画像として、第１液晶パネル１１１、第２液晶パネル１１２及び第３液晶パネル１１３の表示領域１１ａにそれぞれ別のキャラクタ画像を、当該表示領域１１ａに表示する。これにより、第１液晶パネル１１１及び第２液晶パネル１１２に表示したキャラクタ画像が、液晶パネルごと互いに離間し、その間に、別のキャラクタ画像を表示した第３液晶パネル１１３が背面側から挿入される演出が可能となり、１つの液晶パネルにおける画像として表示した場合に比べ、演出性が向上する。このように、副制御回路１０１は、液晶表示装置１１の表示制御と駆動装置２００の駆動制御を互いに関連付けた演出を制御することで、演出性を向上できる。
【０１０３】
なお、図８（ａ）及び（ｂ）からなる一連の演出の実行例としては、スタートレバー１６の操作時に図８（ａ）のようにキャラクタ画像が表示され、ストップスイッチ１７Ｌ,１７Ｃ,１７Ｒの操作に応じて、キャラクタが近づいていき、２人がくっつけばボーナス報知であり、途中で図８（ｂ）のように第３液晶パネル１１３に表示されたキャラクタに邪魔されてしまった場合はハズレ報知というものが挙げられる。また、一旦、ハズレ報知と見せかけて、その後に第１液晶パネル１１１と第２液晶パネル１１２のキャラクタが第３液晶パネル１１３を押し戻すようなアクションをして、第３液晶パネル１１３が奥に収容されて当たり報知となるようないわゆる復活パターンを設けて、意外性を高めるものとしてもよい。また、ボーナス報知だけでなく、ボーナスやＡＲＴの当選や前兆の期待度示唆、小役報知や示唆、遊技状態の有利度合いを示唆するものとしてもよい。また、スタートレバー１６やストップスイッチ１７Ｌ,１７Ｃ,１７Ｒ以外にも、ＭＡＸＢＥＴボタン１４によるベット操作時や、ベット操作時以外にＭＡＸＢＥＴボタン１４を演出用操作手段として用いる場合に、演出用操作として該ボタンを操作したことに基づいて上記演出を実行するものであってもよく、操作と表示装置による演出を連動させることで遊技の興趣を高めるものとしてもよい。この際、第１液晶パネル１１１及び第２液晶パネル１１２に駆動手段があることを活かし、演出が進む際に、各液晶パネルを近接態様のままで左右に若干動かす等の動作演出を行うことで、演出効果を高めるものとしてもよい。また、一方の液晶パネルのみを図８（ｂ）ほど離間しない程度の位置で左右に動かしてもよく、この場合左より右の液晶パネルが動けば期待度がより高まる等、動作態様と期待度に関連付けがされたものであるとより遊技の興趣が高まる。また、図８（ａ）の近接位置、わずかに離間した第１離間位置、更に離間した第２離間位置、図８（ｂ）のように完全に離間した第３離間位置、というようにそれぞれ又は各パネルについて段階的に位置を設定可能として、離間距離のステップアップ演出を行うものとしてもよい。また、上記の例では、第３液晶パネル１１３が出現した場合にハズレ報知としたが、逆に第３液晶パネルが出現することで、遊技者に有利な状態を報知するものであってもよい。この場合は、第１液晶パネル１１１と第２液晶パネル１１２が離間するか否かのあおり動作、離間後に第３液晶パネル１１３が前進するか否かのあおり動作を演出に盛り込むと、より表示装置の動作による演出の興趣が高まる。また、図８においては図示していないが、当該演出の際に、第１液晶パネル１１１、第２液晶パネル１１２の背景で演出の成功期待度を示唆してもよい。例えば、昼背景と夜背景があり、夜背景の方が成功期待度が高い等という演出が考えられる。
【０１０４】
図９及び図１０は、本発明の第１実施形態に係る液晶表示装置における演出画像の一例を示す図である。図９に示すように、後に第３液晶パネル１１３が出現する領域（図６（ａ）の点線で示す第３特殊形状部１１３ａと第４特殊形状部１１３ｂにより区画される領域）に相当する、第１液晶パネル１１１と第２液晶パネル１１２の表示領域において、第３液晶パネル１１３に表示される演出を示唆する画像を表示してもよい。図９に示す例では、第１液晶パネル１１１の少年キャラクタと、第２液晶パネル１１２の少女キャラクタの間に、後に出現する第３液晶パネル１１３に表示される別のキャラクタのシルエット画像を表示し、その後各液晶パネルが移動して図８（ｂ）に示す状態に変化することで、シルエット表示されていた別のキャラクタが第３液晶パネルと共に登場することになり、複数の液晶画面を用いた演出の興趣を高めることができる。また、図１０に示すように、第１液晶パネル１１１及び第２液晶パネル１１２を透過液晶とした場合に、近接状態の第１液晶パネル１１１及び第２液晶パネル１１２の背景として、第３液晶パネル１１３の表示を用いることもできる。例えば、図１０に示す例では、第１液晶パネル１１１の少年キャラクタと、第２液晶パネル１１２の少女キャラクタの間の部分について第１液晶パネル１１１と第２液晶パネル１１２を背面が視認可能な表示状態として、その背面側に待機している第３液晶パネル１１３にキャラクタ画像や背景画像等（例えば、第１液晶パネル１１１と第２液晶パネル１１２との隙間から、別のキャラクタの目が光っているような画像等）を表示することも可能である。この場合、遊技者は手前側の第１液晶パネル１１１と第２液晶パネル１１２および、奥側の第３液晶パネル１１３の表示を同時に見ることができる。このような使い方をした場合は、液晶パネルが前後方向に二重になっている構造を活かした、奥行きのある画像表示が可能となり、演出の興趣を高めることができる。
【０１０５】
このように、副制御回路１０１（図５参照）は、第１表示手段及び第２表示手段が互いに近接した状態では、第１表示手段及び第２表示手段の表示領域を１つの画面とした演出画像を表示制御し、第１表示手段及び第２表示手段の間に第３表示手段が配置された状態では、第１表示手段、第２表示手段及び第３表示手段の表示領域を１つの画面とした演出画像を表示制御する表示制御手段の一例として機能する。
【０１０６】
図１１は、本発明の第１実施形態に係る液晶表示装置における演出画像の一例を示す図である。副制御回路１０１（図５参照）は、表示手段としての複数の液晶パネルにおいて、複数の液晶パネルに跨がる演出画像と、１つの液晶パネルで完結する演出画像を、混在させる表示制御を行う。この場合、副制御回路１０１（図５参照）は、液晶パネルにおいて、複数の液晶パネルに跨がる演出画像又は１つの液晶パネルで完結する演出画像のいずれを表示するかの分岐となる分岐領域１１ａ’を、表示制御する。副制御回路１０１は、分岐領域１１ａ’を、例えば、屈曲又は屈折した形状の特殊形状部における所定の辺に沿って設定する。なお、副制御回路１０１は、分岐領域１１ａ’を、１つの液晶パネル内にのみ設定してもよいし、複数の液晶パネルに跨がって設定してもよい。このように、特殊形状部における所定の辺に沿って画像を表示することで、パネル形状の面白さを活かした演出が可能となり、従来の屈曲部を持たない液晶パネルではなしえない演出が可能となり、遊技の興趣を高めることができる。
【０１０７】
具体的には、図１１に示す例において、副制御回路１０１（図５参照）は、第１液晶パネル１１１に花火を打ち上げるキャラクタ画像を表示するとともに、第１特殊形状部１１１ａの所定の辺に沿って、分岐領域１１ａ’として障害物を示す画像を表示制御する。そして、副制御回路１０１は、第２液晶パネル１１２の方に向かって、キャラクタが花火玉を打ち上げる画像を表示制御し、この打ち上げられた花火玉の画像の経路に分岐領域１１ａ’が設定されていなければ、複数の液晶パネルに跨がる演出画像として、花火玉が第２液晶パネル１１２に届き、花火となる画像を表示制御する。一方、副制御回路１０１は、打ち上げられた花火玉の画像の経路に分岐領域１１ａ’が設定されていた場合には、１つの液晶パネルで完結する演出画像として、障害物を示す画像が表示されている分岐領域１１ａ’において、この花火玉の画像が第１液晶パネル１１１内に戻される画像を表示制御する。これにより、複数の液晶パネルがあっても、１つの液晶パネルで演出画像が完結してしまう演出と、複数の液晶パネルに演出画像が広がる演出とを組み合わせることが可能となり、演出の多様性を向上できる。
【０１０８】
図１２は、本発明の第１実施形態に係る液晶表示装置における演出画像の一例を示す図である。図１１に示す例では、上部・中部・下部の３筒所に障害物を示す画像を表示したが、図１２に示すように、いずれか１つ（図１２に示す例では中部）又は２つを表示させるパターンを有してもよい。本演出は、打ち上げた花火玉が障害物に跳ね返されずに液晶パネル１１２に届き花火となれば成功となるものである。障害物を示す画像の表示パターンにより期待度を示唆することもできる。ここで、図１１に示されている通り、液晶パネルにおける特殊形状部の辺の長さに応じて分岐領域１１ａ’の大きさを決定しており、上部と下部の分岐領域１１ａ’は縦に長く、中部の分岐領域１１ａ’は縦に短いものである。そのため、上部と下部には障害物を示す画像（長）が、中部には障害物を示す画像（短）が表示される態様となる。例えば、３つ全ての障害物を示す画像が表示される場合は、成功期待度数低、障害物を示す画像（長）が２つ表示される場合は、成功期待度低、障害物を示す画像（長）が１つ、障害物を示す画像（短）が１つの場合は成功期待度中、障害物を示す画像（長）が１つのみの場合は、成功期待度高、障害物を示す画像（短）が１つのみの場合は、成功期待度激高、障害物を示す画像が一切ない場合は、成功確定等演出と期待度のバリエーションを持たせることもできる。この場合は、液晶パネルにおける特殊形状部の大きさに合わせた画像が、期待度に影響することで、遊技者は演出発生時に特殊形状部に注目することとなり、従来にない形状を活かした斬新な期待感演出の効果が高まることとなる。また、これにより遊技の興趣を高める効果がある。
【０１０９】
図１３は、本発明の第１実施形態に係る液晶表示装置における演出画像の一例を示す図である。また、特殊形状部を有する一つの液晶パネルにおいて、特殊形状部の一辺の延長線上に区切り線を表示し、この区切り線により、表示領域を第１領域と第２領域に分割し、第１領域と第２領域とにおいて、別の液晶パネルに表示された画像と関連する画像であり、互いに異なる画像を表示してもよい。例えば、図１３に示す例では、第１液晶パネル１１１に花火を打ち上げる少年キャラクタが表示され、第２液晶パネル１１２において、第２特殊形状部１１２ａの一辺の延長線上に区切り線１１ｂ’が表示され、この区切り線１１ｂ’により、表示領域１１ａを第１領域（図１３中上部）と第２領域（図１３中下部）に分割し、第１領域に第１液晶パネル１１１に表示された少年キャラクタが打ち上げた花火の画像が表示され、第２領域に当該少年キャラクタを見守る少女キャラクタが表示されている。このように、第１領域と第２領域の区切り線を特殊形状部の一辺の延長線上に表示することで、液晶パネルの形状と表示態様に関連性を持たせ、目新しい演出を行うことができる。また、１つの液晶パネルにおいて、複数種類の画像を表示する際に、画像の区切り表示を液晶パネルの形状に応じたものとすることで、斬新な印象を与える演出が可能となる。
【０１１０】
また、副制御回路１０１（図５参照）は、複数の液晶パネルに跨がって、１つのキャラクタ画像を表示制御してもよい。また、副制御回路１０１は、例えば、第１液晶パネル１１１に表示したキャラクタが、第２液晶パネル１１２や第３液晶パネル１１３に飛び移るような、ある液晶パネルに表示された演出画像が、他の液晶パネルに表示される演出画像に波及する表示制御を行ってもよい。また、副制御回路１０１は、ある液晶パネルと他の液晶パネルにそれぞれ別々のキャラクタを表示制御する場合、これらの液晶パネルの境となる特殊形状部に沿って、屈曲又は屈折した形状の特殊形状部に合わせた演出画像（例えば、蛇行した川や、折れ曲がった柱等）を表示制御することで、別々のキャラクタを直線的な形状の演出画像で隔てた場合に比べ、多様な表現が可能となり、演出性が向上する。また、副制御回路１０１は、第３液晶パネル１１３を背面から前面方向に移動制御するタイミングに合わせ、第３液晶パネル１１３にキャラクタが水中から浮き上がってくる演出画像を表示制御したり、第３液晶パネル１１３を前面から背面方向に移動制御するタイミングに合わせ、第３液晶パネル１１３にキャラクタが穴に落下する演出画像を表示制御したりすることで、画像演出のみでなく、物理的に移動させることが可能となるので、演出の現実味が向上し、演出効果が向上する。また、副制御回路１０１は、上記の各種演出を１ゲームのみで完了するだけでなく、複数のゲームに亘って、上記の各種演出を完了してもよい。このように、副制御回路１０１は、複数の液晶パネルにおいて、多様な態様の演出画像を表示制御することができる。
【０１１１】
図１４は、本発明の第１実施形態に係る液晶表示装置の別例１を示す図である。別例１の液晶表示装置１１は、特殊形状部（例えば、図１４に示す例では、第１特殊形状部１１１ａ及び第２特殊形状部１１２ａ）に、特殊形状部の屈曲又は屈折した形状を強調する強調部（例えば、図１４に示す例では、第１強調部１１１ｃ及び第２強調部１１２ｃ）が設けられている。強調部は、例えば、特殊形状部に沿って塗布された塗料（蛍光色等の目立つ色が望ましい。）や、突起物等で形成されている。また、この強調部には、更に、ＬＥＤ２５（図３参照）が埋め込まれた発光部（例えば、図１４に示す例では、第１発光部１１１ｄ及び第２発光部１１２ｄ）を設けてもよい。液晶表示装置１１にこのような発光部が設けられていた場合、副制御回路１０１は、液晶表示装置１１の移動制御にともない、発光部を発光させ、更に、移動する発光部を強調する強調画像（例えば、エフェクト発光等）を、液晶パネル（例えば、図１４に示す例では、第１液晶パネル１１１及び第２液晶パネル１１２）に表示制御してもよい。これにより、特殊形状部の形状を強調し、遊技者の印象を深めることが可能となる。なお、強調部はフレーム状とすることで液晶パネル同士が接近する際の保護部材としての役割を兼用するものであってもよい。また、発光部を設ける場合に、発光部への配線で液晶パネルの表示に影ができないように強調部の側面や、フレーム状の強調部の裏面等に配線を保持する構造とすることで、配線による液晶演出の視認性低下を抑制することができる。
【０１１２】
図１５は、本発明の第１実施形態に係る液晶表示装置の別例２を示す図である。別例２の液晶表示装置１１は、特殊形状部（例えば、図１５に示す例では、第１特殊形状部１１１ａ及び第２特殊形状部１１２ａ）の形状が所定のモチーフ（例えば、図１５に示す例では、稲妻）を模した形状に形成されている。副制御回路１０１は、液晶表示装置１１において、特殊形状部の形状に応じた演出画像を表示制御する。例えば、図１５に示す例では、副制御回路１０１は、第１液晶パネル１１１及び第２液晶パネル１１２を互いに離間する方向の移動にともない、第３液晶パネル１１３に、比較的明度の高い画像を表示制御することで、この比較的明度の高い画像が、稲妻の形状を模した第１特殊形状部１１１ａ及び第２特殊形状部１１２ａに縁取られ、稲光するような演出が可能となる。これにより、前面側に配置された液晶パネルの特殊形状部の形状と、背面側に配置された液晶パネルに表示された演出画像を組み合わせることで、新たな演出効果を奏することが可能となる。
【０１１３】
＜第１実施形態の変形例に係る遊技機（パチンコ）＞
本発明は、第１実施形態の変形例に係る遊技機（パチンコ）にも適用可能である。図１６は、本発明の第１実施形態の変形例に係る遊技機（パチンコ）の外観を示す斜視図である。図１６に示すように、第１実施形態の変形例に係るパチンコ機１’は、駆動装置２００により、第１液晶パネル１１１及び第２液晶パネル１１２を互いに離間又は近接させる方向に移動可能であり、第３液晶パネル１１３を、第１液晶パネル１１１及び第２液晶パネル１１２の背面側から前面側に移動させ、第１液晶パネル１１１及び第２液晶パネル１１２の間に配置可能な液晶表示装置１１を備える。本遊技機（パチンコ）は、遊技媒体（遊技球）が流下する遊技領域の略中央にセンター役物（不図示）を備え、該センター役物の開口部を通して液晶表示装置１１が視認可能な構成となっている。また、遊技媒体が流下する遊技板を透明樹脂製とし、液晶表示装置１１を該遊技板の後面側に配置することが望ましい。この場合は、センター役物の開口の大きさを超える範囲で各液晶パネルの移動を行ったとしても、液晶表示装置１１の一部が透明遊技板越しに、遊技者から視認可能となるため、本発明に係る表示手段の移動演出を大きな移動距離で行うことができ、迫力のある移動演出が可能な遊技機を提供できる。なお、遊技板全体を樹脂製とするものだけでなく、木製遊技板を一部採用した上で、液晶パネルの移動に係る部分のみ視認性を担保するために、透明樹脂製の板状パーツを組み合わせて遊技板とする構造としても同様の効果を奏することができる。また、変形例として第１液晶パネル１１１及び第２液晶パネル１１２の外周形状をセンター役物の開口部の形状に合わせた形状（曲線形状等）として、遊技機の装飾効果を高めるものとしてもよい。更に、演出用の可動装飾体を備え、液晶パネルの移動演出の際に可動装飾体を動かすことで、演出の興趣を高めるものであってもよい。この場合に、可動装飾体に関連する画像を液晶パネルに表示する演出や、液晶パネルと可動装飾体を合わせて所定形状を形作る演出を備えるものとしてもよい。
【０１１４】
図１７は、本発明の第１実施形態の変形例に係る遊技機（パチンコ）の主制御回路及び副制御回路の構成を示すブロック図である。パチンコ機１’は、遊技の進行を制御する制御手段としての主制御部３０がメインＣＰＵ３１等を備え、この主制御部３０に、特別図柄表示装置３１０、普通図柄表示装置３１１、特別図柄保留表示装置３１２、普通図柄保留表示装置３１３、カウントセンサ３１４、一般入賞球センサ３１５、通過球センサ３１６、始動入賞球センサ３１７、普通電動役物ソレノイド３１８、大入賞口ソレノイド３１９、バックアップクリアスイッチ３２０、払出・発射制御回路５００、払出装置５１０、発射装置５２０等が接続されている。また、パチンコ機１’は、主制御部３０からコマンドが送信される副制御部８０がサブＣＰＵ８１、プログラムＲＯＭ８２、ワークＲＡＭ８３、表示制御回路４１０、音声制御回路４２０、ＬＥＤ制御回路４３０、駆動制御回路４４０等を備える。表示制御回路４１０には、液晶表示装置１１が接続されている。駆動制御回路４４０には、駆動装置２００のモータ２３０が接続されている。
【０１１５】
副制御部８０は、上述の副制御回路１０１（図５参照）と同様の駆動装置２００の制御により、第１液晶パネル１１１（図１６参照）及び第２液晶パネル１１２（図１６参照）を互いに離間又は近接させる方向に移動させ、第３液晶パネル１１３（図１６参照）を、第１液晶パネル１１１及び第２液晶パネル１１２の背面側から前面側に移動させ、第１液晶パネル１１１及び第２液晶パネル１１２の間に配置させる。
【０１１６】
また、副制御部８０は、上述の副制御回路１０１（図５参照）と同様の制御により、第１液晶パネル１１１（図１６参照）及び第２液晶パネル１１２（図１６参照）が互いに近接した状態では、第１液晶パネル１１１及び第２液晶パネル１１２の表示領域を１つの画面とした演出画像を表示制御し、第１液晶パネル１１１及び第２液晶パネル１１２の間に第３液晶パネル１１３（図１６参照）が配置された状態では、第１液晶パネル１１１、第２液晶パネル１１２及び第３液晶パネル１１３の表示領域を１つの画面とした演出画像を表示制御する。
【０１１７】
第１実施形態によれば、以下の作用効果を奏する。パチスロ機１又はパチンコ機１’によれば、第１液晶パネル１１１及び第２液晶パネル１１２を互いに近接させて演出画像を表示させている状態から、第１液晶パネル１１１及び第２液晶パネル１１２を互いに離間させ、これらの間に第３液晶パネル１１３を配置することで、画面を拡大させ、拡大させた画面において演出画像を表示できる。したがって、印象深い演出画像の表示を行うことが可能な遊技機を提供できる。
【０１１８】
また、パチスロ機１又はパチンコ機１’によれば、第１液晶パネル１１１及び第２液晶パネル１１２を、一旦、第３液晶パネル１１３の幅より広い間隔に離間させ、第３液晶パネル１１３を第１液晶パネル１１１及び第２液晶パネル１１２の間に配置させてから、第１液晶パネル１１１及び第２液晶パネル１１２を第３液晶パネル１１３に近接させる方向に移動させることが可能となる。よって、第１液晶パネル１１１及び第２液晶パネル１１２から成る画面から、第１液晶パネル１１１、第２液晶パネル１１２及び第３液晶パネル１１３から成る画面に拡大する動作において、動作の溜めを設けることが可能となり、演出画像に対して遊技者の意識を惹きつけることが可能となる。したがって、より印象深い演出画像の表示を行うことが可能な遊技機を提供できる。
【０１１９】
また、パチスロ機１又はパチンコ機１’によれば、第１液晶パネル１１１及び第２液晶パネル１１２から成る画面から、第１液晶パネル１１１、第２液晶パネル１１２及び第３液晶パネル１１３から成る画面に拡大する動作において、第１液晶パネル１１１及び第２液晶パネル１１２が互いに離間する動作にともない、互いに組み合わされた第１特殊形状部１１１ａと第２特殊形状部１１２ａが互いに離間する演出が可能となる。そして、その後、第１液晶パネル１１１及び第２液晶パネル１１２の間に第３液晶パネル１１３を配置する動作にともない、第１特殊形状部１１１ａと第３特殊形状部１１３ａとが組み合わされ、第２特殊形状部１１２ａと第４特殊形状部１１３ｂとが組み合わされる演出が可能となる。よって、第１液晶パネル１１１と第２液晶パネル１１２とが分離する印象や、第１液晶パネル１１１、第２液晶パネル１１２及び第３液晶パネル１１３とが合体する印象が向上し、演出画像に対して遊技者の意識を惹きつけることが可能となる。したがって、より印象深い演出画像の表示を行うことが可能な遊技機を提供できる。
【０１２０】
なお、本発明は、上述した実施形態及び変形例に限定されるものではない。例えば、第１実施形態においては、第１液晶パネル１１１及び第２液晶パネル１１２が互いに近接した状態の表示領域１１ａをスクエア画面相当の大きさとし、第３液晶パネル１１３が第１液晶パネル１１１及び第２液晶パネル１１２の間に配置された状態の表示領域１１ａをワイド画面相当の大きさとしている。しかしながら、本発明における、第１液晶パネル１１１、第２液晶パネル１１２及び第３液晶パネル１１３の大きさは任意の大きさとすることができる。例えば、第１液晶パネル１１１及び第２液晶パネル１１２が互いに近接した状態の表示領域１１ａをワイド画面相当の大きさとしてもよい。この場合、補助パネル１１１ｂ及び補助パネル１１２ｂを省略することができる。
【０１２１】
また、第１実施形態において、第１液晶パネル１１１、第２液晶パネル１１２及び第３液晶パネル１１３は、第１特殊形状部１１１ａ、第２特殊形状部１１２ａ、第３特殊形状部１１３ａ及び第４特殊形状部１１３ｂが形成された側縁以外の側縁は直線形状としているが、これに限らず、これらの側縁も任意の形状としてもよい。
【０１２２】
また、第１実施形態において、第１液晶パネル１１１の上縁及び下縁に一対の第１ラック２１１を取り付け、第２液晶パネル１１２の上縁及び下縁に一対の第２ラック２１３を取り付け、それぞれ駆動力を付与しているが、これに限らず、第１液晶パネル１１１や第２液晶パネル１１２の上縁又は下縁のいずれか一方のみに駆動力を付与する構成としてもよい。また、駆動装置２００は、第１液晶パネル１１１、第２液晶パネル１１２及び第３液晶パネル１１３を移動できれば、任意の構成とすることができる。
【０１２３】
（第２実施形態）
＜パチスロ機の機能フロー＞
本発明の第２実施形態を示す遊技機であるパチスロ機について説明する。なお、以下の第２実施形態の説明において、第１実施形態と同様の構成については説明を省略する。はじめに、図１８を参照して、遊技機の第２実施形態に係る機能フローについて説明する。第２実施形態に係る機能フローは、一連の流れの中で、液晶表示装置、側面液晶表示装置等の画像表示装置により行う映像の表示、駆動装置による側面液晶表示装置の駆動、各種ランプにより行う光の出力、スピーカにより行う音の出力、あるいはこれらの組合せを利用して様々な演出が行われる点が、第１実施形態に係る機能フロー（図１参照）と異なる。
【０１２４】
＜パチスロ機の構造＞
次に、図１９を参照して、第２実施形態におけるパチスロ機の外観構造について説明する。第２実施形態のパチスロ機１Ａは、第１実施形態の液晶表示装置１１及び駆動装置２００（図２参照）とは、異なる液晶表示装置１１Ａ、側面液晶表示装置１２及び駆動装置２００Ａを備える。
【０１２５】
［外観構造］
図１９は、パチスロ機１Ａの外部構造を示す斜視図である。図１９に示すように、パチスロ機１Ａにおいて、液晶表示装置１１Ａは、例えば、前面側（パチスロ機１Ａの正面側であり、遊技者に対向する面）に形成された第１表示領域１１ａに遊技上の演出に係る画像や遊技に関する情報を表示するようフロントドア２ｂのドア本体９の上部に取り付けられている。液晶表示装置１１Ａは、映像の表示による演出を実行する他、例えば遊技機のカスタマイズや遊技履歴等の遊技台情報を表示することができる。また、液晶表示装置１１Ａには、遊技場の管理者の操作に応じて、ホールメニューが表示される。この場合、液晶表示装置１１Ａをタッチパネルで構成し、ホールメニューにおいて、管理者が操作可能なボタン等を表示することができる。
【０１２６】
側面液晶表示装置１２は、一対で設けられ、前面側（パチスロ機１Ａの正面側であり、遊技者に対向する面）に形成された第１表示領域１１ａとは異なる方向（例えば、前面背面方向と直交する方向）に向けられた第２表示領域１２ａに遊技上の演出に係る画像や遊技に関する情報を表示する。また、一対の側面液晶表示装置１２は、液晶表示装置１１Ａの互いに対向する側縁（例えば、前面側から視て左右の側縁）近傍であって、フロントドア２ｂのドア本体９の前面側側縁近傍に、それぞれ取り付けられている。
【０１２７】
また、フロントドア２ｂの前面側側縁近傍には、側面液晶表示装置１２が挿通する側面液晶表示装置用開口部２ｄが形成されている。そして、詳細は後述するが、側面液晶表示装置１２は、フロントドア２ｂ内に収容された状態から、フロントドア２ｂの内部に設けられた駆動装置２００Ａにより、側面液晶表示装置用開口部２ｄを挿通し、第２表示領域１２ａの所定方向の側縁（例えば、前面側の側縁）側から、フロントドア２ｂの外方に突出する。一対の側面液晶表示装置１２の第２表示領域１２ａは、フロントドア２ｂの外方に突出した状態において、第１表示領域１１ａを挟んで互いに対向するように配置され、フロントドア２ｂの前面側で遊技する遊技者が視認可能である。また、側面液晶表示装置１２は、映像の表示による演出を実行する他、例えば遊技機のカスタマイズや遊技履歴等の遊技台情報を表示することができる。また、側面液晶表示装置１２には、遊技場の管理者の操作に応じて、ホールメニューが表示される。この場合、側面液晶表示装置１２をタッチパネルで構成し、ホールメニューにおいて、管理者が操作可能なボタン等を表示することができる。なお、側面液晶表示装置１２は、少なくとも一部がフロントドア２ｂ内に収容されていればよく、例えば、フロントドア２ｂ内に収容された状態において、先端部分の一部がフロントドア２ｂから突出していてもよい。
【０１２８】
ストップボタン１７Ｌ，１７Ｃ，１７Ｒは、液晶表示装置１１Ａや側面液晶表示装置１２に表示される情報に関する操作を行う際に用いられるようになっており、例えば、液晶表示装置１１Ａや側面液晶表示装置１２の表示画面上における選択操作を行う際に用いられる。以下、ストップボタン１７Ｌ，１７Ｃ，１７Ｒを、それぞれ左ストップボタン１７Ｌ、中ストップボタン１７Ｃ、右ストップボタン１７Ｒという。
【０１２９】
選択ボタン及び決定ボタンは、液晶表示装置１１Ａや側面液晶表示装置１２の表示画面上における各種操作を行う際に用いられる。
【０１３０】
＜パチスロ機の電気的構成＞
次に、パチスロ機１Ａの電気的構成について、図２０を参照して説明する。図２０は、パチスロ機１Ａの電気的構成を示すブロック図である。
【０１３１】
２４ｈドア開閉監視ユニット７４は、フロントドア２ｂの開閉の履歴を保存する。また、２４ｈドア開閉監視ユニット７４は、フロントドア２ｂを開放したときに、液晶表示装置１１Ａにエラー表示を行うための信号を副制御基板４２（副制御回路１０１）に出力する。
【０１３２】
駆動制御基板７８は、副制御回路１０１（図５参照）の制御により実行される演出に応じて、駆動装置２００Ａを駆動させる。駆動装置２００Ａは、駆動制御基板７８によって駆動制御されることで後述する側面液晶表示装置１２を移動させる。
【０１３３】
副制御基板４２には、ロムカートリッジ基板７６と、液晶中継基板７７とが接続されている。ロムカートリッジ基板７６は、演出用の画像（映像）、音声、光（ＬＥＤ群２５）、駆動装置２００Ａの駆動及び通信のデータを管理するための基板である。液晶中継基板７７は、副制御基板４２と、液晶表示装置１１Ａ及び側面液晶表示装置１２と、を接続する配線を中継する基板である。
【０１３４】
＜主制御回路＞
主制御基板４１により構成される主制御回路９１は、図４に示す第１実施形態と同様であるので説明を省略する。
【０１３５】
＜副制御回路＞
次に、副制御基板４２により構成される副制御回路１０１について、図５を参照して、第１実施形態と異なる構成について説明する。
【０１３６】
副制御部としての副制御回路１０１は、主制御回路９１と電気的に接続されており、主制御回路９１から送信されるコマンド信号に基づいて演出内容の決定や実行等の処理を行うとともに、図２０に示す液晶表示装置１１Ａ、側面液晶表示装置１２、駆動装置２００Ａ、ＬＥＤ群２５、スピーカ２３Ｌ，２３Ｒ等の周辺装置の制御を行うものである。副制御回路１０１は、基本的に、サブＣＰＵ１０２、サブＲＡＭ１０３、レンダリングプロセッサ１０４、描画用ＲＡＭ１０５、ドライバ１０６を含んで構成されている。
【０１３７】
サブＣＰＵ１０２は、主制御回路９１（図４参照）から送信されたコマンド信号に応じて、ロムカートリッジ基板７６に記憶されている制御プログラムに従い、音、光の出力、液晶表示装置１１Ａ及び側面液晶表示装置１２の表示制御及び駆動装置２００Ａのモータ２５０（図２０参照）の駆動の制御を行う。ロムカートリッジ基板７６は、基本的に、プログラム記憶領域とデータ記憶領域によって構成される。
【０１３８】
プログラム記憶領域には、サブＣＰＵ１０２が実行する制御プログラムが記憶されている。例えば、制御プログラムには、主制御回路９１（図４参照）との通信を制御するための主基板通信タスクや、演出用乱数値を抽出し、演出内容（演出データ）の決定及び登録を行うための演出登録タスクが含まれる。また、決定した演出内容に基づいて液晶表示装置１１Ａ及び側面液晶表示装置１２（図１９参照）による映像の表示を制御する描画制御タスク、駆動装置２００Ａ（図２０参照）による側面液晶表示装置１２の移動を制御する駆動制御タスク、ＬＥＤ群２５（図２０参照）等の光源による光の出力を制御するランプ制御タスク、スピーカ２３Ｌ，２３Ｒによる音の出力を制御する音声制御タスク等が含まれる。このように、副制御回路１０１は、駆動装置２００Ａを駆動制御する駆動制御手段の一例として機能する。
【０１３９】
データ記憶領域は、各種データテーブルを記憶する記憶領域、各演出内容を構成する演出データを記憶する記憶領域、映像の作成に関するアニメーションデータを記憶する記憶領域が含まれている。また、ＢＧＭや効果音に関するサウンドデータを記憶する記憶領域、光の点消灯のパターンに関するランプデータを記憶する記憶領域等が含まれている。
【０１４０】
サブＲＡＭ１０３は、決定された演出内容や演出データを登録する格納領域や、主制御回路９１から送信される内部当籤役等の各種データを格納する格納領域が設けられている。
【０１４１】
サブＣＰＵ１０２、レンダリングプロセッサ１０４、描画用ＲＡＭ（フレームバッファを含む）１０５及びドライバ１０６は、演出内容により指定されたアニメーションデータに従って映像を作成し、作成した映像を液晶表示装置１１Ａに表示させる。また、サブＣＰＵ１０２は、演出内容により指定された駆動データに従って側面液晶表示装置１２（図１９参照）を移動する。
【０１４２】
また、サブＣＰＵ１０２は、演出内容により指定されたサウンドデータに従ってＢＧＭ等の音をスピーカ２３Ｌ，２３Ｒにより出力させる。また、サブＣＰＵ１０２は、演出内容により指定されたランプデータに従ってＬＥＤ群２５の点灯及び消灯を制御する。
【０１４３】
＜側面液晶表示装置及び駆動装置＞
次に、側面液晶表示装置１２及び駆動装置２００Ａについて説明する。図２１及び図２２は、本発明の第２実施形態に係るパチスロ機の側面液晶表示装置及び駆動装置を説明する図である。図２１及び図２２は、本発明の第２実施形態に係るパチスロ機の側面液晶表示装置及び駆動装置の側面図である。図２１は、側面液晶表示装置がフロントドア２ｂ内に収容された状態を示している。図２２は、側面液晶表示装置がフロントドア２ｂの外方に突出した状態を示している。
【０１４４】
［側面液晶表示装置］
側面液晶表示装置１２は、液晶表示装置１１Ａの第１表示領域１１ａとは異なる方向（例えば、第１表示領域１１ａが向けられた前面側に対して直交する方向）に向けられた第２表示領域１２ａに、遊技における演出画像を表示可能である。このような側面液晶表示装置１２は、第１表示手段の第１表示領域とは異なる方向に向けられた第２表示領域に、遊技における演出画像を表示可能な第２表示手段の一例として機能する。
【０１４５】
側面液晶表示装置１２は、図２１に示すフロントドア２ｂ内に収容された状態から、駆動装置２００Ａにより、フロントドア２ｂの側面液晶表示装置用開口部２ｄから、第２表示領域１２ａの所定方向の側縁（例えば、前面側の側縁）側から、フロントドア２ｂの外方に突出し、図２２に示す状態となる。
【０１４６】
また、側面液晶表示装置１２の所定方向の側縁１２ｂ（例えば、前面側の側縁）は、フロントドア２ｂにおける側面液晶表示装置１２が突出する位置である側面液晶表示装置用開口部２ｄが形成された部分の外表面に沿った形状に形成されている。
【０１４７】
また、側面液晶表示装置１２は、フロントドア２ｂの外方に突出する部分が、透光性の素材（例えば、アクリル樹脂やポリカーボネイト等）で形成された保護手段としての保護部材１２１に覆われている。なお、第２実施形態では、保護部材は側面液晶表示装置１２を覆っているが、これに限らず、フロントドア２ｂに直に取り付けるようにしてもよい。
【０１４８】
［駆動装置］
駆動装置２００Ａは、フロントドア２ｂの内部において、一対の側面液晶表示装置１２に対してそれぞれ設けられ、保護部材１２１に覆われた側面液晶表示装置１２を、フロントドア２ｂ内からフロントドア２ｂの外方に突出させ、フロントドア２ｂの外方からフロントドア２ｂ内に収容する。駆動装置２００Ａは、ベース部２１０と、一対のラック２２０と、一対のピニオン２３０と、一対のガイド２４０と、一対のモータ２５０（図２０参照）と、を備える。なお、第２実施形態では、駆動装置２００Ａを構成するモータ２５０を一対として説明したが、これに限らず、例えば、下側のピニオン２３０のみにモータを設け、上側のピニオン２３０と下側のピニオン２３０を連動して作動させる連結機構を設けることで、モータの数を減らして、コストダウンを図るようにしてもよい。
【０１４９】
ベース部２１０は、側面液晶表示装置１２の背面側に配置され、側面液晶表示装置１２を支持する。
【０１５０】
一対のラック２２０は、ベース部２１０の上縁又は下縁にそれぞれ取り付けられ、側面液晶表示装置１２がフロントドア２ｂの内外に移動する方向（前面背面方向）に延びている。一対のピニオン２３０は、一対のラック２２０とそれぞれ係合し、モータ２５０（図２０参照）の駆動により回転する。
【０１５１】
一対のガイド２４０は、側面液晶表示装置１２がフロントドア２ｂの内外に移動する方向（前面背面方向）に延び、フロントドア２ｂに固定され、それぞれ保護部材１２１に覆われた側面液晶表示装置１２の上縁又は下縁をスライド自在に支持する。
【０１５２】
モータ２５０（図２０参照）は、副制御回路１０１（図５参照）に制御された駆動制御基板７８（図２０参照）により駆動し、一対のピニオン２３０を同期させて回転させる。
【０１５３】
駆動制御手段の一例である副制御回路１０１（図５参照）は、主制御回路９１（図４参照）から送信されるコマンド信号に基づいて演出内容を決定し、決定した演出内容に応じて、複数のモータ２５０（図２０参照）をそれぞれの所定方向に回転駆動して、一対のピニオン２３０を同期させて回転させる。なお、副制御回路１０１は、予め設定された演出内容に応じたステップ数だけモータ２５０（図２０参照）を駆動してもよいし、フォトセンサを設けた場合には、このフォトセンサで検出した入力信号に基づき、側面液晶表示装置１２の位置を検出し、検出した位置に応じてモータ２５０を駆動してもよい。
【０１５４】
［駆動制御］
次に、駆動装置２００Ａによる側面液晶表示装置１２の動作について説明する。例えば、側面液晶表示装置１２は、初期状態において、図２１に示すように、フロントドア２ｂ内に収容された状態で配置されている。この状態において、副制御回路１０１（図５参照）は、主制御回路９１（図４参照）から送信されるコマンド信号に基づき決定した演出内容に応じて、複数のモータ２５０をそれぞれの所定方向に回転駆動する。これにより、一対のラック２２０と係合する一対のピニオン２３０が同期して回転する。すると、一対のラック２２０が取り付けられたベース部２１０に支持され、保護部材１２１に覆われた側面液晶表示装置１２は、その上縁及び下縁が一対のガイド２４０に支持されながら、側縁１２ｂ側からフロントドア２ｂの外方に突出し、図２２に示す状態となる。
【０１５５】
副制御回路１０１（図５参照）は、駆動装置２００Ａにより、一対の側面液晶表示装置１２を同期させて、側面液晶表示装置１２をフロントドア２ｂの内外に移動させてもよいし、演出内容に応じていずれか一方の側面液晶表示装置１２のみをフロントドア２ｂの内外に移動させてもよい。
【０１５６】
このように、駆動装置２００Ａは、遊技機内に収容された第２表示手段を、第２表示領域の所定方向の側縁側から、遊技機の外方に突出させる駆動手段の一例として機能する。また、駆動装置２００Ａは、保護手段を、表示手段とともに、遊技機内から遊技機の外方に突出させ、遊技機の外方から遊技機内に収容する駆動手段の一例として機能する。
【０１５７】
ここで、近年、遊技場では、各遊技機間に分煙ボードが設けられている場合がある。また、例えば、遊技機にエラー等が発生した場合、管理者がフロントドア２ｂにドアキーを挿入し開錠し、フロントドア２ｂを開く場合がある。このとき、側面液晶表示装置１２がフロントドア２ｂから突出していた場合、側面液晶表示装置１２が分煙ボードに接触するおそれがある。このため、例えば、副制御回路１０１（図５参照）は、側面液晶表示装置１２がフロントドア２ｂから突出していた状態で、ドアキーがフロントドア２ｂに挿入された場合、フロントドア２ｂの開放を注意する警告を発する制御（例えば、音の発生、発光、画像の表示等）を行ってもよい。また、この場合、副制御回路１０１は、側面液晶表示装置１２をフロントドア２ｂの内部に収容するように移動制御してもよい。また、パチスロ機１Ａは、ドアキーにより開錠可能な施錠機構とは別に、副制御回路１０１の制御により、側面液晶表示装置１２がフロントドア２ｂから突出していた場合、フロントドア２ｂをキャビネット２ａにロックするロック機構を備えてもよい。このようなロック機構は、副制御回路１０１の制御により、側面液晶表示装置１２がフロントドア２ｂ内に収容された場合に、ロックを開錠してもよい。上記のような構成とすることで、側面液晶表示装置１２が突出した状態のままフロントドア２ｂが開放されること防止でき、これにより、側面液晶表示装置１２が分煙ボードや隣に設置された遊技機と衝突し、破損することを防げる。
【０１５８】
［表示制御］
次に、副制御回路１０１による側面液晶表示装置１２の表示制御について説明する。副制御回路１０１（図５参照）は、主制御回路９１（図４参照）から送信されるコマンド信号に基づき決定した演出内容に応じて、駆動装置２００Ａ（図２１参照）の複数のモータ２５０をそれぞれの所定方向に回転駆動させるタイミングで、側面液晶表示装置１２の第２表示領域１２ａに、演出画像を表示する制御を行う。
【０１５９】
副制御回路１０１（図５参照）は、演出内容に応じて、一対の側面液晶表示装置１２の第２表示領域１２ａに、同じ内容の演出画像を表示させてもよいし、互いに異なる演出画像を表示させてもよいし、互いに関連する演出画像を表示させてもよい。また、副制御回路１０１（図５参照）は、演出内容に応じて、側面液晶表示装置１２の第２表示領域１２ａに、液晶表示装置１１Ａの第１表示領域１１ａに表示する演出画像と関連する演出画像を表示させてもよいし、第２表示領域１２ａ及び第１表示領域１１ａを１つの画面とした演出画像を、第２表示領域１２ａ及び第１表示領域１１ａに表示させてもよい。また、副制御回路１０１（図５参照）は、演出内容に応じて、第２表示領域１２ａ及び第１表示領域１１ａに、それぞれ個別の演出画像を表示してもよい。
【０１６０】
このように、副制御回路１０１（図５参照）は、第１表示手段及び第２表示手段を表示制御する表示制御手段の一例として機能する。
【０１６１】
＜第２実施形態の変形例に係る遊技機（パチンコ）＞
本発明は、第２実施形態の変形例に係る遊技機（パチンコ）にも適用可能である。図２３は、本発明の第２実施形態の変形例に係る遊技機（パチンコ）の外観を示す斜視図である。図２３に示すように、第２実施形態の変形例に係るパチンコ機１Ａ’は、前面側（パチンコ機１Ａ’の正面側であり、遊技者に対向する面）に形成された第１表示領域１１ａを有する液晶表示装置１１Ａとは別に、駆動装置２００Ａにより、遊技機枠体内に収容された状態から、遊技機枠体の外方に突出する側面液晶表示装置１２を備える。側面液晶表示装置１２は、一対で設けられ、液晶表示装置１１Ａの第１表示領域１１ａとは異なる方向（例えば、前面背面方向と直交する方向）に向けられた第２表示領域１２ａに遊技上の演出に係る画像や遊技に関する情報を表示する。
【０１６２】
図２４は、本発明の第２実施形態の変形例に係る遊技機（パチンコ）の主制御回路及び副制御回路の構成を示すブロック図である。パチンコ機１Ａ’は、遊技の進行を制御する制御手段としての主制御部３０がメインＣＰＵ３１等を備え、この主制御部３０に、特別図柄表示装置３１０、普通図柄表示装置３１１、特別図柄保留表示装置３１２、普通図柄保留表示装置３１３、カウントセンサ３１４、一般入賞球センサ３１５、通過球センサ３１６、始動入賞球センサ３１７、普通電動役物ソレノイド３１８、大入賞口ソレノイド３１９、バックアップクリアスイッチ３２０、払出・発射制御回路５００、払出装置５１０、発射装置５２０等が接続されている。また、パチンコ機１Ａ’は、主制御部３０からコマンドが送信される副制御部８０がサブＣＰＵ８１、プログラムＲＯＭ８２、ワークＲＡＭ８３、表示制御回路４１０、音声制御回路４２０、ＬＥＤ制御回路４３０、駆動制御回路４４０等を備える。表示制御回路４１０には、液晶表示装置１１Ａ及び側面液晶表示装置１２が接続されている。駆動制御回路４４０には、駆動装置２００Ａのモータ２５０が接続されている。
【０１６３】
副制御部８０は、上述の副制御回路１０１（図５参照）と同様の駆動装置２００Ａの制御により、側面液晶表示装置１２（図２３参照）を遊技機枠体内に収容された状態から、遊技機枠体の外方に突出させる。
【０１６４】
また、副制御部８０は、上述の副制御回路１０１（図５参照）と同様の制御により、側面液晶表示装置１２の第２表示領域１２ａ（図２３参照）に、遊技における演出画像を表示制御する。
【０１６５】
第２実施形態によれば、以下の作用効果を奏する。パチスロ機１Ａ又はパチンコ機１Ａ’によれば、前面側に第１表示領域１１ａが向けられた液晶表示装置１１Ａとは別に設けられ、第１表示領域１１ａとは異なる方向に向けられた第２表示領域１２ａに、遊技における演出画像を表示可能な側面液晶表示装置１２を、所定方向の側縁側から、フロントドア２ｂの外方に突出させる演出が可能となる。即ち、遊技者が前面に向けられた液晶表示装置１１Ａに意識を集中しているときに、あまり意識していないフロントドア２ｂの両側から、側面液晶表示装置１２が突出する意外性を有する演出が可能となる。したがって、意外性を有する演出により、演出効果を向上可能な遊技機を提供できる。
【０１６６】
また、パチスロ機１Ａ又はパチンコ機１Ａ’によれば、側面液晶表示装置１２の所定方向の側縁を、フロントドア２ｂにおける側面液晶表示装置１２が突出する位置の外表面に沿った形状に形成したので、側面液晶表示装置１２は違和感無くフロントドア２ｂ内に収容され、そして、あたかもフロントドア２ｂの一部が突出し、演出画像を表示する意外性を有する演出が可能となる。したがって、より意外性を有する演出により、演出効果を向上可能な遊技機を提供できる。
【０１６７】
また、パチスロ機１Ａ又はパチンコ機１Ａ’によれば、フロントドア２ｂ外方に突出した側面液晶表示装置１２を、保護部材１２１で覆うことが可能となる。また、保護部材１２１は、側面液晶表示装置１２とともにフロントドア２ｂ内に収容される。よって、フロントドア２ｂ外方に側面液晶表示装置１２を突出させる演出の意外性を損なうことなく、突出した側面液晶表示装置１２が、例えば、遊技者等との接触により損傷するのを防止できる。したがって、表示手段の損傷を防止可能であるとともに、意外性を有する演出により、演出効果を向上可能な遊技機を提供できる。
【０１６８】
また、側面液晶表示装置１２を、保護部材１２１で覆うことで、側面液晶表示装置１２とフロントドア２ｂとの隙間から、ピアノ線やハーネスを差し込む等の違法行為を予防できる。また、フロントドア２ｂの両側から、側面液晶表示装置１２とともに保護部材１２１を突出させることで、側面液晶表示装置１２を保護部材１２１で覆いつつ、遊技者の煙草の煙が、周囲に流れるのを抑止できる。
【０１６９】
また、遊技者は、他の者にリールや遊技状態をのぞき見されると不快であるが、例えば、チャンス示唆やボーナス報知、ＡＴ報知等の演出において側面液晶表示装置１２を、フロントドア２ｂの両側から突出することで、他の者からのぞき見されにくくなり、より遊技に没頭することができる。
【０１７０】
また、側面液晶表示装置１２を、フロントドア２ｂの両側から突出することで、側面液晶表示装置１２における第２表示領域１２ａと反対側の面が、他の者の視界に入り易くなる。このため、この面に遊技機の機種名やメーカー名、キャラクタ等をデザインした装飾部とすることで、遊技機の宣伝効果も見込め、稼動促進にも役立つ。また、この面に遮光性を持たせておけば、第１表示領域１１ａや第２表示領域１２ａの表示がよりクリアになる。また、この面に、装飾用のＬＥＤ等の発光部材を設け、より目立たしてもよい。
【０１７１】
なお、本発明は、上述した実施形態及び変形例に限定されるものではない。例えば、第２実施形態において、側面液晶表示装置１２は、液晶表示装置１１Ａの前面側から視て左右の側縁近傍に設けているが、これに限らず、液晶表示装置１１Ａの前面側から視て上下の側縁近傍に設けてもよい。また、側面液晶表示装置１２は、液晶表示装置１１Ａの側縁近傍に限らず、フロントドア２ｂの任意の位置に設けることができる。また、側面液晶表示装置１２は、一対で設けているが、これに限らず、１台だけ設けてもよいし、３台以上の任意の台数を設けてもよい。
【０１７２】
また、第２実施形態において、側面液晶表示装置１２は、側縁１２ｂを側面液晶表示装置１２の側面液晶表示装置用開口部２ｄが形成された部分の外表面に沿った形状に形成し、上端縁及び下端縁を直線形状に形成している。しかしながら、これに限らず、側面液晶表示装置１２は、側縁１２ｂ、上端縁及び下端縁を、直線、屈曲、屈折等した任意の形状に形成してもよい。
【０１７３】
また、第２実施形態において、ベース部２１０の上縁及び下縁に一対のラック２２０を取り付け、それぞれ駆動力を付与しているが、これに限らず、ベース部２１０の上縁又は下縁のいずれか一方のみに駆動力を付与する構成としてもよい。また、駆動装置２００Ａは、ベース部２１０を省略し、側面液晶表示装置１２や保護部材１２１にラック２２０を取り付け、駆動力を付与してもよい。また、駆動装置２００Ａは、側面液晶表示装置１２を移動できれば、任意の構成とすることができる。
【０１７４】
（第３実施形態）
＜パチスロ機の機能フロー＞
本発明の第３実施形態を示す遊技機であるパチスロ機について説明する。なお、以下の第３実施形態の説明において、第１実施形態と同様の構成については説明を省略する。はじめに、図２５を参照して、遊技機の第３実施形態に係る機能フローについて説明する。第３実施形態に係る機能フローは、一連の流れの中で、液晶表示装置、腰部液晶表示装置、操作部の補助液晶表示装置等の画像表示装置により行う映像の表示、駆動装置による操作部の駆動、各種ランプにより行う光の出力、スピーカにより行う音の出力、あるいはこれらの組合せを利用して様々な演出が行われる点が、第１実施形態に係る機能フロー（図１参照）と異なる。
【０１７５】
＜パチスロ機の構造＞
次に、図２６を参照して、第３実施形態におけるパチスロ機の外観構造について説明する。第３実施形態のパチスロ機１Ｂは、第１実施形態の液晶表示装置１１及び駆動装置２００（図２参照）とは異なる液晶表示装置１１Ｂ、腰部液晶表示装置１８、操作部１５０及び駆動装置２００Ｂを備える。
【０１７６】
［外観構造］
図２６は、パチスロ機１Ｂの外部構造を示す斜視図である。図２６に示すように、パチスロ機１Ｂにおいて、液晶表示装置１１Ｂは、例えば、前面側（パチスロ機１Ｂの正面側であり、遊技者に対向する面）遊技上の演出に係る画像や遊技に関する情報を表示するようフロントドア２ｂのドア本体９の上部に取り付けられている。液晶表示装置１１Ｂは、映像の表示による演出を実行する他、例えば遊技機のカスタマイズや遊技履歴等の遊技台情報を表示することができる。また、液晶表示装置１１Ｂには、遊技場の管理者の操作に応じて、ホールメニューが表示される。この場合、液晶表示装置１１Ｂをタッチパネルで構成し、ホールメニューにおいて、管理者が操作可能なボタン等を表示することができる。
【０１７７】
また、フロントドア２ｂは、３つのリール３Ｌ，３Ｃ，３Ｒの一部を視認させることが可能な表示窓４を有する。表示窓４は、３つのリール３Ｌ，３Ｃ，３Ｒに対応する３つの左表示窓４Ｌ，中表示窓４Ｃ，右表示窓４Ｒによって構成されている。
【０１７８】
これら表示窓４Ｌ，４Ｃ，４Ｒは、正面（遊技者側）から見て、３つのリール３Ｌ，３Ｃ，３Ｒの配置領域と重畳する位置に設けられ、かつ、３つのリールより手前（遊技者側）に位置するように設けられる。したがって、遊技者は、表示窓４Ｌ，４Ｃ，４Ｒを介して、表示窓４の背後に設けられた３つのリール３Ｌ，３Ｃ，３Ｒを視認することができる。
【０１７９】
第３実施形態では、表示窓４Ｌ，４Ｃ，４Ｒは、その背後に設けられた対応するリールの回転が停止したとき、各リールに描かれた複数種類の図柄のうち、連続して配置された３つの図柄を表示できる大きさに設定されている。すなわち、表示窓４Ｌ，４Ｃ，４Ｒの枠内には、リール毎に上段、中段及び下段の各領域が設けられ、各領域に１個の図柄が表示される。そして、第３実施形態では、左リール３Ｌの中段領域、中リール３Ｃの中段領域、及び、右リール３Ｒの中段領域を結ぶラインを、入賞か否かの判定を行う入賞判定ラインとして定義する。
【０１８０】
また、上述したリール３Ｌ，３Ｃ，３Ｒ及び液晶表示装置１１Ｂの前面側には、保護ガラス６が配設されている。これにより、リール３Ｌ，３Ｃ，３Ｒ及び液晶表示装置１１Ｂを遊技者が直接触れることができないようになっている。
【０１８１】
ストップボタン１７Ｌ，１７Ｃ，１７Ｒは、液晶表示装置１１Ｂに表示される情報に関する操作を行う際に用いられるようになっており、例えば液晶表示装置１１Ｂの表示画面上における選択操作を行う際に用いられる。以下、ストップボタン１７Ｌ，１７Ｃ，１７Ｒを、それぞれ左ストップボタン１７Ｌ、中ストップボタン１７Ｃ、右ストップボタン１７Ｒという。
【０１８２】
選択ボタン及び決定ボタンは、液晶表示装置１１Ｂの表示画面上における各種操作を行う際に用いられる。
【０１８３】
また、ドア本体９の台座部１０の下部には、腰部液晶表示装置１８が設けられている。腰部液晶表示装置１８は、表示手段の一例であり、遊技における演出画像を前面に形成された表示領域１８ａに表示可能である。また、腰部液晶表示装置１８は、前面から背面（遊技者に対向する面と反対側の面）に貫通する開口部１８ｂが形成されている。
【０１８４】
また、ドア本体９には、腰部液晶表示装置１８の開口部１８ｂ内に、遊技者により操作可能な操作部１５０が設けられている。操作部１５０は、遊技における演出画像を前面に形成された補助表示領域１５１ａに表示可能な補助液晶表示装置１５１を備える。腰部液晶表示装置１８及び補助液晶表示装置１５１には、表示領域１８ａ及び補助表示領域１５１ａを１つの画面とした演出画像が表示される。また、腰部液晶表示装置１８の前面側は、透明素材で形成された保護パネル１９に覆われている。これにより、腰部液晶表示装置１８を遊技者が直接触れることができないようになっている。
【０１８５】
また、詳しくは後述するが、ドア本体９には、腰部液晶表示装置１８の背面側において、操作部１５０を前面又は背面方向に移動可能な駆動装置２００Ｂが設けられている。
【０１８６】
＜パチスロ機の電気的構成＞
次に、パチスロ機１Ｂの電気的構成について、図２７を参照して、第１実施形態と異なる構成について説明する。図２７は、パチスロ機１Ｂの電気的構成を示すブロック図である。
【０１８７】
２４ｈドア開閉監視ユニット７４は、フロントドア２ｂの開閉の履歴を保存する。また、２４ｈドア開閉監視ユニット７４は、フロントドア２ｂを開放したときに、液晶表示装置１１Ｂにエラー表示を行うための信号を副制御基板４２（副制御回路１０１）に出力する。
【０１８８】
駆動制御基板７８は、副制御回路１０１（図５参照）の制御により実行される演出に応じて、駆動装置２００Ｂを駆動させる。駆動装置２００Ｂは、駆動制御基板７８によって駆動制御されることで後述する操作部１５０（図２８参照）を移動させる。
【０１８９】
副制御基板４２には、ロムカートリッジ基板７６と、液晶中継基板７７とが接続されている。ロムカートリッジ基板７６は、演出用の画像（映像）、音声、光（ＬＥＤ群２５）、駆動装置２００Ｂの駆動及び通信のデータを管理するための基板である。液晶中継基板７７は、副制御基板４２と液晶表示装置１１Ｂ、腰部液晶表示装置１８及び補助液晶表示装置１５１とを接続する配線を中継する基板である。
【０１９０】
＜主制御回路＞
主制御基板４１により構成される主制御回路９１は、図４に示す第１実施形態と同様であるので説明を省略する。
【０１９１】
＜副制御回路＞
次に、副制御基板４２により構成される副制御回路１０１について、図５を参照して、第１実施形態と異なる構成について説明する。
【０１９２】
図５に示すように、副制御部としての副制御回路１０１は、主制御回路９１と電気的に接続されており、主制御回路９１から送信されるコマンド信号に基づいて演出内容の決定や実行等の処理を行うとともに、図２７に示す液晶表示装置１１Ｂ、腰部液晶表示装置１８、補助液晶表示装置１５１、駆動装置２００Ｂ、ＬＥＤ群２５、スピーカ２３Ｌ，２３Ｒ等の周辺装置の制御を行うものである。副制御回路１０１は、基本的に、サブＣＰＵ１０２、サブＲＡＭ１０３、レンダリングプロセッサ１０４、描画用ＲＡＭ１０５、ドライバ１０６を含んで構成されている。
【０１９３】
サブＣＰＵ１０２は、主制御回路９１（図４参照）から送信されたコマンド信号に応じて、ロムカートリッジ基板７６に記憶されている制御プログラムに従い、音、光の出力、液晶表示装置１１Ｂ、腰部液晶表示装置１８及び補助液晶表示装置１５１の表示制御、駆動装置２００Ｂ（図２７参照）の駆動の制御を行う。ロムカートリッジ基板７６は、基本的に、プログラム記憶領域とデータ記憶領域によって構成される。
【０１９４】
プログラム記憶領域には、サブＣＰＵ１０２が実行する制御プログラムが記憶されている。例えば、制御プログラムには、主制御回路９１（図４参照）との通信を制御するための主基板通信タスクや、演出用乱数値を抽出し、演出内容（演出データ）の決定及び登録を行うための演出登録タスクが含まれる。また、決定した演出内容に基づいて液晶表示装置１１Ｂ、腰部液晶表示装置１８及び補助液晶表示装置１５１（図２６参照）による映像の表示を制御する描画制御タスク、駆動装置２００Ｂ（図２７参照）による操作部１５０（図２８参照）の移動を制御する駆動制御タスク、ＬＥＤ群２５（図２７参照）等の光源による光の出力を制御するランプ制御タスク、スピーカ２３Ｌ，２３Ｒによる音の出力を制御する音声制御タスク等が含まれる。このように、副制御回路１０１は、表示手段を表示制御する表示制御手段の一例であり、駆動装置２００Ｂを駆動制御する駆動制御手段の一例として機能する。
【０１９５】
データ記憶領域は、各種データテーブルを記憶する記憶領域、各演出内容を構成する演出データを記憶する記憶領域、映像の作成に関するアニメーションデータを記憶する記憶領域が含まれている。また、ＢＧＭや効果音に関するサウンドデータを記憶する記憶領域、光の点消灯のパターンに関するランプデータを記憶する記憶領域等が含まれている。
【０１９６】
サブＲＡＭ１０３は、決定された演出内容や演出データを登録する格納領域や、主制御回路９１から送信される内部当籤役等の各種データを格納する格納領域が設けられている。
【０１９７】
サブＣＰＵ１０２、レンダリングプロセッサ１０４、描画用ＲＡＭ（フレームバッファを含む）１０５及びドライバ１０６は、演出内容により指定されたアニメーションデータに従って映像を作成し、作成した映像を液晶表示装置１１Ｂ、腰部液晶表示装置１８及び補助液晶表示装置１５１に表示させる。また、サブＣＰＵ１０２は、演出内容により指定された駆動データに従って操作部１５０（図２８参照）を駆動装置２００Ｂを駆動することにより移動する。
【０１９８】
また、サブＣＰＵ１０２は、演出内容により指定されたサウンドデータに従ってＢＧＭ等の音をスピーカ２３Ｌ，２３Ｒにより出力させる。また、サブＣＰＵ１０２は、演出内容により指定されたランプデータに従ってＬＥＤ群２５の点灯及び消灯を制御する。
【０１９９】
＜操作部及び駆動装置＞
次に、操作部１５０及び駆動装置２００Ｂについて説明する。図２８は、本発明の第３実施形態に係るパチスロ機の操作部及び駆動装置の断面図である。図２８（ａ）は操作部の補助液晶表示装置の補助表示領域が腰部液晶表示装置の表示領域と略同一平面上に配置された状態を示し、図２８（ｂ）は操作部の補助液晶表示装置の補助表示領域が腰部液晶表示装置の表示領域より前面側に突出した状態を示している。
【０２００】
［操作部］
操作部１５０は、略円筒形状に形成され、腰部液晶表示装置１８の円筒形状に形成された開口部１８ｂ内に配置され、遊技者により前面側から背面側に押圧操作可能に構成されている。操作部１５０は、駆動装置２００Ｂにより、前面又は背面方向に移動可能である。
【０２０１】
操作部１５０は、補助液晶表示装置１５１と、ボタンカバー１５２と、本体１５３と、液晶支持部１５４と、本体支持部１５５と、操作スイッチ１５６と、を備える。補助液晶表示装置１５１は、操作部１５０の前面側に配置され、初期状態では補助表示領域１５１ａが、腰部液晶表示装置１８の表示領域１８ａと略同一平面上に配置されている。
【０２０２】
ボタンカバー１５２は、補助液晶表示装置１５１の補助表示領域１５１ａを覆う前面部材１５２ａと、前面部材１５２ａの端縁から背面方向に延び、背面側端部が後述する本体１５３の係合部１５３ｃの前面側端部とスライド自在に係合する側面部材１５２ｂと、を備える。
【０２０３】
本体１５３は、液晶支持部１５４をスライド自在に支持する保持部１５３ａと、保持部１５３ａの前面側端部に設けられ、後述する液晶支持部１５４の弾性部材１５４ｃの背面側端部を係止する係止部１５３ｂと、係止部１５３ｂから前面側に延びて、ボタンカバー１５２の側面部材１５２ｂの背面側端部とスライド自在に係合する係合部１５３ｃと、筒状体で形成され、保持部１５３ａの背面側端部から背面側に延びて、本体支持部１５５とスライド自在に係合する基端部１５３ｄを備える。
【０２０４】
液晶支持部１５４は、補助液晶表示装置１５１の背面に取り付けられて補助液晶表示装置１５１を支持する支持部１５４ａと、支持部１５４ａから背面側に延びて、本体１５３の保持部１５３ａにスライド自在に支持されるスライド部１５４ｂと、補助液晶表示装置１５１を支持する支持部１５４ａを前面側に付勢する弾性部材１５４ｃと、を備える。
【０２０５】
本体支持部１５５は、棒状体で形成され、背面側端部がフロントドア２ｂ（図２６参照）に固定され、前面側に延びて、本体１５３の基端部１５３ｄの内部に挿入され、基端部１５３ｄとスライド自在に係合する。
【０２０６】
操作スイッチ１５６は、本体１５３の保持部１５３ａの背面側端部に、液晶支持部１５４の支持部１５４ａの背面側端部と接触可能に配置され、支持部１５４ａの背面側端部と接触した場合に、操作信号を、副中継基板６９（図２７参照）を介して、副制御回路１０１（図５参照）に出力する。副制御回路１０１は、操作スイッチ１５６から出力された操作信号に応じて、例えば、腰部液晶表示装置１８や補助液晶表示装置１５１を表示制御する。
【０２０７】
このような構成により、操作部１５０は、遊技者により、ボタンカバー１５２が前面側から背面側に押圧操作されると、ボタンカバー１５２、補助液晶表示装置１５１及び液晶支持部１５４が、本体１５３に対して、背面側に移動し、液晶支持部１５４の背面側端部が操作スイッチ１５６と接触し、操作信号を出力する。
【０２０８】
また、操作部１５０は、補助液晶表示装置１５１の補助表示領域１５１ａが、腰部液晶表示装置１８の表示領域１８ａと略同一の平面上に配置された状態（初期状態）でロックするロック機構を備えてもよい。この場合、副制御回路１０１（図５参照）は、ロック機構のロックを解除した後、本体１５３を補助液晶表示装置１５１、ボタンカバー１５２及び液晶支持部１５４と共に前面側に移動する制御を行う。これにより、例えば、遊技機の輸送中に本体１５３等が前面側に突出し破損するのを防止できる。また、操作部１５０の操作ができない状態（上記の初期状態）において、遊技者により操作部１５０が強く押し込まれ、遊技機の内部が破損するのを防止できる。
【０２０９】
［駆動装置］
駆動装置２００Ｂは、操作部１５０の補助表示領域１５１ａが、腰部液晶表示装置１８の表示領域１８ａと略同一の平面上に配置された状態から、補助表示領域１５１ａが表示領域１８ａより前面側に配置された状態に、操作部１５０を移動可能である。
【０２１０】
詳細には、駆動装置２００Ｂは、ラック２１１と、ピニオン２１２と、モータ２３０（図２７参照）と、を備える。ラック２１１は、操作部１５０の本体１５３の基端部１５３ｄに取り付けられ、前面背面方向に延びている。ピニオン２１２は、ラック２１１と係合し、モータ２３０（図２７参照）の駆動により回転する。
【０２１１】
モータ２３０（図２７参照）は、副制御回路１０１（図５参照）に制御された駆動制御基板７８（図２７参照）により駆動し、ピニオン２１２を回転させる。
【０２１２】
駆動制御手段の一例である副制御回路１０１（図５参照）は、主制御回路９１（図４参照）から送信されるコマンド信号に基づいて演出内容を決定し、決定した演出内容に応じて、モータ２３０（図２７参照）を所定方向に回転駆動して、ピニオン２１２を回転させる。なお、副制御回路１０１は、予め設定された演出内容に応じたステップ数だけモータ２３０（図２７参照）を駆動してもよいし、操作部１５０の本体１５３にフォトセンサを設けた場合には、このフォトセンサで検出した入力信号に基づき、本体１５３の位置を検出し、検出した位置に応じてモータ２３０を駆動してもよい。
【０２１３】
［駆動制御］
次に、駆動装置２００Ｂによる操作部１５０の動作について説明する。例えば、操作部１５０は、初期状態において、図２８（ａ）に示すように、補助液晶表示装置１５１の補助表示領域１５１ａが、腰部液晶表示装置１８の表示領域１８ａと略同一の平面上に配置された状態で配置されている。この状態において、副制御回路１０１（図５参照）は、主制御回路９１（図４参照）から送信されるコマンド信号に基づき決定した演出内容に応じて、モータ２３０を所定方向に回転駆動する。これにより、ラック２１１と係合するピニオン２１２が回転する。すると、操作部１５０は、ラック２１１が取り付けられた本体１５３が補助液晶表示装置１５１、ボタンカバー１５２及び液晶支持部１５４と共に前面側に移動する。これにより、操作部１５０は、補助表示領域１５１ａが、腰部液晶表示装置１８の表示領域１８ａより前面側に配置された状態に配置され、図２８（ｂ）に示す状態となる。
【０２１４】
また、副制御回路１０１（図５参照）は、複数種類の移動位置（例えば、最大限突出させる最大移動位置、僅かに突出させる最小移動位置、最大移動位置と最小移動位置との中間である中間移動位置等）のいずれかまで、本体１５３を移動させる制御を行ってもよい。この場合、副制御回路１０１は、遊技状態や内部当籤役に応じて（例えば、前兆示唆、期待度示唆、ボーナス、ＡＴの報知等）決定した移動位置まで、本体１５３を移動させる制御を行う。これにより、補助液晶表示装置１５１の演出画像と移動位置とに関係性や法則性を持たることで、ゲームのバリエーションを増やすことができる。
【０２１５】
また、副制御回路１０１（図５参照）は、複数種類の移動速度（例えば、最大速度、最小速度、最大速度と最小速度との中間である中間速度等）のいずれかの速度で、本体１５３を移動させる制御を行ってもよい。この場合、副制御回路１０１は、遊技状態や内部当籤役に応じて（例えば、前兆示唆、期待度示唆、ボーナス、ＡＴの報知等）決定した速度で、本体１５３を移動させる制御を行う。これにより、補助液晶表示装置１５１の演出画像と移動速度とに関係性や法則性を持たることで、ゲームのバリエーションを増やすことができる。また、副制御回路１０１は、比較的早い速度で、本体１５３を移動させる制御を行う場合、モータ２３０を制御して、段階的に速度を速めることで、補助液晶表示装置１５１や、補助液晶表示装置１５１に接続されたケーブルが破損するのを防止できる。
【０２１６】
また、副制御回路１０１（図５参照）は、遊技状態や内部当籤役に応じて、モータ２３０を所定方向と所定方向と反対方向への回転駆動を交互に、所定期間繰り返す制御を行ってもよい。これにより、本体１５３が前後に繰り返し移動する前兆演出が可能となり、遊技者の期待度を向上できる。また、副制御回路１０１は、このような制御を、１ゲームだけでなく、複数ゲームに亘って段階的（例えば、同一長さの期間行ってもよいし、徐々に所定期間の長さを変えてもよいし、所定方向と反対方向へのピッチを変えてもよい。）に行ってもよい。
【０２１７】
また、副制御回路１０１（図５参照）は、遊技者によりボタンカバー１５２が前面側から背面側に押圧操作され、操作スイッチ１５６から操作信号を受信した場合に、モータ２３０に励磁してもよい。これにより、遊技者に対してボタンが振動している感覚を付与し、操作演出を盛り上げることができる。また、副制御回路１０１は、モータ２３０への励磁と遊技状態や内部当籤役の報知等と関連性を持たせてもよい。これにより、遊技者は、ボタンが振動することを期待しながら操作することができ、操作演出の楽しみが向上する。また、この際の励磁は小刻みな励磁とするとより効果が向上する。
【０２１８】
また、遊技者の視界に入りにくい台座部１０の下部である下パネルからいきなり、ボタンが突出すると遊技者が怪我したり、飲料をこぼしたりするおそれがある。そこで、例えば、副制御回路１０１（図５参照）は、本体１５３等を前面側に移動制御する前に、台座部１０の下部に注意を向ける旨の警告（例えば、音、発光、液晶表示装置１１Ｂにおける画像等による警告）する制御を行うことで、安全性を向上できる。なお、このように警告内容を注意喚起に留め、突出することまでは警告時に報知しないことで、安全性を図りつつも下パネルから操作手段が出てくる動作や演出の目新しさや動きの意外性を損ねる可能性を低減できる。
【０２１９】
［表示制御］
次に、副制御回路１０１による腰部液晶表示装置１８及び操作部１５０の補助液晶表示装置１５１の表示制御について説明する。図２９から図３１は、本発明の第３実施形態に係る腰部液晶表示装置及び補助液晶表示装置における演出画像の一例を示す図である。
【０２２０】
例えば、補助液晶表示装置１５１は、初期状態において、図２９に示すように、補助表示領域１５１ａが、腰部液晶表示装置１８の表示領域１８ａと略同一の平面上に配置された状態で配置されている。この状態において、副制御回路１０１（図５参照）は、主制御回路９１（図４参照）から送信されるコマンド信号に基づき決定した演出内容に応じて、腰部液晶表示装置１８の表示領域１８ａ及び補助液晶表示装置１５１の補助表示領域１５１ａを１つの画面とした演出画像を、表示領域１８ａ及び補助表示領域１５１ａに表示する制御を行う。
【０２２１】
そして、副制御回路１０１（図５参照）は、主制御回路９１（図４参照）から送信されるコマンド信号に基づき決定した演出内容に応じて、駆動装置２００Ｂ（図２８参照）のモータ２３０（図２７参照）を所定方向に回転駆動させ操作部１５０を前面側に移動させ、補助表示領域１５１ａが表示領域１８ａより前面側に配置された状態で、補助表示領域１５１ａにおいて、操作部１５０の操作を示唆する示唆画像（例えば、図３０に示す例では文字画像「ＰＵＳＨ」）を表示制御する。なお、副制御回路１０１は、この状態において、腰部液晶表示装置１８の表示領域１８ａに、示唆画像と関連する画像や、操作部１５０が操作可能であることを報知する画像を表示制御してもよい。
【０２２２】
また、副制御回路１０１（図５参照）は、図３０に示す状態において、遊技者により、ボタンカバー１５２が前面側から背面側に押圧操作され、操作スイッチ１５６（図２８参照）から操作信号が出力された場合、図３１に示すように、腰部液晶表示装置１８の表示領域１８ａ及び補助液晶表示装置１５１の補助表示領域１５１ａを１つの画面とした演出画像を、表示領域１８ａ及び補助表示領域１５１ａに表示する制御を行う。
【０２２３】
このように、副制御回路１０１（図５参照）は、表示手段の表示領域及び補助表示手段の補助表示領域を１つの画面とした演出画像を表示制御する表示制御手段の一例として機能する。また、副制御回路１０１（図５参照）は、操作手段の補助表示領域が、表示手段の表示領域と略同一の平面上に配置された状態では、表示領域及び補助表示領域を１つの画面とした演出画像を表示制御し、補助表示領域が表示領域より前面側に配置された状態では、補助表示領域において、操作手段の操作を示唆する示唆画像を表示制御する表示制御手段の一例として機能する。
【０２２４】
第３実施形態によれば、以下の作用効果を奏する。パチスロ機１Ｂによれば、腰部液晶表示装置１８の表示領域１８ａの内側に、操作部１５０を配置することで、演出画像が１つの画面として表示されている領域の一部である操作部１５０の補助液晶表示装置１５１の補助表示領域１５１ａが、遊技者により操作可能となる。よって、演出画像が表示されている領域の一部が操作可能となるといった意外性が高い演出が可能となる。したがって、操作手段により演出の意外性を高め、演出効果を向上可能な遊技機を提供できる。
【０２２５】
また、パチスロ機１Ｂによれば、操作部１５０の補助液晶表示装置１５１の補助表示領域１５１ａが、腰部液晶表示装置１８の表示領域１８ａと略同一の平面上に配置され、１つの画面として演出画像が表示されている状態から、補助表示領域１５１ａを、表示領域１８ａより前面側に移動できる。したがって、操作手段により演出の意外性をより高め、演出効果を向上可能な遊技機を提供できる。
【０２２６】
また、パチスロ機１Ｂによれば、操作部１５０の補助表示領域１５１ａが、腰部液晶表示装置１８の表示領域１８ａと略同一の平面上に配置され、１つの画面として演出画像が表示されている状態から、補助表示領域１５１ａを、表示領域１８ａより前面側に移動し、この状態において、補助表示領域１５１ａに操作部１５０の操作を示唆する示唆画像を表示できる。よって、まず、１つの画面として演出画像が表示されている領域の一部が前面側に移動することによる意外性を付与することが可能となり、次に、この前面側に移動してきた部分が操作手段であり操作可能であるという意外性を、更に付与することが可能となる。したがって、操作手段により演出の意外性をより高め、演出効果を向上可能な遊技機を提供できる。
【０２２７】
なお、本発明は、上述した実施形態に限定されるものではない。例えば、第３実施形態において、腰部液晶表示装置１８の開口部１８ｂ及び操作部１５０は、その形状を円筒形状に形成したが、これに限らず、四角柱形状等の任意の形状に形成することができる。
【０２２８】
また、第３実施形態において、腰部液晶表示装置１８及び補助液晶表示装置１５１は、前面側にのみ平面形状の表示領域が形成されているが、これに限らず、前面側の側縁に曲面を形成し、なだらかに側面に連なる表示領域を形成してもよい。
【０２２９】
また、第３実施形態において、駆動装置２００Ｂは、ラック２１１、ピニオン２１２及びモータ２３０により、操作部１５０を移動させるが、これに限らず、操作部１５０を移動可能であれば、例えば、ソレノイド等の任意の構成とすることができる。
【０２３０】
（第４実施形態）
＜パチスロ機の機能フロー＞
本発明の第４実施形態を示す遊技機であるパチスロ機について説明する。なお、本発明の第４実施形態を示す遊技機であるパチスロ機の機能フローは、第１実施形態と同様であるので、説明を省略する。また、以下の第４実施形態の説明において、第１実施形態と同様の構成については説明を省略する。
【０２３１】
＜パチスロ機の構造＞
次に、図３２を参照して、第４実施形態におけるパチスロ機の外観構造について説明する。第４実施形態のパチスロ機１Ｃは、第１実施形態の液晶表示装置１１及び駆動装置２００（図２参照）とは、異なる液晶表示装置１１Ｃ及び駆動装置２００Ｃを備える。
【０２３２】
［外観構造］
図３２は、パチスロ機１Ｃの外部構造を示す斜視図である。図３２に示すように、パチスロ機１Ｃにおいて、液晶表示装置１１Ｃは、表示装置の一例であり、例えば、前面側（パチスロ機１Ｃの正面側であり、遊技者に対向する面）に形成された表示領域１１ａに遊技における演出画像や遊技に関する情報を表示するようフロントドア２ｂのドア本体９の上部に取り付けられている。液晶表示装置１１Ｃは、映像の表示による演出を実行する他、例えば遊技機のカスタマイズや遊技履歴等の遊技台情報を表示することができる。また、液晶表示装置１１Ｃには、遊技場の管理者の操作に応じて、ホールメニューが表示される。この場合、液晶表示装置１１Ｃをタッチパネルで構成し、ホールメニューにおいて、管理者が操作可能なボタン等を表示することができる。また、詳細は後述するが、液晶表示装置１１Ｃは、複数の表示手段としての複数の液晶パネル（後述する図３４に示す第１液晶パネル１１１、第２液晶パネル１１２、第３液晶パネル１１３、第４液晶パネル１１４、第５液晶パネル１１５、第６液晶パネル１１６及び第７液晶パネル１１７）を有する。これら複数の液晶パネルは、一体的な複数の配置形態とすることが可能であり、互いに隣接する液晶パネル同士の少なくとも一部分が接触して一体的に配置可能である。また、複数の液晶パネルは、後述する駆動装置２００Ｃにより他の液晶パネルとの接触または接近状態を保持しつつ動作する。
【０２３３】
また、フロントドア２ｂは、３つのリール３Ｌ，３Ｃ，３Ｒの一部を視認させることが可能な表示窓４を有する。表示窓４は、３つのリール３Ｌ，３Ｃ，３Ｒに対応する３つの左表示窓４Ｌ，中表示窓４Ｃ，右表示窓４Ｒによって構成されている。
【０２３４】
これら表示窓４Ｌ，４Ｃ，４Ｒは、正面（遊技者側）から見て、３つのリール３Ｌ，３Ｃ，３Ｒの配置領域と重畳する位置に設けられ、かつ、３つのリールより手前（遊技者側）に位置するように設けられる。したがって、遊技者は、表示窓４Ｌ，４Ｃ，４Ｒを介して、表示窓４の背後に設けられた３つのリール３Ｌ，３Ｃ，３Ｒを視認することができる。また、詳細は後述するが、駆動装置２００Ｃ（図３４参照）は、表示装置の形態を変化させる駆動手段の一例であり、液晶表示装置１１Ｃの背面（前面側の反対側の面）に設けられている。したがって、遊技者は、駆動装置２００Ｃを視認することができない。
【０２３５】
第４実施形態では、表示窓４Ｌ，４Ｃ，４Ｒは、その背後に設けられた対応するリールの回転が停止したとき、各リールに描かれた複数種類の図柄のうち、連続して配置された３つの図柄を表示できる大きさに設定されている。すなわち、表示窓４Ｌ，４Ｃ，４Ｒの枠内には、リール毎に上段、中段及び下段の各領域が設けられ、各領域に１個の図柄が表示される。そして、第４実施形態では、左リール３Ｌの中段領域、中リール３Ｃの中段領域、及び、右リール３Ｒの中段領域を結ぶラインを、入賞か否かの判定を行う入賞判定ラインとして定義する。
【０２３６】
また、上述したリール３Ｌ，３Ｃ，３Ｒ及び液晶表示装置１１Ｃの前面側には、保護ガラス６が配設されている。これにより、リール３Ｌ，３Ｃ，３Ｒ及び液晶表示装置１１Ｃを遊技者が直接触れることができないようになっている。
【０２３７】
ストップボタン１７Ｌ，１７Ｃ，１７Ｒは、液晶表示装置１１Ｃに表示される情報に関する操作を行う際に用いられるようになっており、例えば液晶表示装置１１Ｃの表示画面上における選択操作を行う際に用いられる。以下、ストップボタン１７Ｌ，１７Ｃ，１７Ｒを、それぞれ左ストップボタン１７Ｌ、中ストップボタン１７Ｃ、右ストップボタン１７Ｒという。
【０２３８】
選択ボタン及び決定ボタンは、液晶表示装置１１Ｃの表示画面上における各種操作を行う際に用いられる。
【０２３９】
＜パチスロ機の電気的構成＞
次に、パチスロ機１Ｃの電気的構成について、図３３を参照して、第１実施形態と異なる構成について説明する。図３３は、パチスロ機１Ｃの電気的構成を示すブロック図である。
【０２４０】
２４ｈドア開閉監視ユニット７４は、フロントドア２ｂの開閉の履歴を保存する。また、２４ｈドア開閉監視ユニット７４は、フロントドア２ｂを開放したときに、液晶表示装置１１Ｃにエラー表示を行うための信号を副制御基板４２（副制御回路１０１）に出力する。
【０２４１】
駆動制御基板７８は、副制御回路１０１（図５参照）の制御により実行される演出に応じて、駆動装置２００Ｃを駆動させる。駆動装置２００Ｃは、駆動制御基板７８によって駆動制御されることで、図３４に示す、後述する液晶表示装置１１Ｃの第１液晶パネル１１１、第２液晶パネル１１２、第３液晶パネル１１３、第４液晶パネル１１４、第５液晶パネル１１５、第６液晶パネル１１６及び第７液晶パネル１１７を動作させ、液晶表示装置１１Ｃの形態を変化させる。
【０２４２】
副制御基板４２には、ロムカートリッジ基板７６と、液晶中継基板７７とが接続されている。ロムカートリッジ基板７６は、演出用の画像（映像）、音声、光（ＬＥＤ群２５）、駆動装置２００Ｃの駆動及び通信のデータを管理するための基板である。液晶中継基板７７は、副制御基板４２と液晶表示装置１１Ｃとを接続する配線を中継する基板である。
【０２４３】
＜主制御回路＞
次に、主制御基板４１により構成される主制御回路９１について、図４に示す第１実施形態と同様であるので説明を省略する。
【０２４４】
＜副制御回路＞
次に、副制御基板４２により構成される副制御回路１０１について、図５を参照して、第１実施形態と異なる構成について説明する。
【０２４５】
副制御部としての副制御回路１０１は、主制御回路９１と電気的に接続されており、主制御回路９１から送信されるコマンド信号に基づいて演出内容の決定や実行等の処理を行うとともに、図３３に示す液晶表示装置１１Ｃ、駆動装置２００Ｃ、ＬＥＤ群２５、スピーカ２３Ｌ，２３Ｒ等の周辺装置の制御を行うものである。副制御回路１０１は、基本的に、サブＣＰＵ１０２、サブＲＡＭ１０３、レンダリングプロセッサ１０４、描画用ＲＡＭ１０５、ドライバ１０６を含んで構成されている。
【０２４６】
サブＣＰＵ１０２は、主制御回路９１（図４参照）から送信されたコマンド信号に応じて、ロムカートリッジ基板７６に記憶されている制御プログラムに従い、音、光の出力、液晶表示装置１１Ｃの表示制御及び駆動装置２００Ｃ（図３３参照）の駆動の制御を行う。ロムカートリッジ基板７６は、基本的に、プログラム記憶領域とデータ記憶領域によって構成される。
【０２４７】
プログラム記憶領域には、サブＣＰＵ１０２が実行する制御プログラムが記憶されている。例えば、制御プログラムには、主制御回路９１（図４参照）との通信を制御するための主基板通信タスクや、演出用乱数値を抽出し、演出内容（演出データ）の決定及び登録を行うための演出登録タスクが含まれる。また、決定した演出内容に基づいて液晶表示装置１１Ｃ（図３２参照）による映像の表示を制御する描画制御タスク、駆動装置２００Ｃ（図３３参照）による液晶表示装置１１Ｃの第１液晶パネル１１１、第２液晶パネル１１２、第３液晶パネル１１３、第４液晶パネル１１４、第５液晶パネル１１５、第６液晶パネル１１６及び第７液晶パネル１１７（図３４参照）の動作を制御する駆動制御タスク、ＬＥＤ群２５（図３３参照）等の光源による光の出力を制御するランプ制御タスク、スピーカ２３Ｌ，２３Ｒによる音の出力を制御する音声制御タスク等が含まれる。このように、サブＣＰＵ１０２は、駆動装置２００Ｃを駆動制御する駆動制御手段の一例として機能する。
【０２４８】
データ記憶領域は、各種データテーブルを記憶する記憶領域、各演出内容を構成する演出データを記憶する記憶領域、映像の作成に関するアニメーションデータを記憶する記憶領域が含まれている。また、ＢＧＭや効果音に関するサウンドデータを記憶する記憶領域、光の点消灯のパターンに関するランプデータを記憶する記憶領域等が含まれている。
【０２４９】
サブＲＡＭ１０３は、決定された演出内容や演出データを登録する格納領域や、主制御回路９１から送信される内部当籤役等の各種データを格納する格納領域が設けられている。
【０２５０】
サブＣＰＵ１０２、レンダリングプロセッサ１０４、描画用ＲＡＭ（フレームバッファを含む）１０５及びドライバ１０６は、演出内容により指定されたアニメーションデータに従って映像を作成し、作成した映像を液晶表示装置１１Ｃに表示させる。また、サブＣＰＵ１０２は、演出内容により指定された駆動データに従って駆動装置２００Ｃを駆動制御することにより第１液晶パネル１１１、第２液晶パネル１１２、第３液晶パネル１１３、第４液晶パネル１１４、第５液晶パネル１１５、第６液晶パネル１１６及び第７液晶パネル１１７（図３４参照）を動作させる。
【０２５１】
また、サブＣＰＵ１０２は、演出内容により指定されたサウンドデータに従ってＢＧＭ等の音をスピーカ２３Ｌ，２３Ｒにより出力させる。また、サブＣＰＵ１０２は、演出内容により指定されたランプデータに従ってＬＥＤ群２５の点灯及び消灯を制御する。
【０２５２】
＜液晶表示装置及び駆動装置＞
次に、液晶表示装置１１Ｃ及び駆動装置２００Ｃについて説明する。図３４及び図３５は、本発明の第４実施形態に係るパチスロ機の液晶表示装置及び駆動装置の背面図である。図３４は液晶表示装置の初期状態（第１形態）を示し、図３５は液晶表示装置が初期状態から形態が変化した状態（第２形態）を示している。
【０２５３】
［液晶表示装置］
表示手段としての液晶表示装置１１Ｃは、複数の表示手段としての第１液晶パネル１１１、第２液晶パネル１１２、第３液晶パネル１１３、第４液晶パネル１１４、第５液晶パネル１１５、第６液晶パネル１１６及び第７液晶パネル１１７を備える。第１液晶パネル１１１、第２液晶パネル１１２、第３液晶パネル１１３、第４液晶パネル１１４、第５液晶パネル１１５、第６液晶パネル１１６及び第７液晶パネル１１７は、一体的な複数の配置形態とすることが可能であり、互いに隣接する液晶パネル同士の少なくとも一部分が接触して一体的に配置可能である。具体的には、第１液晶パネル１１１、第２液晶パネル１１２、第３液晶パネル１１３、第４液晶パネル１１４、第５液晶パネル１１５、第６液晶パネル１１６及び第７液晶パネル１１７は、表示領域１１ａ（図３２参照）又は背面側から見て、全て同一形状の二等片三角形形状に形成され、環形状に配列されている。
【０２５４】
即ち、第１液晶パネル１１１は、第２液晶パネル１１２及び第７液晶パネル１１７と隣接している。第２液晶パネル１１２は、第１液晶パネル１１１及び第３液晶パネル１１３と隣接している。第３液晶パネル１１３は、第２液晶パネル１１２及び第４液晶パネル１１４と隣接している。第４液晶パネル１１４は、第３液晶パネル１１３及び第５液晶パネル１１５と隣接している。第５液晶パネル１１５は、第４液晶パネル１１４及び第６液晶パネル１１６と隣接している。第６液晶パネル１１６は、第５液晶パネル１１５及び第７液晶パネル１１７と隣接している。第７液晶パネル１１７は、第６液晶パネル１１６及び第１液晶パネル１１１と隣接している。
【０２５５】
液晶表示装置１１Ｃは、サブＣＰＵ１０２に駆動制御される駆動装置２００Ｃにより、図３４に示す第１液晶パネル１１１、第２液晶パネル１１２、第３液晶パネル１１３、第４液晶パネル１１４、第５液晶パネル１１５、第６液晶パネル１１６及び第７液晶パネル１１７の１つの頂点が互いに近接し、外形形状が七角形形状の状態である第１形態から、第１液晶パネル１１１、第２液晶パネル１１２、第３液晶パネル１１３、第４液晶パネル１１４、第５液晶パネル１１５、第６液晶パネル１１６及び第７液晶パネル１１７がそれぞれ同一方向に回動し、中心域に七角形形状の開口部が形成された第２形態に変化する。なお、各液晶パネル同士が近接した際に破損することを防止するため、各液晶パネルの縁部に緩衝部材や保護部材を設けてもよい。この場合、液晶パネルにおける表示の妨げとなりにくいよう、薄い形状や目立たない色の部材とすることが望ましい。
【０２５６】
［駆動装置］
駆動装置２００Ｃは、液晶表示装置１１Ｃの表示領域１１ａ（図３２参照）が形成されている面の反対側の面である背面に設けられ、第１本体２１０と、第２本体２２０と、第３本体２３０と、第４本体２４０と、第５本体２５０と、第６本体２６０と、第７本体２７０と、複数のモータ３００（図３３参照）と、を備える。
【０２５７】
第１本体２１０は、第１液晶パネル１１１の背面に設けられ、第１液晶パネル１１１を支持し、ベース２１１と、第１係合部２１２と、第２係合部２１３と、ピニオン部２１４と、を備える。
【０２５８】
ベース２１１は、表示領域１１ａ（図３２参照）又は背面側から見て、第１液晶パネル１１１と略同一形状に形成され、背面から延びる軸部２１１ａによりフロントドア２ｂ（図３２参照）に回動自在に固定されている。
【０２５９】
図３６は、図３４におけるＡＡ’断面図である。第１係合部２１２は、第２本体２２０と隣接するベース２１１の側縁から第２本体２２０側に突出するガイド部２１２ａと、ガイド部２１２ａの側縁に設けられたラック部２１２ｂと、を備える。ガイド部２１２ａは、ベース２１１の側縁から突出した部分に、後述する第２本体２２０のガイド部２２３とスライド自在に係合する溝が形成されている。ラック部２１２ｂは、ガイド部２１２ａの側縁に設けられ、第２本体２２０と隣接するベース２１１の側縁が延びる方向に延び、第２本体２２０のピニオン部２２４と係合する。
【０２６０】
図３４に戻って、第２係合部２１３は、第７本体２７０と隣接するベース２１１の側縁から第７本体２７０側に突出するガイド部２１３ａと、ガイド部２１３ａの側縁に設けられたラック部２１３ｂと、を備える。ガイド部２１３ａは、ベース２１１の側縁から突出した部分が、ガイド部２１２ａ（図３６参照）と同様に、後述する第７本体２７０のガイド部２７３とスライド自在に係合する溝が形成されている。ラック部２１３ｂは、ガイド部２１３ａの側縁に設けられ、第７本体２７０と隣接するベース２１１の側縁が延びる方向に延び、第７本体２７０のピニオン部２７４と係合する。
【０２６１】
ピニオン部２１４は、軸部２１１ａに固定され、モータ３００（図３３参照）の駆動により回動する。即ち、ベース２１１は、ピニオン部２１４の回動に伴い回動する。また、図示されていないが、軸部２１１ａに固定されたモータ３００は、第１形態から第２形態へ移動する方向にモータ３００が移動するためのフロントドア２ｂ（図３２参照）に付設された移動レールに案内されて移動する。具体的には、図３４の第１形態から図３５の第２形態に移動する場合に、モータ３００の駆動に伴い、ピニオン部２１４は回転しつつ図３４に示すピニオン部２１４の位置から図３５に示すピニオン部２１４の位置に移動する。
【０２６２】
第２本体２２０は、第２液晶パネル１１２の背面に設けられ、第２液晶パネル１１２を支持し、ベース２２１と、係合部２２２と、ガイド部２２３と、ピニオン部２２４と、を備える。
【０２６３】
ベース２２１は、表示領域１１ａ（図３２参照）又は背面側から見て、第２液晶パネル１１２と略同一形状に形成されている。
【０２６４】
係合部２２２は、第３本体２３０と隣接するベース２２１の側縁から第３本体２３０側に突出するガイド部２２２ａと、ガイド部２２２ａの側縁に設けられたラック部２２２ｂと、を備える。ガイド部２２２ａは、ベース２２１の側縁から突出した部分が、第１本体２１０のガイド部２１２ａ（図３６参照）と同様に、後述する第３本体２３０のガイド部２３３とスライド自在に係合する溝が形成されている。ラック部２２２ｂは、ガイド部２２２ａの側縁に設けられ、第３本体２３０と隣接するベース２２１の側縁が延びる方向に延び、第３本体２３０のピニオン部２３４と係合する。
【０２６５】
ガイド部２２３は、第１本体２１０と隣接するベース２２１の側縁に形成され、第１本体２１０と隣接するベース２２１の側縁が延びる方向に延び、図３６に示すように、第１本体２１０のガイド部２１２ａの溝と係合する突起が形成されている。
【０２６６】
ピニオン部２２４は、図３６に示すように、ベース２２１に基端が固定され背面方向に延びる軸部２２４ａと、軸部２２４ａに回動自在に支持され、第１本体２１０のラック部２１２ｂと係合するギヤ部２２４ｂと、を備える。また、ピニオン部２２４は、モータ３００（図３３参照）の駆動により回動する。
【０２６７】
図３４に戻って、第３本体２３０は、第３液晶パネル１１３の背面に設けられ、第３液晶パネル１１３を支持し、ベース２３１と、係合部２３２と、ガイド部２３３と、ピニオン部２３４と、を備える。
【０２６８】
ベース２３１は、表示領域１１ａ（図３２参照）又は背面側から見て、第３液晶パネル１１３と略同一形状に形成されている。
【０２６９】
係合部２３２は、第４本体２４０と隣接するベース２３１の側縁から第４本体２４０側に突出するガイド部２３２ａと、ガイド部２３２ａの側縁に設けられたラック部２３２ｂと、を備える。ガイド部２３２ａは、ベース２３１の側縁から突出した部分が、第１本体２１０のガイド部２１２ａ（図３６参照）と同様に、後述する第４本体２４０の第２ガイド部２４３とスライド自在に係合する溝が形成されている。ラック部２３２ｂは、ガイド部２３２ａの側縁に設けられ、第４本体２４０と隣接するベース２３１の側縁が延びる方向に延び、第４本体２４０のピニオン部２４４と係合する。
【０２７０】
ガイド部２３３は、第２本体２２０と隣接するベース２３１の側縁に形成され、第２本体２２０と隣接するベース２３１の側縁が延びる方向に延び、第２本体２２０のガイド部２２３（図３６参照）と同様に、第２本体２２０のガイド部２２２ａの溝と係合する突起が形成されている。
【０２７１】
ピニオン部２３４は、第２本体２２０のピニオン部２２４（図３６参照）と同様に、ベース２３１に基端が固定され背面方向に延びる軸部と、軸部に回動自在に支持され、第２本体２２０のラック部２２２ｂと係合するギヤ部と、を備える。また、ピニオン部２３４は、モータ３００（図３３参照）の駆動により回動する。
【０２７２】
第４本体２４０は、第４液晶パネル１１４の背面に設けられ、第４液晶パネル１１４を支持し、ベース２４１と、第１ガイド部２４２と、第２ガイド部２４３と、ピニオン部２４４と、を備える。
【０２７３】
ベース２４１は、表示領域１１ａ（図３２参照）又は背面側から見て、第４液晶パネル１１４と略同一形状に形成されている。
【０２７４】
第１ガイド部２４２は、第３本体２３０と隣接するベース２４１の側縁に形成され、第３本体２３０と隣接するベース２４１の側縁が延びる方向に延び、第２本体２２０のガイド部２２３（図３６参照）と同様に、第３本体２３０のガイド部２３２ａの溝と係合する突起が形成されている。
【０２７５】
第２ガイド部２４３は、第５本体２５０と隣接するベース２４１の側縁に形成され、第５本体２５０と隣接するベース２４１の側縁が延びる方向に延び、第２本体２２０のガイド部２２３（図３６参照）と同様に、後述する第５本体２５０の係合部２５２の溝と係合する突起が形成されている。
【０２７６】
ピニオン部２４４は、第２本体２２０のピニオン部２２４（図３６参照）と同様に、ベース２５１に基端が固定され背面方向に延びる軸部と、軸部に回動自在に支持され、第３本体２３０のラック部２３２ｂと係合するギヤ部と、を備える。また、ピニオン部２４４は、モータ３００（図３３参照）の駆動により回動する。
【０２７７】
第５本体２５０は、第５液晶パネル１１５の背面に設けられ、第５液晶パネル１１５を支持し、ベース２５１と、係合部２５２と、ガイド部２５３と、ピニオン部２５４と、を備える。
【０２７８】
ベース２５１は、表示領域１１ａ（図３２参照）又は背面側から見て、第５液晶パネル１１５と略同一形状に形成されている。
【０２７９】
係合部２５２は、第４本体２４０と隣接するベース２５１の側縁から第４本体２４０側に突出し、この突出した部分に、第１本体２１０のガイド部２１２ａ（図３６参照）と同様に、第４本体２４０の第２ガイド部２４３とスライド自在に係合する溝が形成されている。
【０２８０】
ガイド部２５３は、第６本体２６０と隣接するベース２５１の側縁に形成され、第６本体２６０と隣接するベース２５１の側縁が延びる方向に延び、第２本体２２０のガイド部２２３（図３６参照）と同様に、後述する第６本体２６０のガイド部２６２ａの溝と係合する突起が形成されている。
【０２８１】
ピニオン部２５４は、第２本体２２０のピニオン部２２４（図３６参照）と同様に、ベース２５１に基端が固定され背面方向に延びる軸部と、軸部に回動自在に支持され、後述する第６本体２６０のラック部２６２ｂと係合するギヤ部と、を備える。また、ピニオン部２５４は、モータ３００（図３３参照）の駆動により回動する。
【０２８２】
第６本体２６０は、第６液晶パネル１１６の背面に設けられ、第６液晶パネル１１６を支持し、ベース２６１と、係合部２６２と、ガイド部２６３と、ピニオン部２６４と、を備える。
【０２８３】
ベース２６１は、表示領域１１ａ（図３２参照）又は背面側から見て、第６液晶パネル１１６と略同一形状に形成されている。
【０２８４】
係合部２６２は、第５本体２５０と隣接するベース２６１の側縁から第５本体２５０側に突出するガイド部２６２ａと、ガイド部２６２ａの側縁に設けられたラック部２６２ｂと、を備える。ガイド部２６２ａは、ベース２６１の側縁から突出した部分が、第１本体２１０のガイド部２１２ａ（図３６参照）と同様に、第５本体２５０のガイド部２５３とスライド自在に係合する溝が形成されている。ラック部２６２ｂは、ガイド部２６２ａの側縁に設けられ、第５本体２５０と隣接するベース２６１の側縁が延びる方向に延び、第５本体２５０のピニオン部２５４と係合する。
【０２８５】
ガイド部２６３は、第７本体２７０と隣接するベース２６１の側縁に形成され、第７本体２７０と隣接するベース２６１の側縁が延びる方向に延び、第２本体２２０のガイド部２２３（図３６参照）と同様に、後述する第７本体２７０のガイド部２７２ａの溝と係合する突起が形成されている。
【０２８６】
ピニオン部２６４は、第２本体２２０のピニオン部２２４（図３６参照）と同様に、ベース２６１に基端が固定され背面方向に延びる軸部と、軸部に回動自在に支持され、後述する第７本体２７０のラック部２７２ｂと係合するギヤ部と、を備える。また、ピニオン部２６４は、モータ３００（図３３参照）の駆動により回動する。
【０２８７】
第７本体２７０は、第７液晶パネル１１７の背面に設けられ、第７液晶パネル１１７を支持し、ベース２７１と、係合部２７２と、ガイド部２７３と、ピニオン部２７４と、を備える。
【０２８８】
ベース２７１は、表示領域１１ａ（図３２参照）又は背面側から見て、第７液晶パネル１１７と略同一形状に形成されている。
【０２８９】
係合部２７２は、第６本体２６０と隣接するベース２７１の側縁から第６本体２６０側に突出するガイド部２７２ａと、ガイド部２７２ａの側縁に設けられたラック部２７２ｂと、を備える。ガイド部２７２ａは、ベース２７１の側縁から突出した部分が、第１本体２１０のガイド部２１２ａ（図３６参照）と同様に、第６本体２６０のガイド部２６３とスライド自在に係合する溝が形成されている。ラック部２７２ｂは、ガイド部２７２ａの側縁に設けられ、第６本体２６０と隣接するベース２７１の側縁が延びる方向に延び、第６本体２６０のピニオン部２６４と係合する。
【０２９０】
ガイド部２７３は、第１本体２１０と隣接するベース２７１の側縁に形成され、第１本体２１０と隣接するベース２７１の側縁が延びる方向に延び、第２本体２２０のガイド部２２３（図３６参照）と同様に、第１本体２１０のガイド部２１３ａの溝と係合する突起が形成されている。
【０２９１】
ピニオン部２７４は、第２本体２２０のピニオン部２２４（図３６参照）と同様に、ベース２７１に基端が固定され背面方向に延びる軸部と、軸部に回動自在に支持され、第１本体２１０のラック部２１３ｂと係合するギヤ部と、を備える。また、ピニオン部２７４は、モータ３００（図３３参照）の駆動により回動する。
【０２９２】
モータ３００（図３３参照）は、副制御回路１０１（図５参照）に制御された駆動制御基板７８（図３３参照）により駆動し、第１本体２１０のピニオン部２１４、第２本体２２０のピニオン部２２４、第３本体２３０のピニオン部２３４、第４本体２４０のピニオン部２４４、第５本体２５０のピニオン部２５４、第６本体２６０のピニオン部２６４及び第７本体２７０のピニオン部２７４を同期させて回動させる。
【０２９３】
駆動制御手段の一例である副制御回路１０１（図５参照）は、主制御回路９１（図４参照）から送信されるコマンド信号に基づいて演出内容を決定し、決定した演出内容に応じて、複数のモータ３００（図３３参照）をそれぞれの所定方向に回動駆動して、ピニオン部２１４、ピニオン部２２４、ピニオン部２３４、ピニオン部２４４、ピニオン部２５４、ピニオン部２６４及びピニオン部２７４を同期させて回動させる。なお、副制御回路１０１は、予め設定された演出内容に応じたステップ数だけモータ３００（図３３参照）を駆動してもよいし、第１本体２１０、第２本体２２０、第３本体２３０、第４本体２４０、第５本体２５０、第６本体２６０及び第７本体２７０にフォトセンサを設けた場合にはこのフォトセンサから送信された信号に基づき、第１液晶パネル１１１、第２液晶パネル１１２、第３液晶パネル１１３、第４液晶パネル１１４、第５液晶パネル１１５、第６液晶パネル１１６及び第７液晶パネル１１７の位置を検出し、検出した位置に応じてモータ３００を駆動してもよい。
【０２９４】
［駆動制御］
次に、駆動装置２００Ｃによる液晶表示装置１１Ｃの動作について説明する。例えば、液晶表示装置１１Ｃは、初期状態において、図３４に示すように、第１液晶パネル１１１、第２液晶パネル１１２、第３液晶パネル１１３、第４液晶パネル１１４、第５液晶パネル１１５、第６液晶パネル１１６及び第７液晶パネル１１７の１つの頂点が互いに近接し、外形形状が七角形形状の状態である第１形態で配置されている。この状態において、副制御回路１０１（図５参照）は、主制御回路９１（図４参照）から送信されるコマンド信号に基づき決定した演出内容に応じて、複数のモータ３００をそれぞれの所定方向に回動駆動する。
【０２９５】
これにより、ピニオン部２１４が所定方向（例えば、図３４に示す矢印方向）に回動し、第１液晶パネル１１１を支持する第１本体２１０は、所定方向に回動する。また、ピニオン部２２４が所定方向（例えば、図３４に示す矢印方向）に回動し、第２液晶パネル１１２を支持する第２本体２２０は、第１本体２１０のガイド部２１２ａと係合するガイド部２２３により、移動方向が第１本体２１０と隣接するベース２２１の側縁が延びる方向に規制されつつ、第１形態の七角形形状の中心から離れる方向に移動する。また、ピニオン部２３４が所定方向（例えば、図３４に示す矢印方向）に回動し、第３液晶パネル１１３を支持する第３本体２３０は、第２本体２２０のガイド部２２２ａと係合するガイド部２３３により、移動方向が第２本体２２０と隣接するベース２３１の側縁が延びる方向に規制されつつ、第１形態の七角形形状の中心から離れる方向に移動する。また、ピニオン部２４４が所定方向（例えば、図３４に示す矢印方向）に回動し、第４液晶パネル１１４を支持する第４本体２４０は、第３本体２３０のガイド部２３２ａと係合する第１ガイド部２４２により、移動方向が第３本体２３０と隣接するベース２４１の側縁が延びる方向に規制されつつ、第１形態の七角形形状の中心から離れる方向に移動する。また、ピニオン部２７４が所定方向（例えば、図３４に示す矢印方向）に回動し、第７液晶パネル１１７を支持する第７本体２７０は、第１本体２１０のガイド部２１３ａと係合するガイド部２７３により、移動方向が第１本体２１０と隣接するベース２７１の側縁が延びる方向に規制されつつ、第１形態の七角形形状の中心から離れる方向に移動する。また、ピニオン部２６４が所定方向（例えば、図３４に示す矢印方向）に回動し、第６液晶パネル１１６を支持する第６本体２６０は、第７本体２７０のガイド部２７２ａと係合するガイド部２６３により、移動方向が第７本体２７０と隣接するベース２６１の側縁が延びる方向に規制されつつ、第１形態の七角形形状の中心から離れる方向に移動する。また、ピニオン部２５４が所定方向（例えば、図３４に示す矢印方向）に回動し、第５液晶パネル１１５を支持する第５本体２５０は、第６本体２６０のガイド部２６２ａと係合するガイド部２５３により、移動方向が第６本体２６０と隣接するベース２５１の側縁が延びる方向に規制されつつ、第１形態の七角形形状の中心から離れる方向に移動する。
【０２９６】
このような駆動装置２００Ｃの動作により、液晶表示装置１１Ｃは、第１液晶パネル１１１、第２液晶パネル１１２、第３液晶パネル１１３、第４液晶パネル１１４、第５液晶パネル１１５、第６液晶パネル１１６及び第７液晶パネル１１７がそれぞれ同一方向に回動し、中心域に七角形形状の開口部が形成された第２形態に変化し、図３５に示す状態となる。
【０２９７】
このように、第１液晶パネル１１１、第２液晶パネル１１２、第３液晶パネル１１３、第４液晶パネル１１４、第５液晶パネル１１５、第６液晶パネル１１６及び第７液晶パネル１１７は、一体的な複数の配置形態とすることが可能であり、互いに隣接する表示手段同士の少なくとも一部分が接触して一体的に配置可能であり、駆動手段により他の表示手段との接触または接近状態を保持しつつ動作する複数の表示手段の一例として機能する。また、液晶表示装置１１Ｃは、Ｎ個の表示手段を有し、駆動手段により、Ｎ個の表示手段の１つの頂点が互いに近接し、外形形状がＮ角形形状の状態である第１形態から、Ｎ個の表示手段がそれぞれ同一方向に回動し、中心域にＮ角形形状の開口部が形成された第２形態に変化する表示装置の一例として機能する。
【０２９８】
また、第１液晶パネル１１１、第２液晶パネル１１２、第３液晶パネル１１３、第４液晶パネル１１４、第５液晶パネル１１５、第６液晶パネル１１６及び第７液晶パネル１１７を、それぞれ個別に設けたモータ３００を駆動することで個別に移動するので、微細な移動制御（段階的に移動速度を速めるような制御）が可能となり、また、少数のモータで多くの液晶パネルを移動させる場合に比べ、各液晶パネルに掛かる負荷を軽減できるので、液晶パネルに接続されるケーブルへの負荷も軽減され、ケーブルの断線を防止できる。また、より安定的に液晶パネルを動作させることができる。
【０２９９】
また、副制御回路１０１（図５参照）は、複数種類の移動速度（例えば、最大速度、最小速度、最大速度と最小速度との中間である中間速度等）のいずれかの速度で、第１液晶パネル１１１、第２液晶パネル１１２、第３液晶パネル１１３、第４液晶パネル１１４、第５液晶パネル１１５、第６液晶パネル１１６及び第７液晶パネル１１７（以下、第１液晶パネル１１１等とも言う。）を移動させる制御を行ってもよい。この場合、副制御回路１０１は、遊技状態や内部当籤役に応じて（例えば、前兆示唆、期待度示唆、ボーナス、ＡＴの報知等）決定した速度で、第１液晶パネル１１１等を移動させる制御を行う。これにより、第１液晶パネル１１１等の演出画像と移動速度とに関係性や法則性を持たせることが可能となり、ゲームのバリエーションを増やすことができる。
［表示制御］
次に、副制御回路１０１による液晶表示装置１１Ｃの表示制御について説明する。図３７は、本発明の第４実施形態に係る液晶表示装置における演出画像の一例を示す図である。図３７（ａ）は７つの液晶パネルの１つの頂点が互いに近接し、外形形状が七角形形状の状態である第１形態の液晶表示装置を示し、図３７（ｂ）は７つの液晶パネルがそれぞれ同一方向に回動し、中心域に七角形形状の開口部が形成された第２形態の液晶表示装置を示している。
【０３００】
例えば、液晶表示装置１１Ｃは、第１形態において、図３７（ａ）に示すように、第１液晶パネル１１１、第２液晶パネル１１２、第３液晶パネル１１３、第４液晶パネル１１４、第５液晶パネル１１５、第６液晶パネル１１６及び第７液晶パネル１１７の１つの頂点が互いに近接し、外形形状が七角形形状の状態である第１形態で配置されている。この状態において、副制御回路１０１（図５参照）は、主制御回路９１（図４参照）から送信されるコマンド信号に基づき決定した演出内容に応じて、第１液晶パネル１１１、第２液晶パネル１１２、第３液晶パネル１１３、第４液晶パネル１１４、第５液晶パネル１１５、第６液晶パネル１１６及び第７液晶パネル１１７の表示領域１１ａを１つの画面とした演出画像を、当該表示領域１１ａに表示する制御を行う。例えば、図３７（ａ）に示す例では、副制御回路１０１は、第１液晶パネル１１１、第２液晶パネル１１２、第３液晶パネル１１３、第４液晶パネル１１４、第５液晶パネル１１５、第６液晶パネル１１６及び第７液晶パネル１１７の表示領域１１ａを１つの画面とした演出画像として１つのモチーフを示す画像（図３７（ａ）に示す例では、打ち上げ花火の画像）を、当該表示領域１１ａに表示する。
【０３０１】
そして、副制御回路１０１（図５参照）は、主制御回路９１（図４参照）から送信されるコマンド信号に基づき決定した演出内容に応じて、駆動装置２００Ｃ（図３４参照）の複数のモータ３００をそれぞれの所定方向に回動駆動させるタイミングで、第１液晶パネル１１１、第２液晶パネル１１２、第３液晶パネル１１３、第４液晶パネル１１４、第５液晶パネル１１５、第６液晶パネル１１６及び第７液晶パネル１１７の表示領域１１ａを１つの画面とした演出画像として１つのモチーフを分割した画像（図３７（ｂ）に示す例では、打ち上げ花火が散った状態を示す画像）を、当該表示領域１１ａに表示する。
【０３０２】
図３８は、本発明の第４実施形態に係る液晶表示装置における演出画像の一例を示す図である。図３８（ａ）は液晶表示装置の第２形態における演出開始時の演出画像を示し、図３８（ｂ）は（ａ）に示す演出開始時の演出画像の経時的変化を示している。図３９及び図４０は、本発明の第４実施形態に係る液晶表示装置における演出画像の一例を示す図である。図３７（ｂ）では打ち上げ花火が散った状態を示す残光の画像を液晶パネル１１１〜１１７の全てに表示しているが、この態様に限らず、いずれか１つ又は任意の複数の液晶パネルに限って表示ことも可能である。また、液晶パネルが図３７（ｂ）に示す第２形態の位置にある時に、１の液晶パネル又は複数の液晶パネルから他のパネルに対して波及するような演出も可能である。具体例として、花火の残光（花火が散った状態を示す画像）がゆっくりと落ちていく様子を表現するために、図３８に示すように、第１液晶パネル１１１に表示された残光が第２液晶パネル１１２へ落ちていき、続けてその残光が第３液晶パネル１１３へと落ちていく様子を一連のアニメーションで表示する演出が可能である。そして、全ての残光の表示が終了したところで、複数の液晶パネルを互いに集合した第１形態（図３４参照）に変化させることで、画像表現と液晶の移動がリンクした、より印象深い演出とすることができる。このように、第２形態の表示内容を踏まえて、第１形態（初期状態）への戻し動作を行うことで、より特殊な形状の表示手段を移動させる演出の興趣を高めることができる。なお、上記具体例は一例にすぎず、演出の内容によっては、第２形態での表示演出が続いた状態で、第１形態への戻しを行うものであってもよい。また、図３９に示すように、第２形態での各液晶パネル１１１〜１１７に、「ベル」、「リプレイ」、「スイカ」、「チェリー」、「ハズレ」、「ボーナス」、「チャンス」等の当籤役や遊技状態に対応するシンボルを１枚の液晶パネルに１シンボルずつ表示し、第１形態へ戻る際の各液晶パネルが回動する間も一定時間該シンボルを表示し続けることで、可動液晶パネル全体の動きをルーレットに見立てるルーレット演出を行うことができる。この場合、図４０に示すように、第１形態に戻ったところで、背景画像として、例えば、花火が炸裂し、遊技状態に合わせたシンボル画像の１つ又は２つを集合状態の液晶で大きく表示すると効果的である。また、図４０に示す例では、花火が炸裂し、当りであることを示すシンボルが表示されているが、当籤役や遊技状態に応じて、花火を不発にし、ハズレであることを示すシンボルを表示してもよい。こうした演出により、特殊形状ゆえの離散・集合時の形態変化を活かして、遊技者に斬新な印象の遊技機を提供することが可能となる。
【０３０３】
このように、副制御回路１０１（図５参照）は、複数の表示手段の表示領域を１つの画面とした演出画像を表示制御する表示制御手段の一例として機能する。
【０３０４】
図４１は、本発明の第４実施形態に係る液晶表示装置における演出の別例を示す図である。第４実施形態の別例では、液晶表示装置１１Ｃの背面側に役物１１８が設けられている。即ち、役物１１８は、液晶表示装置１１Ｃが７つの液晶パネル（第１液晶パネル１１１、第２液晶パネル１１２、第３液晶パネル１１３、第４液晶パネル１１４、第５液晶パネル１１５、第６液晶パネル１１６及び第７液晶パネル１１７）の１つの頂点が互いに近接し、外形形状が七角形形状の状態である第１形態である場合には遊技者から視認することはできない。そして、副制御回路１０１（図５参照）の制御により、液晶表示装置１１Ｃの７つの液晶パネルがそれぞれ同一方向に回動し、中心域に七角形形状の開口部が形成された第２形態となると、液晶表示装置１１Ｃの中心域に形成される七角形形状の開口部から、液晶表示装置１１Ｃの背面側に設けられた役物１１８が、遊技者から視認可能となり、図４１に示す状態となる。これにより、複数の液晶パネルを連動させて回動させて、液晶表示装置の一体的な形態を維持してある形態から別の形態に変化させた場合に、ある形態では遊技者から視認できなかった役物を、変化後の別の形態で視認可能とできる。よって、複数の液晶パネルを備える液晶表示装置の一体的な形態を維持しつつ変形する演出性を向上できる。
【０３０５】
＜第４実施形態の変形例に係る遊技機（パチンコ）＞
本発明は、第４実施形態の変形例に係る遊技機（パチンコ）にも適用可能である。図４２は、本発明の第４実施形態の変形例に係る遊技機（パチンコ）の外観を示す斜視図である。図４２に示すように、第４実施形態の変形例に係るパチンコ機１Ｃ’は、第１液晶パネル１１１、第２液晶パネル１１２、第３液晶パネル１１３、第４液晶パネル１１４、第５液晶パネル１１５、第６液晶パネル１１６及び第７液晶パネル１１７を有し、これらの液晶パネルが一体的な複数の配置形態とすることが可能であり、互いに隣接する液晶パネル同士の少なくとも一部分が接触して一体的に配置可能であり、駆動装置２００Ｃにより他の液晶パネルとの接触または接近状態を保持しつつ動作する液晶表示装置１１Ｃを備える。
【０３０６】
図４３は、本発明の第４実施形態の変形例に係る遊技機（パチンコ）の主制御回路及び副制御回路の構成を示すブロック図である。パチンコ機１Ｃ’は、遊技の進行を制御する制御手段としての主制御部３０がメインＣＰＵ３１等を備え、この主制御部３０に、特別図柄表示装置３１０、普通図柄表示装置３１１、特別図柄保留表示装置３１２、普通図柄保留表示装置３１３、カウントセンサ３１４、一般入賞球センサ３１５、通過球センサ３１６、始動入賞球センサ３１７、普通電動役物ソレノイド３１８、大入賞口ソレノイド３１９、バックアップクリアスイッチ３２０、払出・発射制御回路５００、払出装置５１０、発射装置５２０等が接続されている。また、パチンコ機１Ｃ’は、主制御部３０からコマンドが送信される副制御部８０がサブＣＰＵ８１、プログラムＲＯＭ８２、ワークＲＡＭ８３、表示制御回路４１０、音声制御回路４２０、ＬＥＤ制御回路４３０、駆動制御回路４４０等を備える。表示制御回路４１０には、液晶表示装置１１Ｃが接続されている。駆動制御回路４４０には、駆動装置２００Ｃのモータ３００が接続されている。
【０３０７】
副制御部８０は、上述の副制御回路１０１（図５参照）と同様の駆動装置２００Ｃの制御により、図４２に示す、第１液晶パネル１１１、第２液晶パネル１１２、第３液晶パネル１１３、第４液晶パネル１１４、第５液晶パネル１１５、第６液晶パネル１１６及び第７液晶パネル１１７の１つの頂点が互いに近接し、外形形状が七角形形状の状態である第１形態の液晶表示装置１１Ｃを、これらの液晶パネルをそれぞれ同一方向に回動させ、中心域に七角形形状の開口部が形成された第２形態に変化させる。
【０３０８】
また、副制御部８０は、上述の副制御回路１０１（図５参照）と同様の制御により、図４２に示す、第１液晶パネル１１１、第２液晶パネル１１２、第３液晶パネル１１３、第４液晶パネル１１４、第５液晶パネル１１５、第６液晶パネル１１６及び第７液晶パネル１１７の表示領域１１ａを１つの画面とした演出画像を表示制御する。
【０３０９】
第４実施形態によれば、以下の作用効果を奏する。パチスロ機１Ｃ又はパチンコ機１Ｃ’によれば、第１液晶パネル１１１、第２液晶パネル１１２、第３液晶パネル１１３、第４液晶パネル１１４、第５液晶パネル１１５、第６液晶パネル１１６及び第７液晶パネル１１７が完全に分離されずに接触または接近した状態で動作し、隣接する液晶パネル同士の一部分が接触または接近して一体的な状態を維持しつつ、形態が変化する。その結果、液晶表示装置１１Ｃは、一体的であり、且つ、あるデザイン性を持った別の形態に変化しつつも、変化の前後において、第１液晶パネル１１１、第２液晶パネル１１２、第３液晶パネル１１３、第４液晶パネル１１４、第５液晶パネル１１５、第６液晶パネル１１６及び第７液晶パネル１１７の表示領域１１ａを１つの画面とした演出画像を表示できる。したがって、印象深い演出画像の表示を行うことが可能な遊技機を提供できる。
【０３１０】
また、パチスロ機１Ｃ又はパチンコ機１Ｃ’によれば、液晶表示装置１１Ｃは、同一の形状に形成された第１液晶パネル１１１、第２液晶パネル１１２、第３液晶パネル１１３、第４液晶パネル１１４、第５液晶パネル１１５、第６液晶パネル１１６及び第７液晶パネル１１７が、隣接する他の液晶パネルに摺接しながら、それぞれ回動するので、第１液晶パネル１１１、第２液晶パネル１１２、第３液晶パネル１１３、第４液晶パネル１１４、第５液晶パネル１１５、第６液晶パネル１１６及び第７液晶パネル１１７が同様の動作をして、全体としてはあるデザイン性を持った別の形態に変化し、変化の前後において、第１液晶パネル１１１、第２液晶パネル１１２、第３液晶パネル１１３、第４液晶パネル１１４、第５液晶パネル１１５、第６液晶パネル１１６及び第７液晶パネル１１７の表示領域１１ａを１つの画面とした演出画像を表示できる。したがって、より印象深い演出画像の表示を行うことが可能な遊技機を提供できる。
【０３１１】
また、パチスロ機１Ｃ又はパチンコ機１Ｃ’によれば、液晶表示装置１１Ｃは、外形形状が七角形形状の状態である第１形態から、第１液晶パネル１１１、第２液晶パネル１１２、第３液晶パネル１１３、第４液晶パネル１１４、第５液晶パネル１１５、第６液晶パネル１１６及び第７液晶パネル１１７がそれぞれ同一の方向に回動することで、中心域に七角形形状の開口部が形成された第２形態に変化し、変化の前後において、第１液晶パネル１１１、第２液晶パネル１１２、第３液晶パネル１１３、第４液晶パネル１１４、第５液晶パネル１１５、第６液晶パネル１１６及び第７液晶パネル１１７の表示領域１１ａを１つの画面とした演出画像を表示できる。したがって、より印象深い演出画像の表示を行うことが可能な遊技機を提供できる。
【０３１２】
なお、本発明は、上述した実施形態及び変形例に限定されるものではない。例えば、第４実施形態において、液晶表示装置１１Ｃは、二等片三角形形状に形成された７つの液晶パネルにより全体として７角形を形成しているが、これに限らず、液晶パネルを任意の形状とすることができる。例えば、液晶表示装置１１Ｃは、正三角形で形成された６つの液晶パネルにより全体として６角形を形成してもよいし、複数の四角形状等の任意の形状で形成された液晶パネル同士の少なくとも一部分を接触させて一体的に配置してもよい。
【０３１３】
また、第４実施形態において、駆動装置２００Ｃは、第１液晶パネル１１１、第２液晶パネル１１２、第３液晶パネル１１３、第４液晶パネル１１４、第５液晶パネル１１５、第６液晶パネル１１６及び第７液晶パネル１１７を夫々の駆動系により、個別に移動させている。しかしながら、駆動装置２００Ｃは、これに限らず、第１液晶パネル１１１、第２液晶パネル１１２、第３液晶パネル１１３、第４液晶パネル１１４、第５液晶パネル１１５、第６液晶パネル１１６及び第７液晶パネル１１７の互いに隣接した側縁を係合させ、１つの駆動系により、全ての液晶パネルを移動させてもよい。これにより、全ての液晶パネルによる一体感のある演出が可能となり、より印象深い演出画像の表示を行うことが可能となる。また、駆動系を一つにすることで、複数の駆動系を同期させる場合に比べ、制御負担を軽減できる。
【０３１４】
また、第４実施形態において、副制御回路１０１（図５参照）は、ピニオン部２１４、ピニオン部２２４、ピニオン部２３４、ピニオン部２４４、ピニオン部２５４、ピニオン部２６４及びピニオン部２７４を同期させて回動させることで、第１液晶パネル１１１、第２液晶パネル１１２、第３液晶パネル１１３、第４液晶パネル１１４、第５液晶パネル１１５、第６液晶パネル１１６及び第７液晶パネル１１７を同じタイミングで移動させるが、これに限らず、これらの液晶パネルをそれぞれ異なるタイミングで移動させてもよい。これにより、演出バリエーションを増やすことが可能となり、遊技の興趣を向上することができる。また、遊技状態や内部当籤役と、第１液晶パネル１１１等の動作タイミングや動作パターンとに対応関係を持たせ、例えば、ボーナスに対する期待度等に応じて、第１液晶パネル１１１等の動作タイミングや動作パターンに違いを設けることで、液晶パネルの動作をより深く遊技者に印象付けることができる。
【０３１５】
また、第４実施形態の互いに係合した複数の部材を回転・分離させる機構は液晶パネル以外の可動装飾部材に用いることもでき、この場合は、可動装飾部材の動作態様で遊技の興趣を高めることが可能となる。従来から様々な役物の動作態様で遊技性を高めた遊技機が求められているが、本実施形態の機構を用いることで、新鮮な動作パターンで動作する可動物を備える遊技機を提供することが可能となる。
【０３１６】
（第５実施形態）
＜パチスロ機の機能フロー＞
本発明の第５実施形態を示す遊技機であるパチスロ機について説明する。なお、本発明の第５実施形態を示す遊技機であるパチスロ機の機能フローは、第１実施形態と同様であるので、説明を省略する。また、以下の第５実施形態の説明において、第１実施形態と同様の構成については説明を省略する。
【０３１７】
＜パチスロ機の構造＞
次に、図４４を参照して、第５実施形態におけるパチスロ機の外観構造について説明する。第５実施形態のパチスロ機１Ｄは、第１実施形態の液晶表示装置１１及び駆動装置２００（図２参照）とは、異なる液晶表示装置１１Ｄ及び駆動装置２００Ｄを備える。
【０３１８】
［外観構造］
図４４は、パチスロ機１Ｄの外部構造を示す斜視図である。図４４に示すように、パチスロ機１Ｄにおいて、液晶表示装置１１Ｄは、例えば、前面側（パチスロ機１Ｄの正面側であり、遊技者に対向する面）に形成された表示領域１１ａに遊技上の演出に係る画像や遊技に関する情報を表示するようフロントドア２ｂのドア本体９の上部に取り付けられている。液晶表示装置１１Ｄは、映像の表示による演出を実行する他、例えば遊技機のカスタマイズや遊技履歴等の遊技台情報を表示することができる。また、液晶表示装置１１Ｄには、遊技場の管理者の操作に応じて、ホールメニューが表示される。この場合、液晶表示装置１１Ｄをタッチパネルで構成し、ホールメニューにおいて、管理者が操作可能なボタン等を表示することができる。また、詳細は後述するが、液晶表示装置１１Ｄは、遊技における演出画像を前面に形成された表示領域１１ａに表示可能な表示部として、固定して配置された固定表示手段としての固定液晶パネル１１０と、固定液晶パネル１１０の周囲を移動可能な移動表示手段としての第１移動液晶パネル１１１及び第２移動液晶パネル１１２と、を備える。第１移動液晶パネル１１１及び第２移動液晶パネル１１２は、駆動装置２００Ｄにより固定液晶パネル１１０の周囲を移動する。
【０３１９】
また、フロントドア２ｂは、３つのリール３Ｌ，３Ｃ，３Ｒの一部を視認させることが可能な表示窓４を有する。表示窓４は、３つのリール３Ｌ，３Ｃ，３Ｒに対応する３つの左表示窓４Ｌ，中表示窓４Ｃ，右表示窓４Ｒによって構成されている。
【０３２０】
これら表示窓４Ｌ，４Ｃ，４Ｒは、正面（遊技者側）から見て、３つのリール３Ｌ，３Ｃ，３Ｒの配置領域と重畳する位置に設けられ、かつ、３つのリールより手前（遊技者側）に位置するように設けられる。したがって、遊技者は、表示窓４Ｌ，４Ｃ，４Ｒを介して、表示窓４の背後に設けられた３つのリール３Ｌ，３Ｃ，３Ｒを視認することができる。また、詳細は後述するが、駆動装置２００Ｄ（図４６参照）は、液晶表示装置１１Ｄの背面（前面側の反対側の面）に設けられている。したがって、遊技者は、駆動装置２００Ｄを視認することができない。
【０３２１】
また、上述したリール３Ｌ，３Ｃ，３Ｒ及び液晶表示装置１１Ｄの前面側には、保護ガラス６が配設されている。これにより、リール３Ｌ，３Ｃ，３Ｒ及び液晶表示装置１１Ｄを遊技者が直接触れることができないようになっている。
【０３２２】
ストップボタン１７Ｌ，１７Ｃ，１７Ｒは、液晶表示装置１１Ｄに表示される情報に関する操作を行う際に用いられるようになっており、例えば液晶表示装置１１Ｄの表示画面上における選択操作を行う際に用いられる。以下、ストップボタン１７Ｌ，１７Ｃ，１７Ｒを、それぞれ左ストップボタン１７Ｌ、中ストップボタン１７Ｃ、右ストップボタン１７Ｒという。
【０３２３】
選択ボタン及び決定ボタンは、液晶表示装置１１Ｄの表示画面上における各種操作を行う際に用いられる。
【０３２４】
＜パチスロ機の電気的構成＞
次に、パチスロ機１Ｄの電気的構成について、図４５を参照して、第１実施形態と異なる構成について説明する。図４５は、パチスロ機１Ｄの電気的構成を示すブロック図である。
【０３２５】
２４ｈドア開閉監視ユニット７４は、フロントドア２ｂの開閉の履歴を保存する。また、２４ｈドア開閉監視ユニット７４は、フロントドア２ｂを開放したときに、液晶表示装置１１Ｄにエラー表示を行うための信号を副制御基板４２（副制御回路１０１）に出力する。
【０３２６】
駆動制御基板７８は、副制御回路１０１（図５参照）の制御により実行される演出に応じて、駆動装置２００Ｄを駆動させる。駆動装置２００Ｄは、駆動制御基板７８によって駆動制御されることで後述する液晶表示装置１１Ｄの第１移動液晶パネル１１１及び第２移動液晶パネル１１２（図４６参照）を移動させる。
【０３２７】
副制御基板４２には、ロムカートリッジ基板７６と、液晶中継基板７７とが接続されている。ロムカートリッジ基板７６は、演出用の画像（映像）、音声、光（ＬＥＤ群２５）、駆動装置２００Ｄの駆動及び通信のデータを管理するための基板である。液晶中継基板７７は、副制御基板４２と液晶表示装置１１Ｄとを接続する配線を中継する基板である。
【０３２８】
＜主制御回路＞
次に、主制御基板４１により構成される主制御回路９１について、図４に示す第１実施形態と同様であるので説明を省略する。
【０３２９】
＜副制御回路＞
次に、副制御基板４２により構成される副制御回路１０１について、図５を参照して、第１実施形態と異なる構成について説明する。
【０３３０】
副制御部としての副制御回路１０１は、主制御回路９１と電気的に接続されており、主制御回路９１から送信されるコマンド信号に基づいて演出内容の決定や実行等の処理を行うとともに、図４５に示す液晶表示装置１１Ｄ、駆動装置２００Ｄ、ＬＥＤ群２５、スピーカ２３Ｌ，２３Ｒ等の周辺装置の制御を行うものである。副制御回路１０１は、基本的に、サブＣＰＵ１０２、サブＲＡＭ１０３、レンダリングプロセッサ１０４、描画用ＲＡＭ１０５、ドライバ１０６を含んで構成されている。
【０３３１】
サブＣＰＵ１０２は、主制御回路９１（図４参照）から送信されたコマンド信号に応じて、ロムカートリッジ基板７６に記憶されている制御プログラムに従い、音、光の出力、液晶表示装置１１Ｄの表示制御及び駆動装置２００Ｄ（図４５参照）の駆動の制御を行う。ロムカートリッジ基板７６は、基本的に、プログラム記憶領域とデータ記憶領域によって構成される。
【０３３２】
プログラム記憶領域には、サブＣＰＵ１０２が実行する制御プログラムが記憶されている。例えば、制御プログラムには、主制御回路９１（図４参照）との通信を制御するための主基板通信タスクや、演出用乱数値を抽出し、演出内容（演出データ）の決定及び登録を行うための演出登録タスクが含まれる。また、決定した演出内容に基づいて液晶表示装置１１Ｄ（図４４参照）による映像の表示を制御する描画制御タスク、駆動装置２００Ｄ（図４５参照）による液晶表示装置１１Ｄの第１移動液晶パネル１１１及び第２移動液晶パネル１１２（図４６参照）の移動を制御する駆動制御タスク、ＬＥＤ群２５（図４５参照）等の光源による光の出力を制御するランプ制御タスク、スピーカ２３Ｌ，２３Ｒによる音の出力を制御する音声制御タスク等が含まれる。このように、サブＣＰＵ１０２は、駆動装置２００Ｄを駆動制御する駆動制御手段の一例として機能する。
【０３３３】
データ記憶領域は、各種データテーブルを記憶する記憶領域、各演出内容を構成する演出データを記憶する記憶領域、映像の作成に関するアニメーションデータを記憶する記憶領域が含まれている。また、ＢＧＭや効果音に関するサウンドデータを記憶する記憶領域、光の点消灯のパターンに関するランプデータを記憶する記憶領域等が含まれている。
【０３３４】
サブＲＡＭ１０３は、決定された演出内容や演出データを登録する格納領域や、主制御回路９１から送信される内部当籤役等の各種データを格納する格納領域が設けられている。
【０３３５】
サブＣＰＵ１０２、レンダリングプロセッサ１０４、描画用ＲＡＭ（フレームバッファを含む）１０５及びドライバ１０６は、演出内容により指定されたアニメーションデータに従って映像を作成し、作成した映像を液晶表示装置１１Ｄに表示させる。また、サブＣＰＵ１０２は、演出内容により指定された駆動データに従って駆動装置２００Ｄを駆動制御することで第１移動液晶パネル１１１及び第２移動液晶パネル１１２（図４６参照）を移動する。
【０３３６】
また、サブＣＰＵ１０２は、演出内容により指定されたサウンドデータに従ってＢＧＭ等の音をスピーカ２３Ｌ，２３Ｒにより出力させる。また、サブＣＰＵ１０２は、演出内容により指定されたランプデータに従ってＬＥＤ群２５の点灯及び消灯を制御する。
【０３３７】
＜液晶表示装置及び駆動装置＞
次に、液晶表示装置１１Ｄ及び駆動装置２００Ｄについて説明する。図４６は、本発明の第５実施形態に係るパチスロ機の液晶表示装置及び駆動装置の背面図である。図４６（ａ）は移動液晶パネル及び移動液晶パネルの初期状態を示し、図４６（ｂ）は移動液晶パネル及び移動液晶パネルが初期状態から移動した状態を示している。
【０３３８】
［液晶表示装置］
表示手段としての液晶表示装置１１Ｄは、固定表示手段としての固定液晶パネル１１０と、第１移動表示手段としての第１移動液晶パネル１１１と、第２移動表示手段としての第２移動液晶パネル１１２と、を備える。第１移動液晶パネル１１１及び第２移動液晶パネル１１２は、固定液晶パネル１１０に隣接して配置され、駆動装置２００Ｄにより、固定液晶パネル１１０の周囲を移動可能である。このような第１移動液晶パネル１１１及び第２移動液晶パネル１１２は、固定表示手段に隣接して配置され、駆動手段により、固定表示手段の周囲を移動可能な移動表示手段の一例として機能する。
【０３３９】
固定液晶パネル１１０は、後述する駆動装置２００Ｄの軸部２１０により、フロントドア２ｂ（図４４参照）に固定して配置され、その外形が、前面側から視て円形状に形成されている。
【０３４０】
第１移動液晶パネル１１１及び第２移動液晶パネル１１２は、固定液晶パネル１１０の表示領域１１ａ（図４４参照）に対して、対称に設けられている。また、第１移動液晶パネル１１１及び第２移動液晶パネル１１２は、固定液晶パネル１１０と隣接する側縁１１１ａ及び側縁１１２ａの形状が、固定液晶パネル１１０の外形の形状に沿った形状に形成され、その他の側縁の形状が、孤形状に形成されている。即ち、第１移動液晶パネル１１１及び第２移動液晶パネル１１２の外形は、略三日月形状に形成されている。第１移動液晶パネル１１１及び第２移動液晶パネル１１２は、サブＣＰＵ１０２に駆動制御される駆動装置２００Ｄにより、図４６（ａ）に示す初期状態（例えば、固定液晶パネル１１０、第１移動液晶パネル１１１及び第２移動液晶パネル１１２が所定方向（図４６（ａ）に示す例では水平方向）に配列された状態から、図４６（ｂ）に示す移動状態（例えば、固定液晶パネル１１０、第１移動液晶パネル１１１及び第２移動液晶パネル１１２が所定方向と異なる方向（図４６（ｂ）に示す例では垂直方向）に配列された状態に移動可能である。
【０３４１】
［駆動装置］
図４７は、図４６（ａ）におけるＡＡ’断面図である。駆動装置２００Ｄは、固定液晶パネル１１０及び第１移動液晶パネル１１１及び第２移動液晶パネル１１２の表示領域１１ａが形成されている面の反対側の面である背面に設けられ、軸部２１０と、第１駆動部２２０と、第２駆動部２３０と、モータ２４０（図４５参照）と、を備える。
【０３４２】
軸部２１０は、背面側から前面側に延びる円柱体で形成され、背面側端部がフロントドア２ｂ（図４４参照）に固定され、前面側端部が固定液晶パネル１１０の背面の略中央に固定されている。
【０３４３】
第１駆動部２２０は、軸部２１０に回転自在に支持され、第１移動液晶パネル１１１の背面に固定された第１液晶パネル支持部２２１と、第１液晶パネル支持部２２１と係合し、モータ２４０（図４５参照）の駆動により回転する第１ギヤ２２２と、を備える。第１液晶パネル支持部２２１は、第１支持部２２１ａと、第１ギヤ部２２１ｂと、を備える。第１支持部２２１ａは、基端が軸部２１０に回転自在に軸支され、固定液晶パネル１１０の背面と隙間を空けた状態で、第１移動液晶パネル１１１方向に延び、先端側が第１移動液晶パネル１１１の背面に固定されている。第１ギヤ部２２１ｂは、ギヤ形状に形成され、軸部２１０に回転自在に軸支され、第１支持部２２１ａの基端側に固定され、第１ギヤ２２２と係合している。
【０３４４】
第２駆動部２３０は、第１駆動部２２０より背面側に配置され、軸部２１０に回転自在に支持され、第２移動液晶パネル１１２の背面に固定された第２液晶パネル支持部２３１と、第２液晶パネル支持部２３１と係合し、モータ２４０（図４５参照）の駆動により回転する第２ギヤ２３２と、を備える。第２液晶パネル支持部２３１は、第２支持部２３１ａと、第２ギヤ部２３１ｂと、を備える。第２支持部２３１ａは、基端が軸部２１０に回転自在に軸支され、固定液晶パネル１１０及び第１駆動部２２０の背面と隙間を空けた状態で、第２移動液晶パネル１１２方向に延び、先端側が第２移動液晶パネル１１２の背面に固定されている。第２ギヤ部２３１ｂは、ギヤ形状に形成され、軸部２１０に回転自在に軸支され、第２支持部２３１ａの基端側に固定され、第２ギヤ部２３１ｂと係合している。
【０３４５】
モータ２４０（図４５参照）は、副制御回路１０１（図５参照）に制御された駆動制御基板７８（図４５参照）により駆動し、第１ギヤ２２２及び第２ギヤ２３２を同期させて回転させる。
【０３４６】
駆動制御手段の一例である副制御回路１０１（図５参照）は、主制御回路９１（図４参照）から送信されるコマンド信号に基づいて演出内容を決定し、決定した演出内容に応じて、複数のモータ２４０（図４５参照）をそれぞれの所定方向に回転駆動して、第１ギヤ２２２及び第２ギヤ２３２を同期させて回転させる。なお、副制御回路１０１は、予め設定された演出内容に応じたステップ数だけモータ２４０（図４５参照）を駆動してもよいし、第１液晶パネル支持部２２１及び第２液晶パネル支持部２３１にフォトセンサを設けた場合にはこのフォトセンサで検出した入力信号に基づき、第１移動液晶パネル１１１及び第２移動液晶パネル１１２の位置を検出し、検出した位置に応じてモータ２４０を駆動してもよい。
【０３４７】
［駆動制御］
次に、駆動装置２００Ｄによる液晶表示装置１１Ｄの動作について説明する。例えば、液晶表示装置１１Ｄは、初期状態において、図４６（ａ）に示すように、第１移動液晶パネル１１１及び第２移動液晶パネル１１２は、固定液晶パネル１１０を挟んで、水平線上に配置されている。この状態において、副制御回路１０１（図５参照）は、主制御回路９１（図４参照）から送信されるコマンド信号に基づき決定した演出内容に応じて、複数のモータ２４０をそれぞれの所定方向に回転駆動する。これにより、第１液晶パネル支持部２２１と係合する第１ギヤ２２２、第２液晶パネル支持部２３１と係合する第２ギヤ２３２が同期して回転する。すると、第１液晶パネル支持部２２１及び第２液晶パネル支持部２３１が軸部２１０を中心として回動する。これにより、図４６（ｂ）に示すように、第１移動液晶パネル１１１及び第２移動液晶パネル１１２は、固定液晶パネル１１０を中心に回動し、固定液晶パネル１１０を挟んで、垂直線上に配置された移動状態となる。
【０３４８】
このように、駆動装置２００Ｄは、固定表示手段を挟んで、水平線上に配置された第１移動表示手段及び第２移動表示手段を、固定表示手段を中心に回動させ、固定表示手段を挟んで、垂直線上に配置するように移動させる駆動手段の一例として機能する。
【０３４９】
［表示制御］
次に、副制御回路１０１による液晶表示装置１１Ｄの表示制御について説明する。図４８は、本発明の第５実施形態に係る液晶表示装置における演出画像の一例を示す図である。図４８（ａ）は第１移動液晶パネル及び第２移動液晶パネルが、固定液晶パネルを挟んで、水平線上に配置された状態を示し、図４８（ｂ）は第１移動液晶パネル及び第２移動液晶パネルが、固定液晶パネルを挟んで、垂直線上に配置された状態を示している。
【０３５０】
例えば、液晶表示装置１１Ｄは、初期状態において、図４８（ａ）に示すように、第１移動液晶パネル１１１及び第２移動液晶パネル１１２は、固定液晶パネル１１０を挟んで、水平線上に配置された状態で配置されている。この状態において、副制御回路１０１（図５参照）は、主制御回路９１（図４参照）から送信されるコマンド信号に基づき決定した演出内容に応じて、固定液晶パネル１１０、第１移動液晶パネル１１１及び第２移動液晶パネル１１２の表示領域１１ａを１つの画面とした演出画像を、当該表示領域１１ａに表示する制御を行う。例えば、図４８（ａ）に示す例では、副制御回路１０１は、固定液晶パネル１１０、第１移動液晶パネル１１１及び第２移動液晶パネル１１２の表示領域１１ａを１つの画面とした演出画像として横長の画像を、当該表示領域１１ａに表示する。
【０３５１】
そして、副制御回路１０１（図５参照）は、主制御回路９１（図４参照）から送信されるコマンド信号に基づき決定した演出内容に応じて、駆動装置２００Ｄ（図４６参照）の複数のモータ２４０をそれぞれの所定方向に回転駆動させるタイミングで、固定液晶パネル１１０、第１移動液晶パネル１１１及び第２移動液晶パネル１１２の表示領域１１ａを１つの画面とした演出画像を、横長の画像から縦長の画像に変化させる表示制御を行う。
【０３５２】
このように、副制御回路１０１（図５参照）は、固定表示手段及び移動表示手段の表示領域を１つの画面とした演出画像を表示制御する表示制御手段の一例として機能する。
【０３５３】
図４９は、本発明の第５実施形態に係る液晶表示装置における演出画像の別例を示す図である。副制御回路１０１（図５参照）は、第１移動液晶パネル１１１及び第２移動液晶パネル１１２を所定方向に回転させ続けてもよい。この場合、副制御回路１０１は、図４９に示すように、例えば、固定液晶パネル１１０、第１移動液晶パネル１１１及び第２移動液晶パネル１１２の表示領域１１ａにそれぞれ異なるキャラクタ画像を表示する。具体的には、第１移動液晶パネル１１１及び第２移動液晶パネル１１２には、それぞれのキャラクタが、第１移動液晶パネル１１１及び第２移動液晶パネル１１２の回転方向と同じ方向に走っている画像を表示し、固定液晶パネル１１０には、また別のキャラクタの所定部位（例えば、図４９に示す例では目等）やその他の画像（例えば、図４９に示す例では目線を示す矢印等）が第２移動液晶パネル１１２に表示されているキャラクタと同じ方向に向き、第２移動液晶パネル１１２の移動と同期して動く画像を表示する。これにより、第１移動液晶パネル１１１に表示されているキャラクタを、第２移動液晶パネル１１２に表示されているキャラクタが追いかけ、固定液晶パネル１１０に表示されているキャラクタが、第２移動液晶パネル１１２に表示されているキャラクタを睨み続けるという演出画像を表示できる。なお、図４９に示す例では、人型のキャラクタを表示しているが、これに限らず、キャラクタは、お互いがある程度の距離を保ったまま、軸の周りを回転しつづけるものであれば、動物（例えば、柱の周りを回る猫とネズミ等）や、車両（例えば、ビルの周りを回る逃走車とパトカー等）等の任意のモチーフを用いることができる。このように、液晶パネルに表示したキャラクタの動作態様を、液晶パネルそのものを回転動作させて表現することで、従来の固定された液晶パネルにおける動画のみでキャラクタの動作態様を表現する場合に比べ、格別に印象深い演出が可能となる。
【０３５４】
＜第５実施形態の変形例に係る遊技機（パチンコ）＞
本発明は、第５実施形態の変形例に係る遊技機（パチンコ）にも適用可能である。図５０は、本発明の第５実施形態の変形例に係る遊技機（パチンコ）の外観を示す斜視図である。図５０に示すように、第５実施形態の変形例に係るパチンコ機１Ｄ’は、第１移動液晶パネル１１１及び第２移動液晶パネル１１２が、固定液晶パネル１１０に隣接して配置され、駆動装置２００Ｄにより、固定液晶パネル１１０の周囲を移動可能な液晶表示装置１１Ｄを備える。
【０３５５】
図５１は、本発明の第５実施形態の変形例に係る遊技機（パチンコ）の主制御回路及び副制御回路の構成を示すブロック図である。パチンコ機１Ｄ’は、遊技の進行を制御する制御手段としての主制御部３０がメインＣＰＵ３１等を備え、この主制御部３０に、特別図柄表示装置３１０、普通図柄表示装置３１１、特別図柄保留表示装置３１２、普通図柄保留表示装置３１３、カウントセンサ３１４、一般入賞球センサ３１５、通過球センサ３１６、始動入賞球センサ３１７、普通電動役物ソレノイド３１８、大入賞口ソレノイド３１９、バックアップクリアスイッチ３２０、払出・発射制御回路５００、払出装置５１０、発射装置５２０等が接続されている。また、パチンコ機１Ｄ’は、主制御部３０からコマンドが送信される副制御部８０がサブＣＰＵ８１、プログラムＲＯＭ８２、ワークＲＡＭ８３、表示制御回路４１０、音声制御回路４２０、ＬＥＤ制御回路４３０、駆動制御回路４４０等を備える。表示制御回路４１０には、液晶表示装置１１Ｄが接続されている。駆動制御回路４４０には、駆動装置２００Ｄのモータ２４０が接続されている。
【０３５６】
副制御部８０は、上述の副制御回路１０１（図５参照）と同様の駆動装置２００Ｄの制御により、固定液晶パネル１１０（図５０参照）の周囲において、第１移動液晶パネル１１１（図５０参照）及び第２移動液晶パネル１１２（図５０参照）を移動させる。
【０３５７】
また、副制御部８０は、上述の副制御回路１０１（図５参照）と同様の制御により、固定液晶パネル１１０、第１移動液晶パネル１１１及び第２移動液晶パネル１１２の表示領域１１ａを１つの画面とした演出画像を表示制御する。
【０３５８】
第５実施形態によれば、以下の作用効果を奏する。パチスロ機１Ｄ又はパチンコ機１Ｄ’によれば、第１移動液晶パネル１１１及び第２移動液晶パネル１１２を、固定液晶パネル１１０の周囲を移動させつつ、互いに隣接する第１移動液晶パネル１１１、固定液晶パネル１１０及び第２移動液晶パネル１１２の表示領域１１ａを１つの画面とした演出画像を表示できる。したがって、印象深い演出画像の表示を行うことが可能な遊技機を提供できる。
【０３５９】
また、パチスロ機１Ｄ又はパチンコ機１Ｄ’によれば、演出画像が表示されている１つの画面として構成された第１移動液晶パネル１１１、固定液晶パネル１１０及び第２移動液晶パネル１１２の表示領域１１ａのうち、中心の表示領域１１ａ（固定液晶パネル１１０の表示領域１１ａ）は動かさず、両端部の表示領域１１ａ（第１移動液晶パネル１１１及び第２移動液晶パネル１１２の表示領域１１ａ）を水平位置から垂直位置に移動させることが可能となる。よって、例えば、所定のキャラクタを中心として水平方向に広がる演出画像を、第１移動液晶パネル１１１及び第２移動液晶パネル１１２を移動させることで、所定のキャラクタを中心として垂直方向に広がる演出画像に遷移させることが可能となる。したがって、より印象深い演出画像の表示を行うことが可能な遊技機を提供できる。
【０３６０】
また、パチスロ機１Ｄ又はパチンコ機１Ｄ’によれば、第１移動液晶パネル１１１及び第２移動液晶パネル１１２は固定液晶パネル１１０の外形に沿って移動可能であり、この第１移動液晶パネル１１１及び第２移動液晶パネル１１２を移動する駆動装置２００Ｄは固定液晶パネル１１０及び第１移動液晶パネル１１１及び第２移動液晶パネル１１２の背面に設けられている。よって、前面側から固定液晶パネル１１０及び第１移動液晶パネル１１１及び第２移動液晶パネル１１２の表示領域１１ａを見る遊技者に第１移動液晶パネル１１１及び第２移動液晶パネル１１２を移動させている駆動装置２００Ｄを見せずに、固定液晶パネル１１０を中心として第１移動液晶パネル１１１及び第２移動液晶パネル１１２を回動させつつ、第１移動液晶パネル１１１、固定液晶パネル１１０及び第２移動液晶パネル１１２の表示領域１１ａを１つの画面とした演出画像による演出が可能となる。したがって、より印象深い演出画像の表示を行うことが可能な遊技機を提供できる。
【０３６１】
なお、本発明は、上述した実施形態及び変形例に限定されるものではない。例えば、第５実施形態において、固定液晶パネル１１０、第１移動液晶パネル１１１及び第２移動液晶パネル１１２の外形は、固定液晶パネル１１０を円形状に、第１移動液晶パネル１１１及び第２移動液晶パネル１１２を略三日月形状に形成したが、これに限らず、四角形状、三角形状等の任意の形状とすることができる。
【０３６２】
また、第５実施形態において、液晶表示装置１１Ｄは、固定液晶パネル１１０の周囲を移動する移動液晶パネルを２つ備えるが、これに限らず、移動液晶パネルを１台又は３台以上の複数台備えてもよい。例えば、移動液晶パネルを１台とした場合、副制御回路１０１（図５参照）は、固定液晶パネル１１０に回転体を回転させるもの（例えば、ハンマー投げの選手を模したキャラクタ等）の画像を表示し、移動パネルに回転体（例えば、ハンマー等）の画像を表示する。この場合、遊技状態や内部当籤役と、移動パネルの回転数や回転速度とに対応関係を持たせ、例えば、ボーナスに対する期待度等に応じて、移動パネルの回転数や回転速度に違いを設けることで、液晶パネルの動作をより深く遊技者に印象付けることができる。
【０３６３】
また、第５実施形態において、駆動装置２００Ｄは、第１移動液晶パネル１１１及び第２移動液晶パネル１１２を、第１駆動部２２０及び第２駆動部２３０の２つの駆動系によって、それぞれ移動させている。しかしながら、駆動装置２００Ｄは、これに限らず、第１移動液晶パネル１１１及び第２移動液晶パネル１１２を１つの支持部の両端に固定し、この支持部を回動させることで、第１移動液晶パネル１１１及び第２移動液晶パネル１１２を共に移動させてもよい。また、駆動装置２００Ｄは、第１移動液晶パネル１１１及び第２移動液晶パネル１１２を移動できれば、任意の構成とすることができる。
【０３６４】
また、第５実施形態において、副制御回路１０１（図５参照）は、第１ギヤ２２２及び第２ギヤ２３２を同期させて回転させることで、第１移動液晶パネル１１１及び第２移動液晶パネル１１２を同じタイミングで移動させるが、これに限らず、第１移動液晶パネル１１１及び第２移動液晶パネル１１２をそれぞれ異なるタイミングで移動させてもよいし、いずれか一方だけ移動させてもよい。これにより、演出バリエーションが増加し、遊技の興趣を向上できる。また、遊技状態や内部当籤役と、第１移動液晶パネル１１１及び第２移動液晶パネル１１２の動作タイミングや動作パターンとに対応関係を持たせ、例えば、ボーナスに対する期待度等に応じて、第１移動液晶パネル１１１及び第２移動液晶パネル１１２の動作タイミングや動作パターンに違いを設けることで、液晶パネルの動作をより深く遊技者に印象付けることができる。
【０３６５】
（第６実施形態）
＜パチスロ機の機能フロー＞
本発明の第６実施形態を示す遊技機であるパチスロ機について説明する。なお、以下の第６実施形態の説明において、第１実施形態と同様の構成については説明を省略する。はじめに、図５２を参照して、遊技機の第６実施形態に係る機能フローについて説明する。第６実施形態に係る機能フローは、一連の流れの中で、液晶表示装置、操作部液晶表示装置等の画像表示装置により行う映像の表示、駆動装置による操作部の駆動、各種ランプにより行う光の出力、スピーカにより行う音の出力、あるいはこれらの組合せを利用して様々な演出が行われる点が、第１実施形態に係る機能フロー（図１参照）と異なる。
【０３６６】
＜パチスロ機の構造＞
次に、図５３を参照して、第６実施形態におけるパチスロ機の外観構造について説明する。第６実施形態のパチスロ機１Ｅは、第１実施形態の液晶表示装置１１及び駆動装置２００（図２参照）とは異なる液晶表示装置１１Ｅ、操作部液晶表示装置１２Ｅ及び駆動装置２００Ｅを備える。
【０３６７】
［外観構造］
図５３は、パチスロ機１Ｅの外部構造を示す全体斜視図である。図５３に示すように、パチスロ機１Ｅにおいて、液晶表示装置１１Ｅは、例えば、前面側（パチスロ機１Ｅの正面側であり、遊技者に対向する面）遊技上の演出に係る画像や遊技に関する情報を表示するようフロントドア２ｂのドア本体９の上部に取り付けられている。また、液晶表示装置１１Ｅの下端側縁は、後述する演出ボタン１９に近接し、演出ボタン１９の上端側縁の形状に沿った形状に形成されている。
【０３６８】
液晶表示装置１１Ｅは、映像の表示による演出を実行する他、例えば遊技機のカスタマイズや遊技履歴等の遊技台情報を表示することができる。また、液晶表示装置１１Ｅには、遊技場の管理者の操作に応じて、ホールメニューが表示される。この場合、液晶表示装置１１Ｅをタッチパネルで構成し、ホールメニューにおいて、管理者が操作可能なボタン等を表示することができる。
【０３６９】
ドア本体９の中央には、操作部の一例である台座部１０が形成されている。この台座部１０には、遊技者により操作可能な操作手段の一例である各種装置（メダル投入口１３、ＭＡＸベットボタン１４、１ベットボタン１５、スタートレバー１６、ストップボタン１７Ｌ，１７Ｃ，１７Ｒ、選択ボタン、決定ボタン等）が設けられている。なお、操作手段は、ボタンに限らず、レバー、ハンドル、タッチパネル、動作検知可能な役物等、遊技者により操作可能な任意の構成とすることができる。
【０３７０】
演出ボタン１９、選択ボタン及び決定ボタンは、液晶表示装置１１Ｅの表示画面上における各種操作を行う際に用いられる。また、演出ボタン１９は、発光可能とする構成に限らず、例えば、表示領域の形状を任意に形成できる液晶表示装置で構成し、所定のキャラクターや特定のモチーフ等の形状に形成してもよい。この場合、演出ボタン１９をキャラクターや特定のモチーフの一部等を想起させるデザインとすることで、モチーフとなった作品の世界観等をより強く遊技者に印象付けることができる。また、周囲に対するアピールにもなり、遊技者に優越感を感じさせることができる。
【０３７１】
また、台座部１０には、演出ボタン１９に離間又は近接させる方向に移動可能な操作部液晶表示装置１２Ｅが設けられている。この操作部液晶表示装置１２Ｅは、表示手段の一例であり、遊技における演出画像を前面に形成された表示領域１２ａに表示可能である。液晶表示装置１２Ｅは、表示領域１２ａが上方側に向けて配置されている。
【０３７２】
また、操作部液晶表示装置１２Ｅは、ストップボタン１７Ｌ，１７Ｃ，１７Ｒの上方に設けられている。即ち、操作部液晶表示装置１２Ｅは、遊技者が最も注目するリール３Ｌ，３Ｃ，３Ｒと、ストップボタン１７Ｌ，１７Ｃ，１７Ｒとの間であり、より手元に近いストップボタン１７Ｌ，１７Ｃ，１７Ｒ近傍に設けられている。これにより、遊技者にとって見やすく、遊技や、目押しの妨げにならずに、遊技に関する各種情報の確認が容易となる。
【０３７３】
また、操作部液晶表示装置１２Ｅは、表示領域１２ａの外形を任意の形状で形成可能な液晶ディスプレイで構成している。ここで、台座部１０には、上記のとおり、メダル投入口１３、ＭＡＸベットボタン１４、１ベットボタン１５、スタートレバー１６、ストップボタン１７Ｌ，１７Ｃ，１７Ｒ、選択ボタン、決定ボタン等を限られたスペースで配置する必要がある。しかし、演出用の装飾等はなるべく広くとった方が、見栄えがよい。そこで、操作部液晶表示装置１２Ｅの表示領域１２ａを、台座部１０における配置領域に合わせた形状に形成することで、操作部液晶表示装置１２Ｅの省スペース化を図れるとともに、デザインレイアウトの設計自由度も向上する。
【０３７４】
また、台座部１０には、操作部液晶表示装置１２Ｅが移動する領域において、操作部液晶表示装置１２Ｅより下方に、固定装飾部３００（図５３に示す例では、操作部液晶表示装置１２Ｅの下に配置され、遊技者から視認できない状態である。）及び後述するＬＥＤ群２５が内蔵された発光部４００が設けられている。
【０３７５】
また、台座部１０には、操作部液晶表示装置１２Ｅが移動する領域において、操作部液晶表示装置１２Ｅより上方に、透明素材で形成された保護パネル１２１が配置されている。これにより、操作部液晶表示装置１２Ｅ、固定装飾部３００及び発行部４００を遊技者が直接触れることができないようになっている。また、操作部液晶表示装置１２Ｅが移動することで、遊技者が指等を挟んで怪我をするのを防止できる。
【０３７６】
また、詳しくは後述するが、台座部１０の内部には、操作部液晶表示装置１２Ｅを、演出ボタン１９に離間又は近接させる方向に移動可能な駆動装置２００Ｅが設けられている。
【０３７７】
また、操作部液晶表示装置１２Ｅと、駆動装置２００Ｅと、を一体的なユニットとし、このユニットを台座部１０に取り付ける構成としてもよい。これにより、例えば、操作部液晶表示装置１２Ｅや駆動装置２００Ｅが故障した場合、当該ユニットだけ交換すれば、フロントドア２ｂ全体を交換する必要が無いので、遊技機の維持コストを削減できる。
【０３７８】
＜パチスロ機の電気的構成＞
次に、パチスロ機１Ｅの電気的構成について、図５４を参照して、第１実施形態と異なる構成について説明する。図５４は、パチスロ機１Ｅの電気的構成を示すブロック図である。
【０３７９】
２４ｈドア開閉監視ユニット７４は、フロントドア２ｂの開閉の履歴を保存する。また、２４ｈドア開閉監視ユニット７４は、フロントドア２ｂを開放したときに、液晶表示装置１１Ｅにエラー表示を行うための信号を副制御基板４２（副制御回路１０１）に出力する。
【０３８０】
駆動制御基板７８は、副制御回路１０１（図５参照）の制御により実行される演出に応じて、駆動装置２００Ｅを駆動させる。駆動装置２００Ｅは、駆動制御基板７８によって駆動制御されることで後述する操作部液晶表示装置１２Ｅを移動させる。
【０３８１】
副制御基板４２には、ロムカートリッジ基板７６と、液晶中継基板７７とが接続されている。ロムカートリッジ基板７６は、演出用の画像（映像）、音声、光（ＬＥＤ群２５）、駆動装置２００Ｅの駆動及び通信のデータを管理するための基板である。液晶中継基板７７は、副制御基板４２と液晶表示装置１１Ｅ及び操作部液晶表示装置１２Ｅとを接続する配線を中継する基板である。また、操作部液晶表示装置１２Ｅは、後述するように移動するので、フレキシブルハーネスにより液晶中継基板７７に接続されている。また、液晶表示装置１１Ｅと、操作部液晶表示装置１２Ｅとをそれぞれ別々の液晶中継基板を介して、副制御基板４２に接続してもよい。
【０３８２】
＜主制御回路＞
主制御基板４１により構成される主制御回路９１は、図４に示す第１実施形態と同様であるので説明を省略する。
【０３８３】
＜副制御回路＞
次に、副制御基板４２により構成される副制御回路１０１について、図５を参照して、第１実施形態と異なる構成について説明する。
【０３８４】
副制御部としての副制御回路１０１は、主制御回路９１と電気的に接続されており、主制御回路９１から送信されるコマンド信号に基づいて演出内容の決定や実行等の処理を行うとともに、図５４に示す液晶表示装置１１Ｅ、操作部液晶表示装置１２Ｅ、駆動装置２００Ｅ、ＬＥＤ群２５、スピーカ２３Ｌ，２３Ｒ等の周辺装置の制御を行うものである。副制御回路１０１は、基本的に、サブＣＰＵ１０２、サブＲＡＭ１０３、レンダリングプロセッサ１０４、描画用ＲＡＭ１０５、ドライバ１０６を含んで構成されている。また、副制御回路１０１は、例えば、パチスロ機１Ｅの電源投入時に、駆動装置２００Ｅによる操作部液晶表示装置１２Ｅの動作チェック処理を行い、故障と判断した場合には、エラー情報を操作部液晶表示装置１２Ｅに表示し、遊技ができない旨を報知してもよい。
【０３８５】
サブＣＰＵ１０２は、主制御回路９１（図４参照）から送信されたコマンド信号に応じて、ロムカートリッジ基板７６に記憶されている制御プログラムに従い、音、ＬＥＤ群２５の発光態様、液晶表示装置１１Ｅ及び操作部液晶表示装置１２Ｅの表示制御、駆動装置２００Ｅ（図５４参照）の駆動の制御を行う。ロムカートリッジ基板７６は、基本的に、プログラム記憶領域とデータ記憶領域によって構成される。
【０３８６】
プログラム記憶領域には、サブＣＰＵ１０２が実行する制御プログラムが記憶されている。例えば、制御プログラムには、主制御回路９１（図４参照）との通信を制御するための主基板通信タスクや、演出用乱数値を抽出し、演出内容（演出データ）の決定及び登録を行うための演出登録タスクが含まれる。また、決定した演出内容に基づいて液晶表示装置１１Ｅ及び操作部液晶表示装置１２Ｅ（図５３参照）による映像の表示を制御する描画制御タスク、駆動装置２００Ｅ（図５４参照）による操作部液晶表示装置１２Ｅの移動を制御する駆動制御タスク、ＬＥＤ群２５（図５４参照）等の光源による光の出力を制御するランプ制御タスク、スピーカ２３Ｌ，２３Ｒによる音の出力を制御する音声制御タスク等が含まれる。このように、副制御回路１０１は、表示手段を表示制御する表示制御手段の一例であり、駆動装置２００Ｅを駆動制御する駆動制御手段の一例として機能する。
【０３８７】
データ記憶領域は、各種データテーブルを記憶する記憶領域、各演出内容を構成する演出データを記憶する記憶領域、映像の作成に関するアニメーションデータを記憶する記憶領域が含まれている。また、ＢＧＭや効果音に関するサウンドデータを記憶する記憶領域、光の点消灯のパターンに関するランプデータを記憶する記憶領域等が含まれている。
【０３８８】
サブＲＡＭ１０３は、決定された演出内容や演出データを登録する格納領域や、主制御回路９１から送信される内部当籤役等の各種データを格納する格納領域が設けられている。
【０３８９】
サブＣＰＵ１０２、レンダリングプロセッサ１０４、描画用ＲＡＭ（フレームバッファを含む）１０５及びドライバ１０６は、演出内容により指定されたアニメーションデータに従って映像を作成し、作成した映像を液晶表示装置１１Ｅ及び操作部液晶表示装置１２Ｅに表示させる。また、サブＣＰＵ１０２は、演出内容により指定された駆動データに従って、駆動装置２００Ｅを駆動することにより、操作部液晶表示装置１２Ｅ（図５３参照）を移動する。
【０３９０】
また、サブＣＰＵ１０２は、演出内容により指定されたサウンドデータに従ってＢＧＭ等の音をスピーカ２３Ｌ，２３Ｒにより出力させる。また、サブＣＰＵ１０２は、演出内容により指定されたランプデータに従ってＬＥＤ群２５の点灯及び消灯を制御する。
【０３９１】
＜操作部液晶表示装置及び駆動装置＞
次に、操作部液晶表示装置１２Ｅ及び駆動装置２００Ｅについて説明する。図５５及び図５６は、本発明の第６実施形態に係るパチスロ機の操作部液晶表示装置を説明する図である。図５５は操作部液晶表示装置が移動位置に配置された状態を示し、図５６は操作部液晶表示装置が移動位置に配置された状態を示している。図５７は、本発明の第６実施形態に係るパチスロ機の操作部液晶表示装置及び駆動装置を説明する図である。図５７（ａ）は操作部液晶表示装置が初期位置に配置された状態を示し、図５７（ｂ）は操作部液晶表示装置が中間位置に配置された状態を示し、図５７（ｃ）は操作部液晶表示装置が移動位置に配置された状態を示している。
【０３９２】
［操作部液晶表示装置］
操作部液晶表示装置１２Ｅは、図５５及び図５６に示すように、演出ボタン１９を含む複数の操作手段（図５３に示すメダル投入口１３、ＭＡＸベットボタン１４、１ベットボタン１５、スタートレバー１６、ストップボタン１７Ｌ，１７Ｃ，１７Ｒ等）が配置された操作部の一例である台座部１０に設けられている。
【０３９３】
操作部液晶表示装置１２Ｅは、台座部１０において、駆動手段としての駆動装置２００Ｅにより、演出ボタン１９と離間した位置（初期位置）から演出ボタン１９に近接した位置（移動位置）に移動する。
【０３９４】
また、操作部液晶表示装置１２Ｅは、演出ボタン１９に対向する側縁において、演出ボタン１９の側縁の一部と略同一形状に形成されている第１特殊形状部１２１が形成されている。操作部液晶表示装置１２Ｅは、駆動装置２００Ｅにより、演出ボタン１９に近接した位置（移動位置）に移動した場合、第１特殊形状部１２１が演出ボタン１９の周囲に配置される。なお、演出ボタン１９が、遊技者により接触され可動する可動部と、この可動部を支持する搭載部とで構成されていた場合、第１特殊形状部１２１は、可動部の側縁の一部と略同一形状に形成してもよいし、搭載部の側縁の一部と略同一形状に形成してもよい。
【０３９５】
また、操作部液晶表示装置１２Ｅは、台座部１０において、図５６に示す固定装飾部３００及び図５５に示す発光部４００の上方に配置されており、初期位置では固定装飾部３００の上方に配置されることで、固定装飾部３００を遊技者から視認できないようにする一方で、発光部４００を遊技者から視認可能としている。また、操作部液晶表示装置１２Ｅは、移動位置では発光部４００の上方に配置されることで、発光部４００を遊技者から視認できないようにする一方で、固定装飾部３００を遊技者から視認可能としている。
【０３９６】
また、操作部液晶表示装置１２Ｅは、第１特殊形状部１２１に連なる側縁において、液晶表示装置１１Ｅの下端側側縁の一部と略同一形状に形成されている第２特殊形状部１２２が形成されている。操作部液晶表示装置１２Ｅは、駆動装置２００Ｅにより、演出ボタン１９に近接した位置（移動位置）に移動した場合、第２特殊形状部１２２が液晶表示装置１１Ｅの下端に近接する。これにより、操作部液晶表示装置１２Ｅが移動位置に移動した場合、液晶表示装置１１Ｅと操作部液晶表示装置１２Ｅとにより、演出ボタン１９を囲むような態様となり、液晶表示装置１１Ｅ、操作部液晶表示装置１２Ｅ及び演出ボタン１９による一体的な演出が可能となる。
【０３９７】
また、操作手段（例えば、図５３に示す演出ボタン１９、メダル投入口１３、ＭＡＸベットボタン１４、１ベットボタン１５、スタートレバー１６、ストップボタン１７Ｌ，１７Ｃ，１７Ｒ等）は、複数種類有り、複数種類の操作手段、および駆動手段（例えば、駆動装置２００Ｅ等）により移動可能な表示手段（例えば、操作部液晶表示装置１２Ｅ等）は、操作パネル（例えば、台座部１０等）の所定位置にそれぞれ配置されているようにすることが可能である。また、操作部の一つとして、例えば、複数種類の操作手段及び表示手段が、それぞれの位置に配設された操作パネルを用いることが可能である。このような構成とすることで、遊技者が視線を注ぎやすい操作手段とともに操作パネルに配置された表示手段を、駆動手段により操作手段に対して、近接するように移動させることで、表示手段の移動、ひいては移動する表示手段の演出画像により一層注目させ易くすることが可能となる。
【０３９８】
［駆動装置］
駆動装置２００Ｅは、台座部１０の内部において、操作部液晶表示装置１２Ｅの前面から視て左右方向の両側縁それぞれ設けられ、操作部液晶表示装置１２Ｅを、演出ボタン１９と離間した位置（初期位置）から演出ボタン１９に近接した位置（移動位置）に移動する。
【０３９９】
また、図５７に示すように、第６実施形態において、台座部１０は、基準面１０ａと、基準面１０ａに対して所定角度傾斜して、基準面１０ａに連なる傾斜面１０ｂと、を有する。駆動装置２００Ｅは、操作部液晶表示装置１２Ｅを、演出ボタン１９と離間した位置（初期位置）では基準面１０ａと平行に配置し、演出ボタン１９に近接した位置（移動位置）では傾斜面１０ｂと平行に配置する。
【０４００】
図５７に示すように、駆動装置２００Ｅは、ラック２２０と、ピニオン２３０と、ガイド２４０と、モータ２５０（図５４参照）と、ソレノイド２６０を備える。
【０４０１】
ラック２２０は、操作部液晶表示装置１２Ｅの前面から視て左右方向の側縁の下面に取り付けられ、操作部液晶表示装置１２Ｅが演出ボタン１９に離間又は近接する方向（前面背面方向）に延びている。ピニオン２３０は、ラック２２０の略中央において、ラック２２０と係合し、モータ２５０（図５４参照）の駆動により回転する。
【０４０２】
ガイド２４０は、操作部液晶表示装置１２Ｅを下面側から支持し、操作部液晶表示装置１２Ｅが演出ボタン１９に離間又は近接する方向（前面背面方向）に延び、略中央を支点とし、上下方向に回動可能に、台座部１０に取り付けられている。ガイド２４０は、支点より前面側（台座部１０の基準面１０ａ側）の下方において、ソレノイド２６０に支持され、ソレノイド２６０の駆動により、支点を中心として上下方向に回動する。
【０４０３】
モータ２５０（図５４参照）は、副制御回路１０１（図５参照）に制御された駆動制御基板７８（図５４参照）により駆動し、ピニオン２３０を回転させる。ソレノイド２６０は、副制御回路１０１（図５参照）に制御された駆動制御基板７８（図５４参照）により駆動し、ガイド２４０を上下方向に回動させる。
【０４０４】
駆動制御手段の一例である副制御回路１０１（図５参照）は、主制御回路９１（図４参照）から送信されるコマンド信号に基づいて演出内容を決定し、決定した演出内容に応じて、モータ２５０（図５４参照）をそれぞれの所定方向に回転駆動して、ピニオン２３０を回転させ、ソレノイド２６０を上下方向に駆動して、ガイド２４０を上下方向に回動させる。なお、副制御回路１０１は、予め設定された演出内容に応じたステップ数だけモータ２５０（図５４参照）を駆動してもよいし、フォトセンサを設けた場合には、このフォトセンサで検出した入力信号に基づき、操作部液晶表示装置１２Ｅの位置を検出し、検出した位置に応じてモータ２５０やソレノイド２６０を駆動してもよい。
【０４０５】
［駆動制御］
次に、駆動装置２００Ｅによる操作部液晶表示装置１２Ｅの動作について説明する。例えば、操作部液晶表示装置１２Ｅは、初期状態において、図５５や図５７（ａ）に示すように、演出ボタン１９と離間した位置（初期位置）において、基準面１０ａと平行に配置されている。また、この状態において、操作部液晶表示装置１２Ｅは固定装飾部３００の上方に配置されているので、固定装飾部３００は遊技者から視認できない状態である。
【０４０６】
この状態において、副制御回路１０１（図５参照）は、主制御回路９１（図４参照）から送信されるコマンド信号に基づき決定した演出内容に応じて、ソレノイド２６０を駆動制御し、ガイド２４０の前面側を下方に回動させる。すると、ガイド２４０に支持されている操作部液晶表示装置１２Ｅ及び操作部液晶表示装置１２Ｅの下面に取り付けられたラック２２０も、ピニオン２３０と係合する位置を支点として、下方に回動し、中間位置に移動し、図５７（ｂ）に示す状態となる。
【０４０７】
次に、副制御回路１０１（図５参照）は、モータ２５０を所定方向に回転駆動する。これにより、ラック２２０と係合するピニオン２３０が回転する。すると、ラック２２０が取り付けられた操作部液晶表示装置１２Ｅは、演出ボタン１９と近接した位置（移動位置）に移動し、図５７（ｃ）に示す状態となる。操作部液晶表示装置１２Ｅは、演出ボタン１９と近接した位置（移動位置）において、傾斜面１０ｂと平行に配置されている。また、この状態において、操作部液晶表示装置１２Ｅは発光部４００の上方に配置されているので、発光部４００は遊技者から視認できない状態である。一方、固定装飾部３００は、操作部液晶表示装置１２Ｅが移動位置に移動したことにより、上方が開放され、遊技者が視認可能な状態となる。このような、操作部液晶表示装置１２Ｅの移動により、固定装飾部３００や発光部４００を視認可能又は視認できない状態に移行させる演出を、期待度の示唆や、報知に使うことで、演出の多様化を図り興趣を向上できる。
【０４０８】
また、副制御回路１０１（図５参照）は、主制御回路９１（図４参照）から送信されるコマンド信号に基づき決定した演出内容に応じて、ソレノイド２６０を駆動する前に、モータ２５０を所定方向への回転駆動と反対方向に回転駆動とを交互に繰り返してもよい。これにより、操作部液晶表示装置１２Ｅを振動させ、操作部液晶表示装置１２Ｅが演出ボタン１９と近接した位置（移動位置）に移動することの予兆演出が可能となる。
【０４０９】
［表示制御］
次に、副制御回路１０１による操作部液晶表示装置１２Ｅの表示制御について説明する。副制御回路１０１（図５参照）は、主制御回路９１（図４参照）から送信されるコマンド信号に基づき決定した演出内容に応じて、初期状態の操作部液晶表示装置１２Ｅの表示領域１２ａに、演出画像や遊技に関する各種情報を表示する制御を行う。なお、遊技に関する各種情報とは、遊技状態に合わせて表示される、例えば、入賞役毎の配当表、狙い図柄の指示、入賞役の報知、押し順ミス、エラー報知等の情報である。また、このような遊技に関する各種情報は、例えば、遊技者による演出ボタン１９等の操作により、遊技者の所望するものを選択させ表示したり、また、表示するか否かを選択させてもよい。
【０４１０】
そして、副制御回路１０１（図５参照）は、主制御回路９１（図４参照）から送信されるコマンド信号に基づき決定した演出内容に応じて、駆動装置２００Ｅのモータ２５０（図５５参照）やソレノイド２６０を駆動させるタイミングで、操作部液晶表示装置１２Ｅの表示領域１２ａに、演出画像を表示する制御を行う。なお、このタイミングにおける演出画像は、遊技者の期待感を向上する演出画像が好ましい。これにより、操作部液晶表示装置１２Ｅにおいて、初期状態では入賞役毎の配当表等の遊技ガイドを表示し、操作部液晶表示装置１２Ｅが移動すると、一転して期待度感を向上する演出画像が表示されることで、演出の意外性を向上できる。
【０４１１】
また、副制御回路１０１（図５参照）は、図５６に示すように、操作部液晶表示装置１２Ｅを演出ボタン１９に近接した位置（移動位置）に移動した場合、演出ボタン１９に操作を促す発光をさせ、更に、この演出ボタン１９を囲うように配置された液晶表示装置１１Ｅ及び操作部液晶表示装置１２Ｅに互いに関連し、演出ボタン１９を強調する演出表示の制御を行う。これにより、演出ボタン１９、液晶表示装置１１Ｅ及び操作部液晶表示装置１２Ｅが一体となった演出が可能となり、演出性を向上できるので、従来の操作演出に飽きた遊技者にも、思わず押したいという意欲を高めることが可能となり、遊技の興趣を向上できる。
【０４１２】
また、複数の操作対象が存在する場合、例えば、リールを停止させるストップボタンと、演出ボタンの両方が操作可能な場合、どちらを先に操作すべきか、遊技者は迷ってしまう。第６実施形態によれば、演出ボタン１９に操作部液晶表示装置１２Ｅが近接し、演出ボタン１９の操作タイミングを報知することで、ゲーム性が向上可能となる。
【０４１３】
第６実施形態に係るパチスロ機１Ｅによれば、以下の作用効果を奏する。パチスロ機１Ｅによれば、操作部液晶表示装置１２Ｅが移動することで、演出ボタン１９に近接し、操作部液晶表示装置１２Ｅの側縁における演出ボタン１９の側縁と略同一形状に形成された第１特殊形状部１２１が、演出ボタン１９の当該側縁と近接し、演出ボタン１９の周囲に操作部液晶表示装置１２Ｅが配置される。よって、遊技者により演出ボタン１９が認識し易くなり、操作部液晶表示装置１２Ｅに表示された演出画像と相まって、演出ボタン１９による演出の興趣を向上できる。したがって、操作演出の興趣を向上可能な遊技機を提供できる。
【０４１４】
また、パチスロ機１Ｅによれば、操作部液晶表示装置１２Ｅを複数種類の操作手段（演出ボタン１９、メダル投入口１３、ＭＡＸベットボタン１４、１ベットボタン１５、スタートレバー１６、ストップボタン１７Ｌ，１７Ｃ，１７Ｒ等）が配置された台座部１０に配置できる。即ち、遊技中における遊技者の手元で、操作部液晶表示装置１２Ｅを移動させ、演出ボタン１９に近接させることができる。よって、操作部液晶表示装置１２Ｅを、例えば、手元から離れたパチスロ機１Ｅのフロントドア２ｂ上部で移動させる場合に比べて、操作部液晶表示装置１２Ｅの演出画像に注目させることが可能となる。したがって、演出画像に注目させつつ、操作演出の興趣を向上可能な遊技機を提供できる。
【０４１５】
なお、本発明は、上述した実施形態に限定されるものではない。例えば、第６実施形態においては、操作部液晶表示装置１２Ｅは、非透光性液晶で構成しているが、これに限らず、透光性液晶で構成してもよい、この場合、操作部液晶表示装置１２Ｅを介して、操作部液晶表示装置１２Ｅの下に配置された固定装飾部３００を遊技者から視認可能としてもよい。これにより、例えば、固定装飾部３００を特定の遊技状態を示す形状で形成し、透光性の操作部液晶表示装置１２Ｅに「確定」等の画像を表示することで、特定の遊技状態への移行が確定したことを報知できる。よって、固定装飾部３００の上方に操作部液晶表示装置１２Ｅにおける表示を重ねた演出が可能となり、演出性を向上できる。
【０４１６】
また、操作部液晶表示装置１２Ｅを覆う保護パネル１０ａを、端部から入射した光を屈曲させる屈曲部を持ち所定の識別子を視認可能とする導光板とし、端部に導光板演出用の発光手段を設けてもよい。図５８は、本発明の第６実施形態に係るパチスロ機の操作部液晶表示装置の変形例を説明する図である。この場合は、操作部液晶表示装置１２Ｅと重畳する位置において導光板演出が可能となり、表示装置の演出の際に、保護パネル１０ａにおける導光板演出を実行することで、演出の興趣をより高めることができる。かかる構成においても端部の発光手段を消灯しておけば、導光板の識別子は非表示状態となるため、操作部液晶表示装置１２Ｅや固定装飾部３００の視認性は確保できるものである。なお、所定の識別子は、固定装飾部のデザインや液晶に表示される演出と関連性のあるものとするとよく、例えば、図５８に示す例では「ＧＯＤ」の文字を識別子とし、図５６で固定装飾部３００の「ＧＯＤ」が視認可能となるときに導光板演出にて導光板に「ＧＯＤ」の表示を行うことで、演出の迫力を高めることができる。
【０４１７】
（第７実施形態）
＜パチスロ機の機能フロー＞
本発明の第７実施形態を示す遊技機であるパチスロ機について説明する。なお、本発明の第７実施形態を示す遊技機であるパチスロ機の機能フローは、第１実施形態と同様であるので、説明を省略する。また、以下の第７実施形態の説明において、第１実施形態と同様の構成については説明を省略する。
【０４１８】
＜パチスロ機の構造＞
次に、図５９を参照して、第７実施形態におけるパチスロ機の外観構造について説明する。第７実施形態のパチスロ機１Ｆは、第１実施形態の液晶表示装置１１及び駆動装置２００（図２参照）とは、異なる液晶表示装置１１Ｆ及び駆動装置２００Ｆを備える。
【０４１９】
［外観構造］
図５９は、パチスロ機１Ｆの外部構造を示す斜視図である。図５９に示すように、パチスロ機１Ｆにおいて、液晶表示装置１１Ｆは、例えば、前面側（パチスロ機１Ｆの正面側であり、遊技者に対向する面）に形成された表示領域１１ａに遊技上の演出に係る画像や遊技に関する情報を表示するようフロントドア２ｂのドア本体９の上部に取り付けられている。液晶表示装置１１Ｆは、映像の表示による演出を実行する他、例えば遊技機のカスタマイズや遊技履歴等の遊技台情報を表示することができる。また、液晶表示装置１１Ｆには、遊技場の管理者の操作に応じて、ホールメニューが表示される。この場合、液晶表示装置１１Ｆをタッチパネルで構成し、ホールメニューにおいて、管理者が操作可能なボタン等を表示することができる。また、詳細は後述するが、液晶表示装置１１Ｆは、遊技における演出画像を前面に形成された表示領域１１ａに表示可能な表示部としての液晶パネルを複数備える。複数の液晶パネルは、駆動装置２００Ｆ（図６１参照）により所定方向に移動する。
【０４２０】
また、フロントドア２ｂは、３つのリール３Ｌ，３Ｃ，３Ｒの一部を視認させることが可能な表示窓４及び液晶表示装置１１Ｆの一部を視認させることが可能な視認可能領域５を有する。表示窓４は、３つのリール３Ｌ，３Ｃ，３Ｒに対応する３つの左表示窓４Ｌ，中表示窓４Ｃ，右表示窓４Ｒによって構成されている。
【０４２１】
これら表示窓４Ｌ，４Ｃ，４Ｒは、正面（遊技者側）から見て、３つのリール３Ｌ，３Ｃ，３Ｒの配置領域と重畳する位置に設けられ、かつ、３つのリールより手前（遊技者側）に位置するように設けられる。したがって、遊技者は、表示窓４Ｌ，４Ｃ，４Ｒを介して、表示窓４の背後に設けられた３つのリール３Ｌ，３Ｃ，３Ｒを視認することができる。また、詳細は後述するが、液晶表示装置１１Ｆは、表示窓４及び視認可能領域５の背面側であって、リール３Ｌ，３Ｃ，３Ｒより前面側に配置されている。また、駆動装置２００Ｆは、表示窓４及び視認可能領域５外において、液晶表示装置１１Ｆに取り付けられている。したがって、遊技者は、表示窓４及び視認可能領域５から表示領域１１ａを視認することができるが、表示窓４及び視認可能領域５外において液晶表示装置１１Ｆに取り付けられた駆動装置２００Ｆを視認することができない。
【０４２２】
第７実施形態では、各リールに配された複数の図柄のうち、少なくとも２以上の図柄が視認できる図柄表示部の一例である表示窓４（４Ｌ，４Ｃ，４Ｒ）は、その背後に設けられた対応するリールの回転が停止したとき、各リールに描かれた複数種類の図柄のうち、連続して配置された３つの図柄を表示できる大きさに設定されている。すなわち、表示窓４（４Ｌ，４Ｃ，４Ｒ）の枠内には、リール毎に上段、中段及び下段の各領域が設けられ、各領域に１個の図柄が表示される。そして、第７実施形態では、左リール３Ｌの中段領域、中リール３Ｃの中段領域、及び、右リール３Ｒの中段領域を結ぶラインを、入賞か否かの判定を行う入賞判定ラインである有効ラインとして定義する。
【０４２３】
また、上述したリール３Ｌ，３Ｃ，３Ｒ及び液晶表示装置１１Ｆの前面側には、保護ガラス６が配設されている。これにより、リール３Ｌ，３Ｃ，３Ｒ及び液晶表示装置１１Ｆを遊技者が直接触れることができないようになっている。なお、保護ガラス６に代えてアクリル等の樹脂製の透光性保護部材を採用することも可能である。
【０４２４】
ストップボタン１７Ｌ，１７Ｃ，１７Ｒは、液晶表示装置１１Ｆに表示される情報に関する操作を行う際に用いられるようになっており、例えば液晶表示装置１１Ｆの表示画面上における選択操作を行う際に用いられる。以下、ストップボタン１７Ｌ，１７Ｃ，１７Ｒを、それぞれ左ストップボタン１７Ｌ、中ストップボタン１７Ｃ、右ストップボタン１７Ｒという。
【０４２５】
選択ボタン及び決定ボタンは、液晶表示装置１１Ｆの表示画面上における各種操作を行う際に用いられる。
【０４２６】
＜パチスロ機の電気的構成＞
次に、パチスロ機１Ｆの電気的構成について、図６０を参照して、第１実施形態と異なる構成について説明する。図６０は、パチスロ機１Ｆの電気的構成を示すブロック図である。
【０４２７】
２４ｈドア開閉監視ユニット７４は、フロントドア２ｂの開閉の履歴を保存する。また、２４ｈドア開閉監視ユニット７４は、フロントドア２ｂを開放したときに、液晶表示装置１１Ｆにエラー表示を行うための信号を副制御基板４２（副制御回路１０１）に出力する。
【０４２８】
駆動制御基板７８は、副制御回路１０１（図５参照）の制御により実行される演出に応じて、駆動装置２００Ｆを駆動させる。駆動装置２００Ｆは、駆動制御基板７８によって駆動制御されることで後述する液晶表示装置１１Ｆの液晶パネル（図６１参照）を移動させる。
【０４２９】
副制御基板４２には、ロムカートリッジ基板７６と、液晶中継基板７７とが接続されている。ロムカートリッジ基板７６は、演出用の画像（映像）、音声、光（ＬＥＤ群２５）、駆動装置２００Ｆの駆動及び通信のデータを管理するための基板である。液晶中継基板７７は、副制御基板４２と液晶表示装置１１Ｆとを接続する配線を中継する基板である。また、液晶表示装置１１Ｆは、後述するように移動するので、フレキシブルハーネスにより液晶中継基板７７に接続されている。
【０４３０】
＜主制御回路＞
次に、主制御基板４１により構成される主制御回路９１について、図４に示す第１実施形態と同様であるので説明を省略する。
【０４３１】
＜副制御回路＞
次に、副制御基板４２により構成される副制御回路１０１について、図５を参照して、第１実施形態と異なる構成について説明する。
【０４３２】
副制御部としての副制御回路１０１は、主制御回路９１と電気的に接続されており、主制御回路９１から送信されるコマンド信号に基づいて演出内容の決定や実行等の処理を行うとともに、図６０に示す液晶表示装置１１Ｆ、駆動装置２００Ｆ、ＬＥＤ群２５、スピーカ２３Ｌ，２３Ｒ等の周辺装置の制御を行うものである。副制御回路１０１は、基本的に、サブＣＰＵ１０２、サブＲＡＭ１０３、レンダリングプロセッサ１０４、描画用ＲＡＭ１０５、ドライバ１０６を含んで構成されている。また、副制御回路１０１は、例えば、パチスロ機１Ｆの電源投入時に、駆動装置２００Ｆによる液晶表示装置１１Ｆの動作チェック処理を行い、故障と判断した場合には、エラー情報を液晶表示装置１１Ｆに表示し、遊技ができない旨を報知してもよい。
【０４３３】
サブＣＰＵ１０２は、主制御回路９１（図４参照）から送信されたコマンド信号に応じて、ロムカートリッジ基板７６に記憶されている制御プログラムに従い、音、光の出力、液晶表示装置１１Ｆの表示制御及び駆動装置２００Ｆ（図６０参照）の駆動の制御を行う。ロムカートリッジ基板７６は、基本的に、プログラム記憶領域とデータ記憶領域によって構成される。
【０４３４】
プログラム記憶領域には、サブＣＰＵ１０２が実行する制御プログラムが記憶されている。例えば、制御プログラムには、主制御回路９１（図４参照）との通信を制御するための主基板通信タスクや、演出用乱数値を抽出し、演出内容（演出データ）の決定及び登録を行うための演出登録タスクが含まれる。また、決定した演出内容に基づいて液晶表示装置１１Ｆ（図５９参照）による映像の表示を制御する描画制御タスク、駆動装置２００Ｆ（図６０参照）による液晶表示装置１１Ｆの液晶パネル（図６１参照）の移動を制御する駆動制御タスク、ＬＥＤ群２５（図６０参照）等の光源による光の出力を制御するランプ制御タスク、スピーカ２３Ｌ，２３Ｒによる音の出力を制御する音声制御タスク等が含まれる。このように、サブＣＰＵ１０２は、駆動装置２００Ｆを駆動制御する駆動制御手段の一例として機能する。
【０４３５】
データ記憶領域は、各種データテーブルを記憶する記憶領域、各演出内容を構成する演出データを記憶する記憶領域、映像の作成に関するアニメーションデータを記憶する記憶領域が含まれている。また、ＢＧＭや効果音に関するサウンドデータを記憶する記憶領域、光の点消灯のパターンに関するランプデータを記憶する記憶領域等が含まれている。
【０４３６】
サブＲＡＭ１０３は、決定された演出内容や演出データを登録する格納領域や、主制御回路９１から送信される内部当籤役等の各種データを格納する格納領域が設けられている。
【０４３７】
サブＣＰＵ１０２、レンダリングプロセッサ１０４、描画用ＲＡＭ（フレームバッファを含む）１０５及びドライバ１０６は、演出内容により指定されたアニメーションデータに従って映像を作成し、作成した映像を液晶表示装置１１Ｆに表示させる。また、サブＣＰＵ１０２は、演出内容により指定された駆動データに従って液晶パネル（図６１参照）を移動する。
【０４３８】
また、サブＣＰＵ１０２は、演出内容により指定されたサウンドデータに従ってＢＧＭ等の音をスピーカ２３Ｌ，２３Ｒにより出力させる。また、サブＣＰＵ１０２は、演出内容により指定されたランプデータに従ってＬＥＤ群２５の点灯及び消灯を制御する。
【０４３９】
＜液晶表示装置及び駆動装置＞
次に、液晶表示装置１１Ｆ及び駆動装置２００Ｆについて説明する。図６１は、本発明の第７実施形態に係るパチスロ機の液晶表示装置及び駆動装置の正面図である。図６１（ａ）は第１液晶パネル及び第２液晶パネルが表示窓外に配置された状態を示し、図６１（ｂ）は第１液晶パネル及び第２液晶パネルが表示窓内に配置された状態を示している。なお、図６１では、液晶表示装置１１Ｆの前面側に配置された表示窓４及び視認可能領域５を点線で示している。
【０４４０】
［液晶表示装置］
まず、上記のとおり、表示窓４において、左リール３Ｌ（図５９参照）の中段領域、中リール３Ｃ（図５９参照）の中段領域、及び、右リール３Ｒ（図５９参照）の中段領域を結ぶラインであり、入賞か否かの判定を行う有効ライン４ａが定義されている。また、視認可能領域５は、左リール３Ｌの上段領域の左側に形成された左上領域５１と、左リール３Ｌの下段領域の左側に形成された左下領域５２と、左リール３Ｌの中段領域の左側であって、左上領域５１及び左下領域５２と表示窓４との間に形成された左中領域５３と、右リール３Ｒの上段領域の右側に形成された右上領域５４と、右リール３Ｒの下段領域の右側に形成された右下領域５５と、右リール３Ｒの中段領域の右側であって、右上領域５４及び右下領域５５と表示窓４との間に形成された右中領域５６と、を有する。
【０４４１】
液晶表示装置１１Ｆは、表示窓４及び視認可能領域５の背面側であって、リール３Ｌ，３Ｃ，３Ｒ（図５９参照）より前面側に配置され、第１液晶パネル１１１と、第２液晶パネル１１２と、を備える。第１液晶パネル１１１及び第２液晶パネル１１２は、その表示領域１１ａが表示窓４や視認可能領域５の背後にくるように配置されている。
【０４４２】
初期状態において、第１液晶パネル１１１はリールと重ならない第１位置であって、表示窓４の左側に配置され、第２液晶パネル１１２はリールと重ならない第１位置であって、表示窓４の右側に配置されている。そして、第１液晶パネル１１１及び第２液晶パネル１１２は、副制御回路１０１（図５参照）に駆動制御される駆動装置２００Ｆにより、少なくとも一部がリールと重なる第２位置に移動可能である。
【０４４３】
第１液晶パネル１１１は、表示領域１１ａが略Ｃの字形状に形成され、左上領域５１や表示窓４の左リール３Ｌ（図５９参照）の上段領域を視認可能な部分の背面側に配置された左上段部１１１ａと、左下領域５２や表示窓４の左リール３Ｌ（図５９参照）の下段領域を視認可能な部分の背面側に配置された左下段部１１１ｂと、上端が左上段部１１１ａの左端側に連なり、下端が左下段部１１１ｂの左端側に連なる左中段部１１１ｃと、を備える。
【０４４４】
左上段部１１１ａは、第１液晶パネル１１１がリールと重ならない第１位置に配置されている場合に、その表示領域１１ａが左上領域５１から視認可能となり、第１液晶パネル１１１が少なくとも一部がリールと重なる第２位置に配置されている場合に、左リール３Ｌの上段領域の前面側に配置され、その表示領域１１ａが表示窓４から視認可能となる。左下段部１１１ｂは、第１液晶パネル１１１がリールと重ならない第１位置に配置されている場合に、その表示領域１１ａが左下領域５２から視認可能となり、第１液晶パネル１１１が少なくとも一部がリールと重なる第２位置に配置されている場合に、左リール３Ｌの下段領域の前面側に配置され、その表示領域１１ａが表示窓４から視認可能となる。左中段部１１１ｃは、第１液晶パネル１１１が少なくとも一部がリールと重なる第２位置に配置されている場合に、その表示領域１１ａが左中領域５３から視認可能となる。
【０４４５】
即ち、第１液晶パネル１１１は、左上段部１１１ａの下側縁、左中段部１１１ｃの右側縁及び左下段部１１１ｂの上側縁から形成され、少なくとも一部がリールと重なる第２位置に配置されている場合に、有効ライン４ａを遮蔽しない領域を形成し、有効ライン４ａ上の停止表示の視認性を低下させないような特殊形状部１１１ｄを有する。
【０４４６】
第２液晶パネル１１２は、表示領域１１ａが略コの字形状に形成され、右上領域５４や表示窓４の右リール３Ｒ（図５９参照）の上段領域を視認可能な部分の背面側に配置された右上段部１１２ａと、右下領域５５や表示窓４の右リール３Ｒ（図５９参照）の下段領域を視認可能な部分の背面側に配置された右下段部１１２ｂと、上端が右上段部１１２ａの右端側に連なり、下端が右下段部１１２ｂの右端側に連なる右中段部１１２ｃと、を備える。
【０４４７】
右上段部１１２ａは、第２液晶パネル１１２がリールと重ならない第１位置に配置されている場合に、その表示領域１１ａが右上領域５４から視認可能となり、第２液晶パネル１１２が少なくとも一部がリールと重なる第２位置に配置されている場合に、右リール３Ｒの上段領域の前面側に配置され、その表示領域１１ａが表示窓４から視認可能となる。右下段部１１２ｂは、第２液晶パネル１１２がリールと重ならない第１位置に配置されている場合に、その表示領域１１ａが右下領域５５から視認可能となり、第２液晶パネル１１２が少なくとも一部がリールと重なる第２位置に配置されている場合に、右リール３Ｒの下段領域の前面側に配置され、その表示領域１１ａが表示窓４から視認可能となる。右中段部１１２ｃは、第２液晶パネル１１２が少なくとも一部がリールと重なる第２位置に配置されている場合に、その表示領域１１ａが右中領域５６から視認可能となる。
【０４４８】
即ち、第２液晶パネル１１２は、右上段部１１２ａの下側縁、右中段部１１２ｃの左側縁及び右下段部１１２ｂの上側縁から形成され、少なくとも一部がリールと重なる第２位置に配置されている場合に、有効ライン４ａを遮蔽しない領域を形成し、有効ライン４ａ上の停止表示の視認性を低下させないような特殊形状部１１２ｄを有する。
【０４４９】
このように、液晶表示装置１１Ｆ（第１液晶パネル１１１、第２液晶パネル１１２）は、副制御回路１０１（図５参照）の駆動装置２００Ｆの制御により、少なくとも一部がリールと重なる第２位置に移動された場合に、少なくとも一部（左上段部１１１ａ、左下段部１１１ｂ、右上段部１１２ａ、右下段部１１２ｂ）がリール３（左リール３Ｌの上段領域、左リール３Ｌの下段領域、右リール３Ｒの上段領域、右リール３Ｒの下段領域）と重なり、リール３と重なった部分の側縁において、有効ライン上に停止した図柄を表示可能とする特殊形状部１１１ｄ，１１２ｄが形成されている。
【０４５０】
これにより、液晶表示装置１１Ｆ（第１液晶パネル１１１、第２液晶パネル１１２）は、有効ライン４ａの視認性を担保しつつも１つのパーツで、複数個分の図柄表示領域（例えば、左リール３Ｌの上段領域、左リール３Ｌの下段領域等）と重なることができる形状であるため、複数の図柄表示領域と重ねる演出をする際に、複数の図柄表示領域と重ねる液晶表示装置をそれぞれ設ける場合に比べ、部品点数を削減することができる。よって、遊技機の製造コストが削減でき、また、液晶表示装置を制御する表示制御手段の制御負荷を軽減することが可能となる。
【０４５１】
また、従来は、非有効ラインと重なる位置で可動物による演出を行う場合に、可動物の構造的都合に合わせて有効ラインを設定しており、リール配列設計の自由度が低下していた。液晶表示装置１１Ｆは、特殊形状部１１１ｄや特殊形状部１１２ｄを備えることで、リールの有効ラインに合わせて移動画面の形状を設定することが可能となり、リール配列設計の自由度が向上し、ゲーム性が向上する。
【０４５２】
更に、液晶表示装置１１Ｆは、特殊形状部１１１ｄや特殊形状部１１２ｄを備えることで、有効ラインの視認性が担保される。これにより、リール回転中に第１液晶パネル１１１や第２液晶パネル１１２を移動させても、遊技者の遊技を妨げることがないので、リール回転中に、リールの前面側で演出を行うことも可能となり、演出のバリエーションを増加させることも可能となる。
【０４５３】
また、リールと重ならない第１位置に視認可能領域５（左上領域５１、左下領域５２、右上領域５４及び右下領域５５）を設けたことで、リール３の前面に配置し、リールに重ねる演出が可能な液晶表示装置１１Ｆ（第１液晶パネル１１１、第２液晶パネル１１２）を、少なくとも一部がリールと重なる第２位置に移動する前の待機位置でも視認可能となるので、演出の幅を広げ、遊技の興趣を向上できる。
【０４５４】
また、液晶表示装置１１Ｆ（第１液晶パネル１１１、第２液晶パネル１１２）の外形を四角形状でない任意の形状で形成した場合、一般的な四角形状の画像は端部が途切れてしまう場合がある。しかしながら、このような場合でも、視認可能領域５（左上領域５１、左下領域５２、左中領域５３、右上領域５４、右下領域５５及び右中領域５６）を四角形形状に形成したことで、液晶表示装置１１Ｆに表示されている画像を、視認可能領域５を介して遊技者に視認可能とすることで、遊技者が見慣れた四角形状の画像として見せることができるので、演出画像に対する違和感を生じさせることなく、演出効果を向上できる。一方、端部が途切れないような小さな画像は、あえて小さな画像のまま表示させることで、新鮮な演出が可能となる。
【０４５５】
［駆動装置］
駆動装置２００Ｆは、第１液晶パネル１１１及び第２液晶パネル１１２の上下側縁にそれぞれ設けられ、ラック２２０と、ピニオン２３０と、モータ２５０（図６０参照）と、を備える。
【０４５６】
ラック２２０は、第１液晶パネル１１１及び第２液晶パネル１１２の上下側縁にそれぞれ設けられ、第１液晶パネル１１１及び第２液晶パネル１１２がリールと重ならない第１位置から少なくとも一部がリールと重なる第２位置に移動する方向（図６１に示す例では左右方向）に延びている。ピニオン２３０は、ラック２２０の略中央において、ラック２２０と係合し、モータ２５０（図６０参照）の駆動により回転する。モータ２５０は、副制御回路１０１（図５参照）に制御された駆動制御基板７８（図６０参照）により駆動し、ピニオン２３０を回転させる。
【０４５７】
駆動制御手段の一例である副制御回路１０１（図５参照）は、主制御回路９１（図４参照）から送信されるコマンド信号に基づいて演出内容を決定し、決定した演出内容に応じて、モータ２５０（図６０参照）をそれぞれの所定方向に回転駆動して、ピニオン２３０を回転させる。なお、副制御回路１０１は、予め設定された演出内容に応じたステップ数だけモータ２５０（図６０参照）を駆動してもよいし、フォトセンサを設けた場合には、このフォトセンサで検出した入力信号に基づき、液晶表示装置１１Ｆ（第１液晶パネル１１１、第２液晶パネル１１２）の位置を検出し、検出した位置に応じてモータ２５０を駆動してもよい。
【０４５８】
［駆動制御］
次に、駆動装置２００Ｆによる液晶表示装置１１Ｆの動作について説明する。例えば、液晶表示装置１１Ｆの第１液晶パネル１１１、第２液晶パネル１１２は、初期状態において、図６１（ａ）に示すように、リールと重ならない第１位置に配置されている。この状態において、副制御回路１０１（図５参照）は、主制御回路９１（図４参照）から送信されるコマンド信号に基づき決定した演出内容に応じて、ラック２２０と係合するモータ２５０を所定方向に回転駆動する。これにより、ラック２２０が取り付けられた第１液晶パネル１１１及び第２液晶パネル１１２は、少なくとも一部がリールと重なる第２位置方向に移動し、左上段部１１１ａ、左下段部１１１ｂ、右上段部１１２ａ及び右下段部１１２ｂが、表示窓４から視認可能となるとともに、左リール３Ｌ（図５９参照）の上段領域、左リール３Ｌの下段領域、右リール３Ｒ（図５９参照）の上段領域、右リール３Ｒの下段領域）と重なり遮蔽し、左中段部１１１ｃ及び右中段部１１２ｃが左中領域５３及び右中領域５６から視認可能となり、図６１（ｂ）に示す状態となる。
【０４５９】
このように、複数の液晶パネルを連動して、移動させることで、演出性を向上できる。また、複数の液晶パネルを連動して移動させ、これらの液晶パネルを互いに近接するまで移動させ、関連する演出表示をすることで、より演出性を向上できる。この場合、複数の液晶パネルが近接したことを検知する検知手段を設け、副制御回路１０１は、この検知手段から複数の液晶パネルが近接したことを示す信号を受信した場合には、液晶パネルの移動を停止する制御を行ってもよい。これにより、演出性を向上できるとともに、液晶パネル同士の接触により、破損することを防止できる。
【０４６０】
［表示制御］
次に、副制御回路１０１による液晶表示装置１１Ｆの表示制御について説明する。図６２は、本発明の第７実施形態に係るパチスロ機の液晶表示装置における演出画像の一例を示す図である。図６２（ａ）は第１液晶パネル及び第２液晶パネルが表示窓外に配置された状態を示し、図６２（ｂ）は第１液晶パネル及び第２液晶パネルが表示窓内に配置された状態を示している。なお、図６２では、表示窓４及び視認可能領域５の背面側に配置された液晶表示装置１１Ｆ（第１液晶パネル及び第２液晶パネル）を点線で示している。
【０４６１】
液晶表示装置１１Ｆは、初期状態において、図６２（ａ）に示すように、第１液晶パネル１１１及び第２液晶パネル１１２は、リールと重ならない第１位置に配置されている。この状態において、副制御回路１０１（図５参照）は、主制御回路９１（図４参照）から送信されるコマンド信号に基づき決定した演出内容に応じて、第１液晶パネル１１１及び第２液晶パネル１１２の表示領域１１ａに演出画像を表示する制御を行う。
【０４６２】
そして、副制御回路１０１（図５参照）は、主制御回路９１（図４参照）から送信されるコマンド信号に基づき決定した演出内容に応じて、駆動装置２００Ｆ（図６１参照）の複数のモータ２５０をそれぞれの所定方向に回転駆動させるタイミングで、図６２（ｂ）に示すように、第１液晶パネル１１１（左上段部１１１ａ、左下段部１１１ｂ）及び第２液晶パネル１１２（右上段部１１２ａ、右下段部１１２ｂ）の表示領域１１ａに、例えば、図柄を模した疑似図柄の演出画像を、当該表示領域１１ａに表示し、第１液晶パネル１１１（左中段部１１１ｃ）及び第２液晶パネル１１２（右中段部１１２ｃ）の表示領域１１ａに、疑似図柄の演出画像とは異なる演出画像を表示する制御を行う。
【０４６３】
これにより、１つの液晶パネルにおいて、リール３の前面側に配置された部分では疑似図柄の演出画像を表示し、別の部分で他の演出画像を表示することで、演出を多様化することが可能となる。また、このような異なる種類の演出画像を１つの液晶パネルに表示することで、これらの演出画像を表示させるタイミングの同期処理が不用となり、副制御回路１０１における処理負荷を軽減することが可能となる。
【０４６４】
また、副制御回路１０１（図５参照）は、主制御回路９１（図４参照）から送信されるコマンド信号に基づき決定した演出内容に応じて、液晶表示装置１１Ｆの第１液晶パネル１１１及び第２液晶パネル１１２を、リールと重ならない第１位置から少なくとも一部がリールと重なる第２位置方向に移動させる制御と、第１液晶パネル１１１（左上段部１１１ａ、左下段部１１１ｂ）及び第２液晶パネル１１２（右上段部１１２ａ、右下段部１１２ｂ）の表示領域１１ａに、疑似図柄の演出画像を表示させる制御と、を関連付けてもよい。
【０４６５】
この場合、副制御回路１０１は、例えば、第１液晶パネル１１１（左上段部１１１ａ、左下段部１１１ｂ）及び第２液晶パネル１１２（右上段部１１２ａ、右下段部１１２ｂ）の表示領域１１ａに、疑似図柄（例えば、「７」図柄を模した疑似図柄）の演出画像を表示し、この状態で、第１液晶パネル１１１及び第２液晶パネル１１２を、リールと重ならない第１位置から少なくとも一部がリールと重なる第２位置方向に移動させる制御を行う。このとき、副制御回路１０１は、演出内容や内部当籤役に応じて、例えば、「７」図柄を模した疑似図柄を表示した左上段部１１１ａを、左リール３Ｌの上段領域と完全に重なる位置まで移動させたり、左リール３Ｌの上段領域と完全に重なる前に、戻す方向（少なくとも一部がリールと重なる第２位置からリールと重ならない第１位置方向）に移動させたりしてもよい。
【０４６６】
また、副制御回路１０１は、演出内容や内部当籤役に応じて、第１液晶パネル１１１及び第２液晶パネル１１２を、互いに異なる態様で、移動させる制御を行ったり、左上段部１１１ａ、左下段部１１１ｂ、右上段部１１２ａ及び右下段部１１２ｂにそれぞれ互いに異なる疑似図柄を表示する制御を行ってもよい。
【０４６７】
また、副制御回路１０１は、演出内容や内部当籤役に応じて、第１液晶パネル１１１や第２液晶パネル１１２において、移動前と移動後とで、異なる疑似図柄を表示する制御（変化させる制御）を行ってもよい。具体的には、副制御回路１０１は、内部当籤役がＢＢである場合に、第１液晶パネル１１１や第２液晶パネル１１２において、移動前にＢＡＲ図柄やリプレイ図柄等を模した疑似図柄を表示させておき、移動後に７図柄を模した疑似図柄に変化させる制御を行ってもよい。これにより、第１液晶パネル１１１や第２液晶パネル１１２の移動中に、ＲＥＧ告知や小役ナビ等をＢＩＧ告知に変化させることができるので、第１液晶パネル１１１や第２液晶パネル１１２の移動に対する興趣を向上できる。
【０４６８】
また、副制御回路１０１は、液晶表示装置１１Ｆの初期位置を少なくとも一部がリールと重なる第２位置とし、この状態で、液晶表示装置１１Ｆに所定のシンボル画像を変動表示し停止表示し、停止表示したシンボル図柄と停止したリール３の図柄との組み合わせに応じて、所定の特典を付与してもよい。これにより、新たなゲーム性を提供できる。
【０４６９】
また、副制御回路１０１は、液晶表示装置１１Ｆをリールと重ならない第１位置から少なくとも一部がリールと重なる第２位置方向に移動させる制御において、複数段階の停止位置（例えば、移動位置１、移動位置２等）で停止させる制御を行ってもよい。この場合、副制御回路１０１は、複数の液晶パネルを同じ停止位置で停止させる制御を行ってもよいし、互いに異なる位置で停止させる制御を行ってもよい。
【０４７０】
第７実施形態によれば、以下の作用効果を奏する。パチスロ機１Ｆによれば、液晶表示装置１１Ｆを、リールと重ならない第１位置から少なくとも一部がリールと重なる第２位置に移動させることができる。よって、遊技者が注目するリール３前に、演出画像を表示する液晶表示装置１１Ｆを移動させることで、リール３前における演出画像による演出効果を向上できる。また、液晶表示装置１１Ｆ（第１液晶パネル１１１、第２液晶パネル１１２）が第２位置に移動した場合に、液晶表示装置１１Ｆのリール３と重なった部分の側縁には、有効ライン４ａ上の停止表示の視認性を低下させないような特殊形状部１１１ｄ，１１２ｄが形成されている。よって、入賞判定がされる有効ライン４ａ上の図柄の視認性が低下することがない。したがって、リール前での演出効果を向上可能とするとともに、遊技者が特に注目する有効ラインの視認性を担保可能な遊技機を提供できる。
【０４７１】
また、パチスロ機１Ｆによれば、液晶表示装置１１Ｆにおいて、図柄を模した疑似図柄を表示できるので、リール３に配された図柄と、液晶表示装置１１Ｆに表示された疑似図柄とによって、多彩な図柄演出が可能となる。したがって、リール前での演出効果を向上可能とするとともに、多彩な図柄演出が可能であり、遊技者が特に注目する有効ラインの視認性を担保可能な遊技機を提供できる。
【０４７２】
なお、本発明は、上述した実施形態に限定されるものではない。例えば、第７実施形態においては、液晶表示装置１１Ｆ（第１液晶パネル１１１、第２液晶パネル１１２）の特殊形状部１１１ｄ，１１２ｄは、少なくとも一部がリールと重なる第２位置に向かう先端側から、基端側に延び、有効ライン４ａ上に停止した図柄を表示可能に欠き込まれた形状（凹部形状）を有している。しかしながら、これに限らず、有効ラインの視認性を保てる形状であれば、略Ｃの字形状や略コの字形状に限らず、Ｌ字形状や逆Ｌ字や、開口部を有する形状や、図柄の外形も模した形状等の任意の形状とすることができる。また、液晶表示装置１１Ｆの複数の液晶パネルは同一又は対称の形状に限らず、互いに異なる形状に形成してもよい。また、複数の液晶パネルのうち、前述の効果を損ねない態様であれば、特殊形状部を有する液晶パネルと、特殊形状部を有しない液晶パネルとの組合せとすることも可能である。また、液晶表示装置１１Ｆは、複数の液晶パネルを備えるものに限らず、液晶パネルを１つだけ備えてもよい。
【０４７３】
また、液晶表示装置１１Ｆ（第１液晶パネル１１１、第２液晶パネル１１２）自体も、略Ｃの字形状や略コの字形状に限らず、Ｌ字形状や逆Ｌ字や、図柄の外形も模した形状等の任意の形状とすることができる。
【０４７４】
また、液晶表示装置１１Ｆは、左右にそれぞれ１つずつ液晶パネルを配置する態様に限らず、例えば、左右それぞれ上下に１つずつ（計４つ）液晶パネルを配置し、それぞれ移動させてもよい。また、液晶表示装置ｌｌＦは、左右にそれぞれ１つずつ液晶パネルを配置する態様に限らず、例えば、左右それぞれ上下ｉに１つずつ（計４つ）液晶パネルを配置し、それぞれ移動させてもよい。この場合においても、いずれか又は全ての液晶パネルに特殊形状部を設けることで、有効ラインの視認性を担保することができる。
【０４７５】
また、視認可能領域５（左上領域５１、左下領域５２、左中領域５３、右上領域５４、右下領域５５及び右中領域５６）は、四角形状に限らず、文字やキャラクタ形状等の任意の形状とすることができる。また、視認可能領域５は、複数の比較的小さい開口部を複数設ける態様に限らず、液晶表示装置１１Ｆの任意の形状で形成された外形部分のみを遊技者から視認できないように、液晶表示装置１１Ｆの外形の内側に沿った形状に形成してもよい。
【０４７６】
図６３は、本発明の第７実施形態に係るパチスロ機の液晶表示装置の変形例を説明する図である。変形例に係る液晶表示装置１１Ｆ’は、表示窓４及び視認可能領域５’の背面側であって、リール３Ｌ，３Ｃ，３Ｒより前面側に配置され、有効ラインを遮蔽しない領域を形成する特殊形状部を有する逆Ｌ字形状に形成された第１液晶パネル１１１’と、特殊形状部を有しない四角形状に形成された第２液晶パネル１１２’と、図柄の外形も模した形状（図６３に示す例では「７」）に形成された第３液晶パネル１１３’と、を備える。液晶表示装置１１Ｆ’は、初期状態において、第１液晶パネル１１１’及び第３液晶パネル１１３’がリール３Ｌ，３Ｃ，３Ｒの上方に配置され、第２液晶パネル１１２’がリール３Ｌ，３Ｃ，３Ｒの下方に配置され、いずれの液晶パネルも表示窓４の周縁の第１位置に配置されている。そして、第１液晶パネル１１１’、第２液晶パネル１１２’及び第３液晶パネル１１３’は、副制御回路１０１（図５参照）に駆動制御される駆動装置により、上下方向に移動し、少なくとも一部がリールと重なる第２位置に移動可能である。
【０４７７】
図６４〜図６６は、本発明の第７実施形態に係るパチスロ機の液晶表示装置の変形例の動作を説明する図である。図６４は、有効ライン（図６４に示す一点鎖線の矢印）が、中段直線ライン、リール３Ｌの下段・リール３Ｃの下段・リール３Ｒの下段（以下、「下段直線ライン」とも言う。）及びリール３Ｌの下段・リール３Ｃの中段・リール３Ｒの上段（以下、「右上がり直線ライン」とも言う。）の３ラインの場合における液晶表示装置１１Ｆ’の動作を説明する図である。この場合、液晶表示装置１１Ｆ’は、第３液晶パネル１１３’のみが、少なくとも一部がリールと重なる第２位置に移動し、有効ライン上ではないリール３Ｌの上段の前面側に配置される。なお、図６４に示す例のように、有効ライン上ではなくとも遮蔽されないマス（図６４に示す例ではリール３Ｃの上段）があってもよい。
【０４７８】
また、図６５は、有効ライン（図６５に示す一点鎖線の矢印）が、リール３Ｌの上段・リール３Ｃの中段・リール３Ｒの下段（以下、「右下がり直線ライン」とも言う。）の１ラインの場合における液晶表示装置１１Ｆ’の動作を説明する図である。この場合、液晶表示装置１１Ｆ’は、第１液晶パネル１１１’、第２液晶パネル１１２’及び第３液晶パネル１１３’が、少なくとも一部がリールと重なる第２位置に移動し、第１液晶パネル１１１’が有効ライン上ではないリール３Ｃの上段、リール３Ｒの上段及び下段の前面側に配置され、第２液晶パネル１１２’が有効ライン上ではないリール３Ｌの下段、リール３Ｃの下段の前面側に配置され、第３液晶パネル１１３’が有効ライン上ではないリール３Ｌの中段の前面側に配置される。
【０４７９】
また、図６６は、有効ライン（図６６に示す一点鎖線の矢印）が、リール３Ｌの中段・リール３Ｃの中段・リール３Ｒの下段（以下、「変則ライン」とも言う。）の１ラインの場合における液晶表示装置１１Ｆ’の動作を説明する図である。この場合、液晶表示装置１１Ｆ’は、第１液晶パネル１１１’、第２液晶パネル１１２’及び第３液晶パネル１１３’が、少なくとも一部がリールと重なる第２位置に移動し、第１液晶パネル１１１’が有効ライン上ではないリール３Ｃの上段、リール３Ｒの上段及び下段の前面側に配置され、第２液晶パネル１１２’が有効ライン上ではないリール３Ｌの下段、リール３Ｃの下段の前面側に配置され、第３液晶パネル１１３’が有効ライン上ではないリール３Ｌの上段の前面側に配置される。図６６に示す例のように各液晶パネルを移動した際に、液晶パネルと重ならない領域が有効ラインを形成している場合、液晶パネルの位置により有効ラインを遊技者に認識させることもできる。特に変則ラインの場合には、一般的に遊技者は有効ラインを意識しづらいため、このように各液晶パネルが移動することで有効ラインを意識させやすい状況とすると、遊技者は入賞態様を認識しやすくなり、遊技の興趣が高まる効果も奏する。
【０４８０】
このような液晶表示装置１１Ｆ’は、有効ラインが、リール３Ｌの中段・リール３Ｃの中段・リール３Ｒの中段（以下、「中段直線ライン」とも言う。）の１ラインである場合に限らず、多様な形態の有効ラインを遮蔽することなく、液晶パネルをリールの前面側に移動させることができる。よって、規定数（ベット枚数）により有効ラインが変化する機種において、規定数に応じて表示装置の動作が変化し多様な演出が可能となる。また、７図柄を模した第３液晶パネル１１３’と停止したリールの７図柄とを一直線に並べるとことで、外見上７図柄揃いと遊技者に認識させる態様とする演出を行うこともできる。ここで、リールの停止した図柄が赤７である場合は、第３液晶パネル１１３’に赤色を表示して、赤７図柄揃いと見えるように演出し、停止したリールの図柄が青７である場合は、第３液晶パネル１１３’に青色を表示して青７揃いと見えるように演出することができる。更に、７図柄形状の第３液晶パネル１１３’と、停止したリールの７図柄と、第１液晶パネル１１１’に画像として表示した７図柄を一直線に並べることで、７図柄揃いとして遊技者に有利状態の当籤を報知する演出を行うものであってもよい。つまり、液晶パネルの特殊形状部とリールの図柄と表示画像を組み合わせた演出が可能となる点で、斬新な演出が可能となる。また、各液晶パネルは、いずれか１つ又は任意の複数を演出に応じたタイミングや所定条件の成立を条件としてリール前面に移動させてもよい。例えば、７図柄を模した第３液晶パネル１１３’は、回胴回転中はリールと重ならない第１位置に待機しており、リール３Ｃ及び３Ｒの中段に７図柄が停止し、かつ、リール３Ｒの中段に７図柄が停止していないことを条件に、第３停止後に待機していた位置からリール３Ｌの中段に移動させることで、ハズレから７図柄揃いと視認できる態様に変化させることができる。なお、図６４ないし図６６及び前記説明においては、各液晶パネルはリールと重ならない第１位置に配置したが、有効ラインの視認性を妨げない態様であれば、一部が少なくとも一部がリールと重なる第２位置で待機させるものであってもよい。
【０４８１】
以上、第１実施形態〜第７実施形態の説明では、遊技機の一例としてパチスロ機又はパチンコ機を例に説明したが、本発明は、これに限らず、液晶表示装置を備える遊技機であれば、パロット、封入式パチンコ機等に適用することもできる。また、矛盾が生じなければ、第１実施形態〜第７実施形態及び変形例に係る発明を組み合わせて別箇の発明とすることができることはいうまでもない。
【０４８２】
［付記１］
付記１の遊技用装置は以下の通りである。
［背景技術］
【０４８３】
パチスロと称される遊技機として、演出画像が表示される２つの液晶ディスプレイを分割し、各液晶ディスプレイを離れる方向へ移動させる移動機構を設け、この移動機構により液晶ディスプレイを分離移動させ、分離移動した液晶ディスプレイの間には、リール機構を後方から進出させ、液晶ディスプレイとリール機構により表示部を構成する遊技機が提案されている（特許文献１参照）。
［先行技術文献］
［特許文献］
【０４８４】
［特許文献１］特開２００６−１１６２３２号公報
［発明の概要］
［発明が解決しようとする課題］
【０４８５】
しかしながら、上記特許文献１の遊技機は、液晶ディスプレイを分割し、各液晶ディスプレイを離れる方向へ移動させた後、分離移動した液晶ディスプレイの間にリール機構を配置している。このため、各液晶ディスプレイがリール機構を挟んで互いに離れた状態となり、各液晶ディスプレイにおける演出画像も分離されるため、遊技者における演出画像に対する印象が低下してしまうという問題があった。
【０４８６】
そこで、本発明は、このような問題点を解決し、印象深い演出画像の表示を行うことが可能な遊技機を提供することを目的とする。
［課題を解決するための手段］
【０４８７】
本発明は、以下のような遊技機を提供する。本発明の遊技機（例えば、後述のパチスロ機１等）は、遊技における演出画像を前面に形成された表示領域（例えば、後述の表示領域１１ａ等）に表示可能な表示手段（例えば、後述の液晶表示装置１１等）と、前記表示手段を表示制御する表示制御手段（例えば、後述の副制御回路１０１等）と、を備えた遊技機であって、前記表示手段は、互いに隣接して配置された第１表示手段（例えば、後述の第１液晶パネル１１１等）及び第２表示手段（例えば、後述の第２液晶パネル１１２等）と、前記第１表示手段及び前記第２表示手段の前記表示領域の背面側に配置された第３表示手段（例えば、後述の第３液晶パネル１１３等）と、を有し、前記第１表示手段及び前記第２表示手段を互いに離間又は近接させる方向に移動可能な第１駆動手段（例えば、後述の第１駆動部２１０等）と、前記第３表示手段を、前面又は背面方向に移動可能な第２駆動手段（例えば、後述の第２駆動部２２０等）と、前記第１駆動手段及び第２駆動手段を制御する駆動制御手段（例えば、後述の副制御回路１０１等）と、を備え、前記駆動制御手段は、前記第１駆動手段により前記第１表示手段及び前記第２表示手段を互いに離間させる方向に移動させ、前記第２駆動手段により前記第３表示手段を前面側に移動させ前記第１表示手段及び前記第２表示手段の間に配置させ、前記表示制御手段は、前記第１表示手段及び前記第２表示手段が互いに近接した状態では、前記第１表示手段及び前記第２表示手段の前記表示領域を１つの画面とした演出画像を表示制御し、前記第１表示手段及び前記第２表示手段の間に前記第３表示手段が配置された状態では、前記第１表示手段、前記第２表示手段及び前記第３表示手段の前記表示領域を１つの画面とした演出画像を表示制御することを特徴とする。
【０４８８】
このような構成の遊技機は、表示手段と、表示制御手段と、第１駆動手段と、第２駆動手段と、駆動制御手段と、を備える。表示手段は、遊技における演出画像を前面に形成された表示領域に表示可能であり、互いに隣接して配置された第１表示手段及び第２表示手段と、第１表示手段及び第２表示手段の表示領域の背面側に配置された第３表示手段と、を有する。表示制御手段は、表示手段を表示制御する。第１駆動手段は、第１表示手段及び第２表示手段を互いに離間又は近接させる方向に移動可能である。第２駆動手段は、第３表示手段を、前面又は背面方向に移動可能である。駆動制御手段は、第１駆動手段及び第２駆動手段を制御する。
【０４８９】
そして、駆動制御手段は、第１駆動手段により第１表示手段及び第２表示手段を互いに離間させる方向に移動させ、第２駆動手段により第３表示手段を前面側に移動させ第１表示手段及び第２表示手段の間に配置させ、表示制御手段は、第１表示手段及び第２表示手段が互いに近接した状態では、第１表示手段及び第２表示手段の表示領域を１つの画面とした演出画像を表示制御し、第１表示手段及び第２表示手段の間に第３表示手段が配置された状態では、第１表示手段、第２表示手段及び第３表示手段の表示領域を１つの画面とした演出画像を表示制御する。
【０４９０】
これにより、第１表示手段及び第２表示手段を互いに近接させて演出画像を表示させている状態から、第１表示手段及び第２表示手段を互いに離間させ、これらの間に第３表示手段を配置することで、画面を拡大させ、拡大させた画面において演出画像を表示できる。したがって、印象深い演出画像の表示を行うことが可能な遊技機を提供できる。
【０４９１】
本発明の遊技機は、前記構成に加えて、前記駆動制御手段は、前記第１駆動手段により前記第１表示手段及び前記第２表示手段を互いの間隔が前記第３表示手段の幅より広い間隔に離間させ、前記第２駆動手段により前記第３表示手段を前面側に移動させ前記第１表示手段及び前記第２表示手段の間に配置させた後に、前記第１駆動手段により前記第１表示手段及び前記第２表示手段を前記第３表示手段に近接させる方向に移動させることを特徴とする。
【０４９２】
これにより、第１表示手段及び第２表示手段を、一旦、第３表示手段の幅より広い間隔に離間させ、第３表示手段を第１表示手段及び第２表示手段の間に配置させてから、第１表示手段及び第２表示手段を第３表示手段に近接させる方向に移動させることが可能となる。よって、第１表示手段及び第２表示手段から成る画面から、第１表示手段、第２表示手段及び第３表示手段から成る画面に拡大する動作において、動作の溜めを設けることが可能となり、演出画像に対して遊技者の意識を惹きつけることが可能となる。したがって、より印象深い演出画像の表示を行うことが可能な遊技機を提供できる。
【０４９３】
本発明の遊技機は、前記構成に加えて、前記第１表示手段は、前記第２表示手段と隣接する側縁に、屈曲又は屈折した形状の第１特殊形状部（例えば、後述の第１特殊形状部１１１ａ等）が形成され、前記第２表示手段は、前記第１表示手段と隣接する側縁に、前記第１特殊形状部と略同一の形状の第２特殊形状部（例えば、後述の第２特殊形状部１１２ａ等）が形成され、前記第３表示手段は、前記第１表示手段及び前記第２表示手段の間に配置された状態において前記第１表示手段と隣接する側縁に、前記第１特殊形状部に組み合わさる形状の第３特殊形状部（例えば、後述の第３特殊形状部１１３ａ等）が形成され、前記第１表示手段及び前記第２表示手段の間に配置された状態において前記第２表示手段と隣接する側縁に、前記第２特殊形状部に組み合わさる形状の第４特殊形状部（例えば、後述の第４特殊形状部１１３ｂ等）が形成されていることを特徴とする。
【０４９４】
これにより、第１表示手段及び第２表示手段から成る画面から、第１表示手段、第２表示手段及び第３表示手段から成る画面に拡大する動作において、第１表示手段及び第２表示手段が互いに離間する動作にともない、互いに組み合わされた第１特殊形状部と第２特殊形状部が互いに離間する演出が可能となる。そして、その後、第１表示手段及び第２表示手段の間に第３表示手段を配置する動作にともない、第１特殊形状部と第３特殊形状部とが組み合わされ、第２特殊形状部と第４特殊形状部とが組み合わされる演出が可能となる。よって、第１表示手段と第２表示手段とが分離する印象や、第１表示手段、第２表示手段及び第３表示手段とが合体する印象が向上し、演出画像に対して遊技者の意識を惹きつけることが可能となる。したがって、より印象深い演出画像の表示を行うことが可能な遊技機を提供できる。
［発明の効果］
【０４９５】
本発明によれば、印象深い演出画像の表示を行うことが可能な遊技機を提供できる。
【０４９６】
［付記２］
付記２の遊技用装置は以下の通りである。
［背景技術］
【０４９７】
パチスロと称される遊技機として、遊技機筐体枠内における遊技盤の演出領域に配置され、収納位置と演出位置との間で昇降可能に配置された可動式の演出装置としてのサブ液晶表示装置を備える遊技機が提案されている（特許文献１参照）。特許文献１によれば、遊技機筐体枠内における演出領域において、サブ液晶表示装置が収納位置と演出位置との間で昇降することで、演出効果を高めることができる。
［先行技術文献］
［特許文献］
【０４９８】
［特許文献１］特開２０１５−９７５８６号公報
［発明の概要］
［発明が解決しようとする課題］
【０４９９】
しかしながら、上記特許文献１の遊技機では、元々、遊技者が注視している遊技機筐体枠内における演出領域において、サブ液晶表示装置が昇降するものであり、演出の意外性に欠けるという問題があった。
【０５００】
そこで、本発明は、このような問題点を解決し、意外性を有する演出により、演出効果を向上可能な遊技機を提供することを目的とする。
［課題を解決するための手段］
【０５０１】
本発明は、以下のような遊技機を提供する。本発明の遊技機（例えば、後述のパチスロ機１等）は、前面側に向けられた第１表示領域（例えば、後述の第１表示領域１１ａ等）に、遊技における演出画像を表示可能な第１表示手段（例えば、後述の液晶表示装置１１等）と、前記第１表示手段の前記第１表示領域とは異なる方向に向けられた第２表示領域（例えば、後述の第２表示領域１５０ａ等）に、遊技における演出画像を表示可能な第２表示手段（例えば、後述の側面液晶表示装置１５０等）と、遊技機（例えば、後述のパチスロ機１のフロントドア２ｂ等）内に収容された前記第２表示手段を、前記第２表示領域の所定方向の側縁（例えば、後述の側縁１５０ｂ等）側から、前記遊技機の外方に突出させる駆動手段（例えば、後述の駆動装置２００等）と、を備えることを特徴とする。
【０５０２】
このような構成の遊技機は、第１表示手段と、第２表示手段と、駆動手段と、を備える。第１表示手段は、前面側に向けられた第１表示領域に、遊技における演出画像を表示可能である。第２表示手段は、第１表示手段の第１表示領域とは異なる方向に向けられた第２表示領域に、遊技における演出画像を表示可能である。駆動手段は、遊技機内に収容された第２表示手段を、第２表示領域の所定方向の側縁側から、遊技機の外方に突出させる。
【０５０３】
これにより、前面側に第１表示領域が向けられた第１表示手段とは別に設けられ、第１表示領域とは異なる方向に向けられた第２表示領域に、遊技における演出画像を表示可能な第２表示手段を、所定方向の側縁側から、遊技機の外方に突出させる演出が可能となる。即ち、遊技者が前面に向けられた第１表示手段に意識を集中しているときに、あまり意識していない遊技機の両側から、第２表示手段が突出する意外性を有する演出が可能となる。したがって、意外性を有する演出により、演出効果を向上可能な遊技機を提供できる。
【０５０４】
本発明の遊技機は、前記構成に加えて、前記第２表示手段の前記所定方向の側縁は、前記遊技機における前記第２表示手段が突出する位置の外表面に沿った形状に形成されていることを特徴とする。
【０５０５】
これにより、第２表示手段は違和感無く遊技機内に収容され、そして、あたかも遊技機の一部が突出し、演出画像を表示する意外性を有する演出が可能となる。したがって、より意外性を有する演出により、演出効果を向上可能な遊技機を提供できる。
【０５０６】
本発明の遊技機は、前記構成に加えて、透光性の素材で形成され、前記遊技機の外方に突出した前記第２表示手段を覆う保護手段（例えば、後述の保護部材１５１等）を、更に備え、前記駆動手段は、前記保護手段を、前記第２表示手段とともに、前記遊技機内から前記遊技機の外方に突出させ、前記遊技機の外方から前記遊技機内に収容することを特徴とする。
【０５０７】
これにより、遊技機の外方に突出した第２表示手段を、保護手段で覆うことが可能となる。また、保護手段は、第２表示手段とともに遊技機内に収容される。よって、遊技機の外方に第２表示手段を突出させる演出の意外性を損なうことなく、突出した第２表示手段が、例えば、遊技者等との接触により損傷するのを防止できる。したがって、表示手段の損傷を防止可能であるとともに、意外性を有する演出により、演出効果を向上可能な遊技機を提供できる。
［発明の効果］
【０５０８】
本発明によれば、意外性を有する演出により、演出効果を向上可能な遊技機を提供できる。
【０５０９】
［付記３］
付記３の遊技用装置は以下の通りである。
［背景技術］
【０５１０】
パチスロと称される遊技機として、腰部パネル部分において、液晶パネルと蛍光ランプを有して構成された液晶表示装置を設けることで、遊技機前面に大きなスペースを占める腰部パネル部分を有効に活用するとともに、装飾性、演出効果を高めることのできる遊技機が提案されている（特許文献１参照）。
［先行技術文献］
［特許文献］
【０５１１】
［特許文献１］特開２００６−４３２６８号公報
［発明の概要］
［発明が解決しようとする課題］
【０５１２】
しかしながら、上記特許文献１の遊技機によれば、装飾性、演出効果を高めることができるものの、近年、遊技機には、遊技者に操作手段を操作させることで、より演出効果を高めることや、演出の意外性により演出効果を高めることが期待されている。
【０５１３】
そこで、本発明は、このような問題点を解決し、操作手段により演出の意外性を高め、演出効果を向上可能な遊技機を提供することを目的とする。
［課題を解決するための手段］
【０５１４】
本発明は、以下のような遊技機を提供する。本発明の遊技機（例えば、後述のパチスロ機１等）は、遊技における演出画像を前面に形成された表示領域（例えば、後述の表示領域１８ａ等）に表示可能な表示手段（例えば、後述の腰部液晶表示装置１８等）と、前記表示手段を表示制御する表示制御手段（例えば、後述の副制御回路１０１等）と、遊技者により操作可能な操作手段（例えば、後述の操作部１５０等）と、を備え、前記表示手段は、前面から背面に貫通する開口部（例えば、後述の開口部１８ｂ等）が形成され、前記操作手段は、前記表示手段の前記開口部内に設けられ、前記表示制御手段の表示制御により、遊技における演出画像を前面に形成された補助表示領域（例えば、後述の補助表示領域１５１ａ等）に表示可能な補助表示手段（例えば、後述の補助液晶表示装置１５１等）を有し、前記表示制御手段は、前記表示手段の前記表示領域及び前記補助表示手段の前記補助表示領域を１つの画面とした演出画像を表示制御することを特徴とする。
【０５１５】
このような構成の遊技機は、表示手段と、操作手段と、表示制御手段と、を備える。表示手段は、遊技における演出画像を前面に形成された表示領域に表示可能であり、前面から背面に貫通する開口部が形成されている。操作手段は、遊技者により操作可能であり、表示手段の開口部内に設けられ、表示制御手段の表示制御により、遊技における演出画像を前面に形成された補助表示領域に表示可能である。表示制御手段は、表示手段の表示領域及び補助表示手段の補助表示領域を１つの画面とした演出画像を表示制御する。
【０５１６】
これにより、表示手段の表示領域の内側に、操作手段を配置することで、演出画像が１つの画面として表示されている領域の一部である操作手段の補助表示領域が、遊技者により操作可能となる。よって、演出画像が表示されている領域の一部が操作可能となるといった意外性が高い演出が可能となる。したがって、操作手段により演出の意外性を高め、演出効果を向上可能な遊技機を提供できる。
【０５１７】
本発明の遊技機は、前記構成に加えて、前記操作手段を、前面又は背面方向に移動可能な駆動手段（例えば、後述の駆動装置２００等）を更に備え、前記駆動手段は、前記操作手段の前記補助表示領域が、前記表示手段の前記表示領域と略同一の平面上に配置された状態から、前記補助表示領域が前記表示領域より前面側に配置された状態に、前記操作手段を移動可能であることを特徴とする。
【０５１８】
これにより、操作手段の補助表示領域が、表示手段の表示領域と略同一の平面上に配置され、１つの画面として演出画像が表示されている状態から、補助表示領域を、表示領域より前面側に移動できる。したがって、操作手段により演出の意外性をより高め、演出効果を向上可能な遊技機を提供できる。
【０５１９】
本発明の遊技機は、前記構成に加えて、前記表示制御手段は、前記操作手段の前記補助表示領域が、前記表示手段の前記表示領域と略同一の平面上に配置された状態では、前記表示領域及び前記補助表示領域を１つの画面とした演出画像を表示制御し、前記補助表示領域が前記表示領域より前面側に配置された状態では、前記補助表示領域において、前記操作手段の操作を示唆する示唆画像を表示制御することを特徴とする。
【０５２０】
これにより、操作手段の補助表示領域が、表示手段の表示領域と略同一の平面上に配置され、１つの画面として演出画像が表示されている状態から、補助表示領域を、表示領域より前面側に移動し、この状態において、補助表示領域に操作手段の操作を示唆する示唆画像を表示できる。よって、まず、１つの画面として演出画像が表示されている領域の一部が前面側に移動することによる意外性を付与することが可能となり、次に、この前面側に移動してきた部分が操作手段であり操作可能であるという意外性を、更に付与することが可能となる。したがって、操作手段により演出の意外性をより高め、演出効果を向上可能な遊技機を提供できる。
［発明の効果］
【０５２１】
本発明によれば、操作手段により演出の意外性を高め、演出効果を向上可能な遊技機を提供できる。
【０５２２】
［付記４］
付記４の遊技用装置は以下の通りである。
［背景技術］
【０５２３】
パチスロと称される遊技機として、演出画像が表示される２つの液晶ディスプレイを分割し、各液晶ディスプレイを離れる方向へ移動させる移動機構を設け、この移動機構により液晶ディスプレイを分離移動させ、分離移動した液晶ディスプレイの間には、リール機構を後方から進出させ、液晶ディスプレイとリール機構により表示部を構成する遊技機が提案されている（特許文献１参照）。
［先行技術文献］
［特許文献］
【０５２４】
［特許文献１］特開２００６−１１６２３２号公報
［発明の概要］
［発明が解決しようとする課題］
【０５２５】
しかしながら、上記特許文献１の遊技機は、液晶ディスプレイを分割し、各液晶ディスプレイを離れる方向へ移動させた後、分離移動した液晶ディスプレイの間にリール機構を配置している。このため、各液晶ディスプレイがリール機構を挟んで互いに離れた状態となり、各液晶ディスプレイにおける演出画像も分離されるため、遊技者における演出画像に対する印象が低下してしまうという問題があった。
【０５２６】
そこで、本発明は、このような問題点を解決し、印象深い演出画像の表示を行うことが可能な遊技機を提供することを目的とする。
［課題を解決するための手段］
【０５２７】
本発明は、以下のような遊技機を提供する。本発明の遊技機は、遊技における演出画像を表示領域（例えば、後述の表示領域１１ａ等）に表示する表示装置（例えば、後述の液晶表示装置１１等）と、前記表示装置を表示制御する表示制御手段（例えば、後述の副制御回路１０１等）と、前記表示装置の形態を変化させる駆動手段（例えば、後述の駆動装置２００等）と、を備えた遊技機（例えば、後述のパチスロ機１又はパチンコ機１Ａ等）であって、前記表示装置は、複数の表示手段（例えば、後述の第１液晶パネル１１１、第２液晶パネル１１２、第３液晶パネル１１３、第４液晶パネル１１４、第５液晶パネル１１５、第６液晶パネル１１６及び第７液晶パネル１１７等）を有し、複数の前記表示手段は、一体的な複数の配置形態とすることが可能であり、互いに隣接する前記表示手段同士の少なくとも一部分が接触して一体的に配置可能であり、前記駆動手段により他の前記表示手段との接触または接近状態を保持しつつ動作し、前記表示制御手段は、複数の前記表示手段の前記表示領域を１つの画面とした演出画像を表示制御することを特徴とする。
【０５２８】
このような構成の遊技機は、遊技における演出画像を表示領域に表示する複数の表示手段を有する表示装置と、表示装置を表示制御する表示制御手段と、表示装置の形態を変化させる駆動手段と、を備える。表示手段は、一体的な複数の配置形態とすることが可能であり、互いに隣接する表示手段同士の少なくとも一部分が接触して一体的に配置可能であり、駆動手段により他の表示手段との接触または接近状態を保持しつつ動作する。
【０５２９】
これにより、複数の表示手段が完全に分離されずに接触または接近した状態で動作し、隣接する表示手段同士の一部分が接触または接近して一体的な状態を維持しつつ、形態が変化する。その結果、表示装置は、一体的であり、且つ、あるデザイン性を持った別の形態に変化しつつも、変化の前後において、複数の表示手段の表示領域を１つの画面とした演出画像を表示できる。したがって、印象深い演出画像の表示を行うことが可能な遊技機を提供できる。
【０５３０】
本発明の遊技機は、前記構成に加えて、複数の前記表示手段は、全て同一の形状に形成され、前記駆動手段により、それぞれ同一方向に回動することを特徴とする。
【０５３１】
これにより、表示装置は、同一の形状に形成された複数の表示手段が、隣接する他の表示手段に摺接しながら、それぞれ回動するので、複数の表示手段が同様の動作をして、全体としてはあるデザイン性を持った別の形態に変化し、変化の前後において、複数の表示手段の表示領域を１つの画面とした演出画像を表示できる。したがって、より印象深い演出画像の表示を行うことが可能な遊技機を提供できる。
【０５３２】
本発明の遊技機は、前記構成に加えて、前記表示手段は、前記表示領域側から見て二等片三角形形状に形成され、前記表示装置は、Ｎ個の前記表示手段を有し、前記駆動手段により、Ｎ個の前記表示手段の１つの頂点が互いに近接し、外形形状がＮ角形形状の状態である第１形態から、Ｎ個の前記表示手段がそれぞれ同一方向に回動し、中心域にＮ角形形状の開口部が形成された第２形態に変化することを特徴とする。
【０５３３】
これにより、表示装置は、外形形状が七角形形状の状態である第１形態から、Ｎ個の表示手段がそれぞれ同一の方向に回動することで、中心域にＮ角形形状の開口部が形成された第２形態に変化し、変化の前後において、Ｎ個の表示手段の表示領域を１つの画面とした演出画像を表示できる。したがって、より印象深い演出画像の表示を行うことが可能な遊技機を提供できる。
［発明の効果］
【０５３４】
本発明によれば、印象深い演出画像の表示を行うことが可能な遊技機を提供できる。
【０５３５】
［付記５］
付記５の遊技用装置は以下の通りである。
［背景技術］
【０５３６】
パチスロと称される遊技機として、演出画像が表示される２つの液晶ディスプレイを分割し、各液晶ディスプレイを離れる方向へ移動させる移動機構を設け、この移動機構により液晶ディスプレイを分離移動させ、分離移動した液晶ディスプレイの間には、リール機構を後方から進出させ、液晶ディスプレイとリール機構により表示部を構成する遊技機が提案されている（特許文献１参照）。
［先行技術文献］
［特許文献］
【０５３７】
［特許文献１］特開２００６−１１６２３２号公報
［発明の概要］
［発明が解決しようとする課題］
【０５３８】
しかしながら、上記特許文献１の遊技機は、液晶ディスプレイを分割し、各液晶ディスプレイを離れる方向へ移動させた後、分離移動した液晶ディスプレイの間にリール機構を配置している。このため、各液晶ディスプレイがリール機構を挟んで互いに離れた状態となり、各液晶ディスプレイにおける演出画像も分離されるため、遊技者における演出画像に対する印象が低下してしまうという問題があった。
【０５３９】
そこで、本発明は、このような問題点を解決し、印象深い演出画像の表示を行うことが可能な遊技機を提供することを目的とする。
［課題を解決するための手段］
【０５４０】
本発明は、以下のような遊技機を提供する。本発明の遊技機（例えば、後述のパチスロ機１等）は、  遊技における演出画像を表示領域（例えば、後述の表示領域１１ａ等）に表示可能な表示手段（例えば、後述の液晶表示装置１１等）と、前記表示手段を表示制御する表示制御手段（例えば、後述の副制御回路１０１等）と、前記表示手段の一部を移動可能な駆動手段（例えば、後述の駆動装置２００等）と、を備え、前記表示手段は、固定して配置された固定表示手段（例えば、後述の固定液晶パネル１１０等）と、前記固定表示手段に隣接して配置され、前記駆動手段により、前記固定表示手段の周囲を移動可能な移動表示手段（例えば、後述の第１移動液晶パネル１１１及び第２移動液晶パネル１１２等）と、を有し、前記表示制御手段は、前記固定表示手段及び前記移動表示手段の前記表示領域を１つの画面とした演出画像を表示制御することを特徴とする。
【０５４１】
このような構成の遊技機は、表示手段と、表示制御手段と、駆動手段と、を備える。表示手段は、遊技における演出画像を表示領域に表示可能である。表示制御手段は、表示手段を表示制御する。駆動手段は、表示手段の一部を移動可能である。そして、表示手段は、固定表示手段と、移動表示手段と、を有する。固定表示手段は、固定して配置されている。移動表示手段は、固定表示手段に隣接して配置され、駆動手段により、固定表示手段の周囲を移動可能である。また、表示制御手段は、固定表示手段及び移動表示手段の表示領域を１つの画面とした演出画像を表示制御する。
【０５４２】
これにより、移動表示手段を、固定表示手段の周囲を移動させつつ、互いに隣接する移動表示手段及び固定表示手段の表示領域を１つの画面とした演出画像を表示できる。したがって、印象深い演出画像の表示を行うことが可能な遊技機を提供できる。
【０５４３】
本発明の遊技機は、前記構成に加えて、前記移動表示手段は、前記固定表示手段の前記表示領域に対して、対称に設けられた第１移動表示手段（例えば、後述の第１移動液晶パネル１１１等）及び第２移動表示手段（例えば、後述の第２移動液晶パネル１１２等）を有し、前記駆動手段は、前記固定表示手段を挟んで、水平線上に配置された前記第１移動表示手段及び前記第２移動表示手段を、前記固定表示手段を中心に回動させ、前記固定表示手段を挟んで、垂直線上に配置するように移動させることを特徴とする。
【０５４４】
これにより、演出画像が表示されている１つの画面として構成された第１移動表示手段、固定表示手段及び第２移動表示手段の表示領域のうち、中心の表示領域（固定表示手段の表示領域）は動かさず、両端部の表示領域（第１移動表示手段及び第２移動表示手段の表示領域）を水平位置から垂直位置に移動させることが可能となる。よって、例えば、所定のキャラクタを中心として水平方向に広がる演出画像を、移動表示手段を移動させることで、所定のキャラクタを中心として垂直方向に広がる演出画像に遷移させることが可能となる。したがって、より印象深い演出画像の表示を行うことが可能な遊技機を提供できる。
【０５４５】
本発明の遊技機は、前記構成に加えて、前記固定表示手段の外形は、前面側から視て円形状に形成され、前記固定表示手段と隣接する前記移動表示手段の側縁（例えば、後述の側縁１１１ａ及び側縁１１２ａ等）の形状は、前記固定表示手段の外形の形状に沿った形状に形成され、前記駆動手段は、前記固定表示手段及び前記移動表示手段の前記表示領域が形成されている面の反対側の面である背面に設けられていることを特徴とする。
【０５４６】
これにより、移動表示手段は固定表示手段の外形に沿って移動可能となり、この移動表示手段を移動する駆動手段は固定表示手段及び移動表示手段の背面に設けられている。よって、前面側から固定表示手段及び移動表示手段の表示領域を見る遊技者に移動表示手段を移動させている駆動手段を見せずに、固定表示手段を中心として移動表示手段を回動させつつ、固定表示手段及び移動表示手段の表示領域を１つの画面とした演出画像による演出が可能となる。したがって、より印象深い演出画像の表示を行うことが可能な遊技機を提供できる。
［発明の効果］
【０５４７】
本発明によれば、印象深い演出画像の表示を行うことが可能な遊技機を提供できる。
【０５４８】
［付記６］
付記６の遊技用装置は以下の通りである。
［背景技術］
【０５４９】
パチスロと称される遊技機として、遊技に関する情報を表示する液晶表示装置と、液晶表示装置を移動させる液晶駆動ユニットと、を備え、初期停止位置において、液晶表示装置がタイトルバーを遮蔽し、特定演出が行われているときに、遊技者により操作手段が操作された場合には、タイトルバーを遮蔽させない位置に、液晶駆動ユニットが液晶表示装置を移動させ、液晶表示装置の前面側において、タイトルバーを移動させる遊技機が提案されている（特許文献１参照）。
［先行技術文献］
［特許文献］
【０５５０】
［特許文献１］特開２０１６−５７１８号公報
［発明の概要］
［発明が解決しようとする課題］
【０５５１】
しかしながら、上記特許文献１の遊技機は、操作手段の操作により液晶表示装置を移動させるものの、操作手段を操作した結果として液晶表示装置を移動するだけで、液晶表示装置を移動させる演出により、操作手段を操作させる操作演出の興趣を向上させるものではなかった。
【０５５２】
そこで、本発明は、このような問題点を解決し、操作演出の興趣を向上可能な遊技機を提供することを目的とする。
［課題を解決するための手段］
【０５５３】
本発明は、以下のような遊技機を提供する。本発明の遊技機（例えば、後述のパチスロ機１Ｅ等）は、遊技者により操作可能な操作手段（例えば、後述の演出ボタン１９等）と、遊技における演出画像を表示領域（例えば、後述の表示領域１２ａ等）に表示可能な表示手段（例えば、後述の操作部液晶表示装置１２Ｅ等）と、前記表示手段を表示制御する表示制御手段（例えば、後述の副制御回路１０１等）と、前記表示手段を、前記操作手段に離間又は近接させる方向に移動可能な駆動手段（例えば、後述の駆動装置２００Ｅ等）と、前記駆動手段を制御する駆動制御手段（例えば、後述の副制御回路１０１等）と、を備え、前記表示手段は、その側縁において、前記操作手段の側縁と略同一形状に形成されている特殊形状部（例えば、後述の第１特殊形状部１２１等）が形成されており、前記駆動制御手段が前記駆動手段を制御し、前記表示手段を前記操作手段に近接させた場合に、前記特殊形状部が、前記操作手段の側縁に近接することを特徴とする。
【０５５４】
このような構成の遊技機は、操作手段と、表示手段と、表示制御手段と、駆動手段と、駆動制御手段と、を備える。操作手段は、遊技者により操作可能である。表示手段は、遊技における演出画像を表示領域に表示可能である。表示制御手段は、表示手段を表示制御する。駆動手段は、表示手段を、操作手段に離間又は近接させる方向に移動可能である。駆動制御手段は、前記駆動手段を制御する。そして、表示手段は、その側縁において、操作手段の側縁と略同一形状に形成されている特殊形状部が形成されており、駆動制御手段が駆動手段を制御し、表示手段を操作手段に近接させた場合に、特殊形状部が、操作手段の側縁に近接する。
【０５５５】
これにより、表示手段が移動することで、操作手段に近接し、表示手段の側縁における操作手段の側縁と略同一形状に形成された特殊形状部が、操作手段の当該側縁と近接し、操作手段の周囲に表示手段が配置される。よって、遊技者により操作手段が認識し易くなり、表示手段に表示された演出画像と相まって、操作手段による演出の興趣を向上できる。したがって、操作演出の興趣を向上可能な遊技機を提供できる。
【０５５６】
本発明の遊技機は、前記構成に加えて、前記操作手段は、複数種類有り（例えば、後述の演出ボタン１９、メダル投入口１３、ＭＡＸベットボタン１４、１ベットボタン１５、スタートレバー１６、ストップボタン１７Ｌ，１７Ｃ，１７Ｒ等）、複数種類の前記操作手段は、操作部（例えば、後述の台座部１０等）に配置され、前記駆動手段により移動可能な前記表示手段は、前記操作部に配置されていることを特徴とする。
【０５５７】
これにより、表示手段を複数種類の操作手段が配置された操作部に配置できる。即ち、遊技中における遊技者の手元で、表示手段を移動させ、操作手段に近接させることができる。よって、表示手段を、例えば、手元から離れた遊技機の筐体上部で移動させる場合に比べて、表示手段の演出画像に注目させることが可能となる。したがって、演出画像に注目させつつ、操作演出の興趣を向上可能な遊技機を提供できる。
［発明の効果］
【０５５８】
本発明によれば、操作演出の興趣を向上可能な遊技機を提供できる。
【０５５９】
［付記７］
付記７の遊技用装置は以下の通りである。
［背景技術］
【０５６０】
パチスロと称される遊技機として、演出用の画像を表示すると共に位置変位可能な可動液晶表示装置を、固定液晶表示装置の側方である上端位置から、リール群の側方である下端位置までの間を、固定液晶表示装置及びリール群に対して前後方向から見て重ならないように移動可能な遊技機が提案されている（特許文献１参照）。
［先行技術文献］
［特許文献］
【０５６１】
［特許文献１］特開２０１４−１３８８３５号公報
［発明の概要］
［発明が解決しようとする課題］
【０５６２】
しかしながら、上記特許文献１の遊技機は、可動液晶表示装置がリール群の側方を上下動するだけであり、遊技者が最も注目するリール群の前面側に可動液晶表示装置を移動させ、可動液晶表示装置に表示された画像による演出効果を向上することができないという問題があった。一方、リール群の前面側であっても、入賞判定がされる有効ライン上の図柄の視認性が低下すると、遊技に支障をきたすという問題もある。
【０５６３】
そこで、本発明は、このような問題点を解決し、リール前での演出効果を向上可能とするとともに、遊技者が特に注目する有効ラインの視認性を担保可能な遊技機を提供することを目的とする。
［課題を解決するための手段］
【０５６４】
本発明は、以下のような遊技機を提供する。本発明の遊技機（例えば、後述のパチスロ機１Ｆ等）は、複数の図柄が配された複数のリール（例えば、後述のリール３Ｌ，３Ｃ，３Ｒ等）と、各リールについて少なくとも２以上の図柄が視認できる図柄表示部（例えば、後述の表示窓４等）と、を備え、前記図柄表示部から視認可能な有効ライン上の停止表示に応じて役の入賞を判定する遊技機であって、前記リールより前面側に配置され、遊技における演出画像を表示領域（例えば、後述の表示領域１１ａ等）に表示可能な表示手段（例えば、後述の液晶表示装置１１Ｆ等）と、前記表示手段を表示制御する表示制御手段（例えば、後述の副制御回路１０１等）と、前記表示手段を、リールと重ならない第１位置から、少なくとも一部が前記リールと重なる第２位置に移動可能な駆動手段（例えば、後述の駆動装置２００Ｆ等）と、前記駆動手段を制御する駆動制御手段（例えば、後述の副制御回路１０１等）と、を備え、前記表示手段は、前記第２位置に移動した場合に、前記リールと重なった部分の側縁において、前記有効ライン上の停止表示の視認性を低下させないよう特殊形状部（例えば、後述の特殊形状部１１１ｄ，１１２ｄ等）が形成されていることを特徴とする。
【０５６５】
このような構成の遊技機は、複数の図柄が配された複数のリールと、各リールについて少なくとも２以上の図柄が視認できる図柄表示部と、を備え、図柄表示部から視認可能な有効ライン上の停止表示に応じて役の入賞を判定し、表示手段と、表示制御手段と、駆動手段と、を備える。表示手段は、リールより前面側に配置され、遊技における演出画像を表示領域に表示可能である。表示制御手段は、表示手段を表示制御する。駆動手段は、表示手段を、リールと重ならない第１位置から、少なくとも一部がリールと重なる第２位置に移動可能である。駆動制御手段は、駆動手段を制御する。そして、表示手段は、第２位置に移動した場合に、リールと重なった部分の側縁において、有効ライン上の停止表示の視認性を低下させないよう特殊形状部が形成されている。
【０５６６】
これにより、表示手段を、リールと重ならない第１位置から、少なくとも一部がリールと重なる第２位置に移動させることができる。よって、遊技者が注目するリール前に、演出画像を表示する表示手段を移動させることで、リール前における演出画像による演出効果を向上できる。また、表示手段が第２位置に移動した場合に、表示手段のリールと重なった部分の側縁には、有効ライン上の停止表示の視認性を低下させないような特殊形状部が形成されている。よって、入賞判定がされる有効ライン上の図柄の視認性が低下することがない。したがって、リール前での演出効果を向上可能とするとともに、遊技者が特に注目する有効ラインの視認性を担保可能な遊技機を提供できる。
【０５６７】
本発明の遊技機は、前記構成に加えて、前記表示制御手段は、前記表示手段において、図柄を模した疑似図柄を表示制御することを特徴とする。
【０５６８】
これにより、表示手段において、図柄を模した疑似図柄を表示できるので、リールに配された図柄と、表示手段に表示された疑似図柄とによって、多彩な図柄演出が可能となる。したがって、リール前での演出効果を向上可能とするとともに、多彩な図柄演出が可能であり、遊技者が特に注目する有効ラインの視認性を担保可能な遊技機を提供できる。
［発明の効果］
【０５６９】
本発明によれば、リール前での演出効果を向上可能とするとともに、遊技者が特に注目する有効ラインの視認性を担保可能な遊技機を提供できる。
【符号の説明】
【０５７０】
１Ｅ，１Ｆ  パチスロ機
３Ｌ，３Ｃ，３Ｒ  リール
４  表示窓
４ａ  有効ライン
１９  演出ボタン
１１Ｆ  液晶表示装置
１２Ｅ  操作部液晶表示装置
１１ａ，１２ａ  表示領域
１１１ｄ，１１２ｄ  特殊形状部
１２１  第１特殊形状部
１０１  副制御回路
２００Ｅ，２００Ｆ  駆動装置
【図１】
0006710093.tif 000002
【図２】
0006710093.tif 000003
【図３】
0006710093.tif 000004
【図４】
0006710093.tif 000005
【図５】
0006710093.tif 000006
【図６】
0006710093.tif 000007
【図７】
0006710093.tif 000008
【図８】
0006710093.tif 000009
【図９】
0006710093.tif 000010
【図１０】
0006710093.tif 000011
【図１１】
0006710093.tif 000012
【図１２】
0006710093.tif 000013
【図１３】
0006710093.tif 000014
【図１４】
0006710093.tif 000015
【図１５】
0006710093.tif 000016
【図１６】
0006710093.tif 000017
【図１７】
0006710093.tif 000018
【図１８】
0006710093.tif 000019
【図１９】
0006710093.tif 000020
【図２０】
0006710093.tif 000021
【図２１】
0006710093.tif 000022
【図２２】
0006710093.tif 000023
【図２３】
0006710093.tif 000024
【図２４】
0006710093.tif 000025
【図２５】
0006710093.tif 000026
【図２６】
0006710093.tif 000027
【図２７】
0006710093.tif 000028
【図２８】
0006710093.tif 000029
【図２９】
0006710093.tif 000030
【図３０】
0006710093.tif 000031
【図３１】
0006710093.tif 000032
【図３２】
0006710093.tif 000033
【図３３】
0006710093.tif 000034
【図３４】
0006710093.tif 000035
【図３５】
0006710093.tif 000036
【図３６】
0006710093.tif 000037
【図３７】
0006710093.tif 000038
【図３８】
0006710093.tif 000039
【図３９】
0006710093.tif 000040
【図４０】
0006710093.tif 000041
【図４１】
0006710093.tif 000042
【図４２】
0006710093.tif 000043
【図４３】
0006710093.tif 000044
【図４４】
0006710093.tif 000045
【図４５】
0006710093.tif 000046
【図４６】
0006710093.tif 000047
【図４７】
0006710093.tif 000048
【図４８】
0006710093.tif 000049
【図４９】
0006710093.tif 000050
【図５０】
0006710093.tif 000051
【図５１】
0006710093.tif 000052
【図５２】
0006710093.tif 000053
【図５３】
0006710093.tif 000054
【図５４】
0006710093.tif 000055
【図５５】
0006710093.tif 000056
【図５６】
0006710093.tif 000057
【図５７】
0006710093.tif 000058
【図５８】
0006710093.tif 000059
【図５９】
0006710093.tif 000060
【図６０】
0006710093.tif 000061
【図６１】
0006710093.tif 000062
【図６２】
0006710093.tif 000063
【図６３】
0006710093.tif 000064
【図６４】
0006710093.tif 000065
【図６５】
0006710093.tif 000066
【図６６】
0006710093.tif 000067